(57)【要約】  無線通信システムの基地局が開示される。無線通信システムの基地局はそれぞれ通信モジュールと、プロセッサと、を含む。前記プロセッサはプリエンプションされた資源を指示するプリエンプション指示子を生成する。この際、前記プリエンプション指示子が指示する資源は、ＲＲＣ（ｒａｄｉｏ  ｒｅｓｏｕｒｃｅ  ｃｏｎｔｒｏｌ）信号によって上りリンク（ｕｐｌｉｎｋ、ＵＬ）シンボルと設定されたＯＦＤＭ（Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）シンボルを含まない。前記プロセッサは、前記無線通信システムの端末に予め指定された周期に基づいて前記プリエンプション指示子を伝送する。
2020523921.tif 000002
【特許請求の範囲】
【請求項１】
無線通信システムの基地局において、
通信モジュールと、
前記通信モジュールを制御するプロセッサと、を含み、
前記プロセッサは、
プリエンプションされた資源を指示するプリエンプション指示子を生成し、
前記無線通信システムの端末に予め指定された周期に基づいて前記プリエンプション指示子を伝送し、
前記プリエンプション指示子が指示する資源は、ＲＲＣ（ｒａｄｉｏ  ｒｅｓｏｕｒｃｅ  ｃｏｎｔｒｏｌ）信号によって上りリンク（ｕｐｌｉｎｋ、ＵＬ）シンボルと設定されたＯＦＤＭ（Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）シンボルを含まない
基地局。
【請求項２】
前記端末に構成されたＯＦＤＭシンボルは、上りリンク伝送のための前記ＵＬシンボル、下りリンク伝送のための下りリンク（ｄｏｗｎｌｉｎｋ、ＤＬ）シンボル、及びＵＬシンボルやＤＬシンボルと設定されていないフレキシブル（ｆｌｅｘｉｂｌｅ）シンボルに区分される
請求項１に記載の基地局。
【請求項３】
前記ＲＲＣ信号セルに共通的に適用されるセル特定ＲＲＣ信号である
請求項２に記載の基地局。
【請求項４】
前記プリエンプション指示子は、前記プリエンプション指示子が指示する複数のＯＦＤＭシンボルを複数のグループに区分し、前記複数のグループ別に前記複数のグループそれぞれが含む一つ以上のＯＦＤＭシンボルのうち少なくともいずれか一つのＯＦＤＭシンボルでパンクチュアリングされるのかを指示する
請求項１に記載の基地局。
【請求項５】
前記複数のグループの個数は予め指定されている
請求項４に記載の基地局。
【請求項６】
前記複数のグループの個数はＮ個であり、前記プリエンプション指示子が指示する複数のＯＦＤＭシンボルの個数がＳ個であれば、前記プロセッサは、前記Ｎ個のグループのうち最初のｍｏｄ（Ｓ、Ｎ）個のグループはｃｅｉｌ（Ｓ／Ｎ）個のＯＦＤＭシンボルを含むようにグルーピングし、残りのＮ−ｍｏｄ（Ｓ、Ｎ）グループは、ｆｌｏｏｒ（Ｓ／Ｎ）個のＯＦＤＭシンボルを含むようにグルーピングし、
前記ｍｏｄ（ａ、ｂ）はａ−ｆｌｏｏｒ（ａ／ｂ）＊ｂであり、
前記ｆｌｏｏｒ（ｘ）はｘと同じであるか小さい整数のうち最も大きい数であり、
前記ｃｅｉｌ（ｘ）はｘと同じであるか大きい整数のうち最も小さい数である
請求項４に記載の基地局。
【請求項７】
前記予め指定された周期の間のＯＦＤＭシンボルの個数は、Ｎ＿ｓｙｍｂ＊Ｔ＿ＩＮＴ＊２(μ−μ＿ＩＮＴ)であり、
前記Ｎ＿ｓｙｍｂはスロットが含むＯＦＤＭシンボルの数であり、
前記Ｔ＿ＩＮＴは前記端末が前記プリエンプション指示子をモニタリングする周期であり、
μ＿ＩＮＴは、前記プリエンプション指示子が伝送されるキャリアのサブキャリア間隔が１５＊２μ＿ＩＮＴＫＨｚになることを満足する値であり、
μは、プリエンプション指示子がプリエンプションに関する情報を指示するキャリアのサブキャリア間隔が１５＊２μＫＨｚになることを満足する値であり、
前記プロセッサは、
前記Ｎ＿ｓｙｍｂ＊Ｔ＿ＩＮＴ＊２(μ−μ＿ＩＮＴ)が自然数になるようにＴ＿ＩＮＴの値、μの値、及びμ＿ＩＮＴの値を設定する
請求項１に記載の基地局。
【請求項８】
前記プリエンプション指示子は、
前記端末が使用するＢＷＰ（ｂａｎｄｗｉｄｔｈ  ｐａｒｔ）の全体の帯域を指示し、
前記ＢＷＰは、前記端末に設定されたキャリアの帯域幅より小さいか同じ帯域幅で前記端末が送受信を行う周波数帯域である
請求項１に記載の基地局。
【請求項９】
無線通信システムの端末において、
通信モジュールと、
前記通信モジュールを制御するプロセッサと、を含み、
前記プロセッサは、
前記無線通信システムの基地局からプリエンプションされた資源を指示するプリエンプション指示子を周期的にモニタリングし、
前記プリエンプション指示子を受信すれば、前記プリエンプション指示子が指示する資源はＲＲＣ信号によって上りリンクシンボルと設定されたＯＦＤＭシンボルを含まないと判断し、前記プリエンプション指示子に基づいて前記端末にスケジューリングされた資源のうち前記基地局から前記端末に対する伝送が発生した資源を判断し、前記基地局から前記端末に対する伝送が発生した資源に対する判断に基づいて、前記基地局から受信したデータをデコーディングする
端末。
【請求項１０】
前記端末に構成されたＯＦＤＭシンボルは、上りリンク伝送のための前記ＵＬシンボル、下りリンク伝送のための下りリンクシンボル、ＵＬシンボル、及びＵＬシンボルやＤＬシンボルと設定されていないフレキシブルシンボルに区分される
請求項９に記載の端末。
【請求項１１】
前記ＲＲＣ信号はセルに共通的に適用されるセル共通ＲＲＣ信号である
請求項１０に記載の端末。
【請求項１２】
前記プリエンプション指示子は、前記プリエンプション指示子が指示する複数のＯＦＤＭシンボルを複数のグループに区分し、
前記プロセッサは、前記複数のグループ別に前記複数のグループそれぞれが含む一つ以上のＯＦＤＭシンボルで前記基地局から前記端末に対する伝送が発生したのかを判断する
請求項９に記載の端末。
【請求項１３】
前記複数のグループの個数は予め指定されている
請求項１２に記載の端末。
【請求項１４】
前記複数のグループの個数はＮ個であり、前記プリエンプション指示子が指示する複数のＯＦＤＭシンボルの個数がＳ個であれば、前記プロセッサは、前記Ｎ個のグループのうち最初のｍｏｄ（Ｓ、Ｎ）個のグループはｃｅｉｌ（Ｓ／Ｎ）個のＯＦＤＭシンボルを含み、残りのＮ−ｍｏｄ（Ｓ、Ｎ）グループは、ｆｌｏｏｒ（Ｓ／Ｎ）個のＯＦＤＭシンボルを含むと判断し、
前記ｍｏｄ（ａ、ｂ）はａ−ｆｌｏｏｒ（ａ／ｂ）＊ｂであり、
前記ｆｌｏｏｒ（ｘ）はｘと同じであるか小さい整数のうち最も大きい数であり、
前記ｃｅｉｌ（ｘ）はｘと同じであるか大きい整数のうち最も小さい数である
請求項１２に記載の端末。
【請求項１５】
前記プリエンプション指示子をモニタリングする周期の間のＯＦＤＭシンボルの個数は、Ｎ＿ｓｙｍｂ＊Ｔ＿ＩＮＴ＊２(μ−μ＿ＩＮＴ)であり、
前記Ｎ＿ｓｙｍｂはスロットが含むＯＦＤＭシンボルの数であり、
前記Ｔ＿ＩＮＴはプリエンプション指示子のモニタリング周期である。
μ＿ＩＮＴは、前記プリエンプション指示子が伝送されるキャリアのサブキャリア間隔が１５＊２μ＿ＩＮＴＫＨｚになることを満足する値であり、
μは、プリエンプション指示子がプリエンプションに関する情報を指示するキャリアのサブキャリア間隔が１５＊２μＫＨｚになることを満足する値であり、
前記プロセッサは、
前記Ｎ＿ｓｙｍｂ＊Ｔ＿ＩＮＴ＊２(μ−μ＿ＩＮＴ)が自然数になるＴ＿ＩＮＴの値、μの値、及びμ＿ＩＮＴの値を期待する
請求項９に記載の端末。
【請求項１６】
前記プリエンプション指示子は、
前記端末が使用するＢＷＰの全体の帯域を指示し、
前記ＢＷＰは、前記端末に設定されたキャリアの帯域幅より小さいか同じ帯域幅で前記端末が送受信を行う周波数帯域である
請求項９に記載の端末。
【請求項１７】
無線通信システムの端末の動作方法において、
前記無線通信システムの基地局からプリエンプションされた資源を指示するプリエンプション指示子を周期的にモニタリングするステップと、
前記プリエンプション指示子を受信すれば、前記プリエンプション指示子が指示する資源はＲＲＣ信号によって上りリンクシンボルと設定されたＯＦＤＭシンボルを含まないと判断するステップと、
前記プリエンプション指示子を受信すれば、前記プリエンプション指示子に基づいて前記端末にスケジューリングされた資源のうち前記基地局から前記端末に対する伝送が発生した資源を判断するステップと、
前記基地局から前記端末に対する伝送が発生した資源に対する判断に基づいて、前記基地局から受信したデータをデコーディングするするステップと、を含む
動作方法。
【請求項１８】
前記端末に構成されたＯＦＤＭシンボルは、上りリンク伝送のための前記ＵＬシンボル、下りリンク伝送のための下りリンクシンボル、ＵＬシンボル、及びＵＬシンボルやＤＬシンボルと設定されていないフレキシブルシンボルに区分される
請求項１７に記載の動作方法。
【請求項１９】
前記ＲＲＣ信号はセルに共通的に適用されるセル共通ＲＲＣ信号である
請求項１８に記載の動作方法。
【請求項２０】
前記プリエンプション指示子は、前記プリエンプション指示子が指示する複数のＯＦＤＭシンボルを複数のグループに区分し、
前記基地局から前記端末に対する伝送が発生した資源を判断するステップは、
前記複数のグループ別に前記複数のグループそれぞれが含む一つ以上のＯＦＤＭシンボルで前記基地局から前記端末に対する伝送が発生したのかを判断するステップを含む
請求項１７に記載の動作方法。
【発明の詳細な説明】
【技術分野】
【０００１】
本発明は、無線通信システムに関する。詳しくは、本発明は、データチャネル及び制御チャネルを送受信する無線通信方法、装置、及びシステムに関する。
【背景技術】
【０００２】
３ＧＰＰ  ＮＲ（３ｒｄ  Ｇｅｎｅｒａｔｉｏｎ  Ｐａｒｔｎｅｒｓｈｉｐ  Ｐｒｏｊｅｃｔ  Ｎｅｗ  Ｒａｄｉｏ）システムは、ネットワークのスペクトル効率を向上させて、通信事業者が与えられた帯域幅でより多くのデータ及び音声サービスを提供するようにする。よって、３ＧＰＰ  ＮＲシステムは、大容量の音声支援以外にも高速のデータ及びメディア伝送に対する要求を満足するように設計される。ＮＲシステムの長所は、同じフラットフォームにおいて高い処理量、低い待機時間、ＦＤＤ（Ｆｒｅｑｕｅｎｃｙ  Ｄｉｖｉｓｉｏｎ  Ｄｕｐｌｅｘ）及びＴＤＤ（Ｔｉｍｅ  Ｄｉｖｉｓｉｏｎ  Ｄｕｐｌｅｘ）の支援、向上された最終ユーザ環境など、簡単なアーキテクチャで低い運営コストを有することである。
【０００３】
より効率的なデータ処理のために、ＮＲシステムのＤｙｎａｍｉｃ  ＴＤＤは、セルのユーザのデータトラフィック方向に応じて上りリンクや下りリンクに使用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数を可変する方式を使用する。例えば、基地局はセルの下りリンクトラフィックが上りリンクトラフィックより大きければ、スロット（またはサブフレーム）に多数の下りリンクＯＦＤＭシンボルを割り当てる。スロット構成に関する情報は端末に伝送されるべきである。
【発明の概要】
【発明が解決しようとする課題】
【０００４】
本発明の目的は、無線通信システム、特にセルラー無線通信システムにおいて効率的に信号を伝送する方法及びそのための装置を提供することである。また、本発明の目的は、下りリンク制御チャネルを送受信する方法、そのための装置及びシステムを提供することである。
【０００５】
本発明でなそうとする技術的課題は前記技術的課題に限らず、言及していない他の技術的課題は、下記記載から本発明の属する技術分野における通常の知識を有する者に明確に理解されるはずである。
【課題を解決するための手段】
【０００６】
本発明の一実施例による無線通信システムの基地局は、通信モジュールと、前記通信モジュールを制御するプロセッサと、を含む。前記プロセッサは、プリエンプションされた資源を指示するプリエンプション指示子を生成し、前記無線通信システムの端末に予め指定された周期に基づいて前記プリエンプション指示子を伝送する。この際、前記プリエンプション指示子が指示する資源は、ＲＲＣ（ｒａｄｉｏ  ｒｅｓｏｕｒｃｅ  ｃｏｎｔｒｏｌ）信号によって上りリンク（ｕｐｌｉｎｋ、ＵＬ）シンボルと設定されたＯＦＤＭ（Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）シンボルを含まない。
【０００７】
前記端末に構成された（ｃｏｎｆｉｇｕｒｅｄ）ＯＦＤＭシンボルは、上りリンク伝送のための前記ＵＬシンボル、下りリンク伝送のための下りリンク（ｄｏｗｎｌｉｎｋ、ＤＬ）シンボル、及びＵＬシンボルやＤＬシンボルと設定されていないフレキシブル（ｆｌｅｘｉｂｌｅ）シンボルに区分される。
【０００８】
前記ＲＲＣ信号は、セルに共通的に適用されるセル特定ＲＲＣ信号である。
前記プリエンプション指示子は、前記プリエンプション指示子が指示する複数のＯＦＤＭシンボルを複数のグループに区分し、前記複数のグループ別に前記複数のグループそれぞれが含む一つ以上のＯＦＤＭシンボルのうち少なくともいずれか一つのＯＦＤＭシンボルでプリエンプションされるのかを指示する。
【０００９】
前記複数のグループの個数は、予め指定されている。
前記複数のグループの個数はＮ個であり、前記プリエンプション指示子が指示する複数のＯＦＤＭシンボルの個数がＳ個であれば、前記プロセッサは、前記Ｎ個のグループのうち最初のｍｏｄ（Ｓ、Ｎ）個のグループはｃｅｉｌ（Ｓ／Ｎ）個のＯＦＤＭシンボルを含むようにグルーピングし、残りのＮ−ｍｏｄ（Ｓ、Ｎ）グループは、ｆｌｏｏｒ（Ｓ／Ｎ）個のＯＦＤＭシンボルを含むようにグルーピングする。前記ｍｏｄ（ａ、ｂ）はａ−ｆｌｏｏｒ（ａ／ｂ）＊ｂであり、前記ｆｌｏｏｒ（ｘ）はｘと同じであるか小さい整数のうち最も大きい数であり、前記ｃｅｉｌ（ｘ）はｘと同じであるか大きい整数のうち最も小さい数である。
【００１０】
前記プリエンプション指示子は、整数個のスロット単位で前記端末によってモニターされる。
前記予め指定された周期の間のＯＦＤＭシンボルの個数は、Ｎ＿ｓｙｍｂ＊Ｔ＿ＩＮＴ＊２(μ−μ＿ＩＮＴ)である。前記Ｎ＿ｓｙｍｂはスロットが含むＯＦＤＭシンボルの数であり、前記Ｔ＿ＩＮＴは前記端末が前記プリエンプション指示子をモニタリングする周期であり、μ＿ＩＮＴは前記プリエンプション指示子が伝送されるキャリアのサブキャリア間隔が１５＊２μ＿ＩＮＴＫＨｚになることを満足する値であり、μはプリエンプション指示子がプリエンプションに関する情報を指示するキャリアのサブキャリア間隔が１５＊２μＫＨｚになることを満足する値である。前記プロセッサは、前記Ｎ＿ｓｙｍｂ＊Ｔ＿ＩＮＴ＊２(μ−μ＿ＩＮＴ)が自然数になるようにＴ＿ＩＮＴの値、μの値、及びμ＿ＩＮＴの値を設定する。
【００１１】
前記プリエンプション指示子は、前記端末が使用するＢＷＰ（ｂａｎｄｗｉｄｔｈ  ｐａｒｔ）の全体の帯域を指示する。前記ＢＷＰは、前記端末に設定されたキャリアの帯域幅より小さいか同じ帯域幅で前記端末が送受信を行う周波数帯域である。
【００１２】
本発明の実施例による無線通信システムの端末は、通信モジュールと、前記通信モジュールを制御するプロセッサと、を含む。前記プロセッサは、前記無線通信システムの基地局からプリエンプションされた資源を指示するプリエンプション指示子を周期的にモニタリングし、前記プリエンプション指示子を受信すれば、前記プリエンプション指示子が指示する資源はＲＲＣ信号によって上りリンクシンボルと設定されたＯＦＤＭシンボルを含まないと判断し、前記プリエンプション指示子に基づいて前記端末にスケジューリングされた資源のうち前記基地局から前記端末に対する伝送が発生した資源を判断し、前記基地局から前記端末に対する伝送が発生した資源に対する判断に基づいて、前記基地局から受信したデータをデコーディングする。
【００１３】
前記端末に構成されたＯＦＤＭシンボルは、上りリンク伝送のための前記ＵＬシンボル、下りリンク伝送のための下りリンクシンボル、及びＵＬシンボルやＤＬシンボルと設定されていないフレキシブルシンボルに区分される。
【００１４】
前記ＲＲＣ信号は、セルに共通的に適用されるセル共通ＲＲＣ信号である。
前記プリエンプション指示子は、前記プリエンプション指示子が指示する複数のＯＦＤＭシンボルを複数のグループに区分し、前記プロセッサは、前記複数のグループ別に前記複数のグループそれぞれが含む一つ以上のＯＦＤＭシンボルで前記基地局から前記端末に対する伝送が発生したのかを判断する。
【００１５】
前記複数のグループの個数は、予め指定されている。
前記複数のグループの個数はＮ個であり、前記プリエンプション指示子が指示する複数のＯＦＤＭシンボルの個数がＳ個であれば、前記プロセッサは、前記Ｎ個のグループのうち最初のｍｏｄ（Ｓ、Ｎ）個のグループはｃｅｉｌ（Ｓ／Ｎ）個のＯＦＤＭシンボルを含み、残りのＮ−ｍｏｄ（Ｓ、Ｎ）グループは、ｆｌｏｏｒ（Ｓ／Ｎ）個のＯＦＤＭシンボルを含むと判断する。この際、前記ｍｏｄ（ａ、ｂ）はａ−ｆｌｏｏｒ（ａ／ｂ）＊ｂであり、前記ｆｌｏｏｒ（ｘ）はｘと同じであるか小さい整数のうち最も大きい数であり、前記ｃｅｉｌ（ｘ）はｘと同じであるか大きい整数のうち最も小さい数である。
前記プロセッサは、整数個のスロット単位で前記プリエンプション指示子をモニタリングする。
【００１６】
前記プリエンプション指示子をモニタリングする周期の間のＯＦＤＭシンボルの個数は、Ｎ＿ｓｙｍｂ＊Ｔ＿ＩＮＴ＊２(μ−μ＿ＩＮＴ)である。前記Ｎ＿ｓｙｍｂはスロットが含むＯＦＤＭシンボルの数であり、前記Ｔ＿ＩＮＴは前記プリエンプション指示子のモニタリング周期であり、μ＿ＩＮＴは前記プリエンプション指示子が伝送されるキャリアのサブキャリア間隔が１５＊２μ＿ＩＮＴＫＨｚになることを満足する値であり、μはプリエンプション指示子がプリエンプションに関する情報を指示するキャリアのサブキャリア間隔が１５＊２μＫＨｚになることを満足する値である。前記プロセッサは、前記Ｎ＿ｓｙｍｂ＊Ｔ＿ＩＮＴ＊２(μ−μ＿ＩＮＴ)が自然数になるＴ＿ＩＮＴの値、μの値、及びμ＿ＩＮＴの値を期待する。
【００１７】
前記プリエンプション指示子は、前記端末が使用するＢＷＰの全体の帯域を指示し、前記ＢＷＰは、前記端末に設定されたキャリアの帯域幅より小さいか同じ帯域幅で前記端末が送受信を行う周波数帯域である。
【００１８】
本発明の一実施例による無線通信システムの端末の動作方法は、前記無線通信システムの基地局からプリエンプションされた資源を指示するプリエンプション指示子を周期的にモニタリングするステップと、前記プリエンプション指示子を受信すれば、前記プリエンプション指示子が指示する資源はＲＲＣ信号によって上りリンクシンボルと設定されたＯＦＤＭシンボルを含まないと判断するステップと、前記プリエンプション指示子を受信すれば、前記プリエンプション指示子に基づいて前記端末にスケジューリングされた資源のうち前記基地局から前記端末に対する伝送が発生した資源を判断するステップと、前記基地局から前記端末に対する伝送が発生した資源に対する判断に基づいて、前記基地局から受信したデータをデコーディングするするステップと、を含む。
【００１９】
前記端末に構成されたＯＦＤＭシンボルは、上りリンク伝送のための前記ＵＬシンボル、下りリンク伝送のための下りリンクシンボル、ＵＬシンボル、及びＵＬシンボルやＤＬシンボルと設定されていないフレキシブルシンボルに区分される。
前記ＲＲＣ信号は、セルに共通的に適用されるセル共通ＲＲＣ信号である。
【００２０】
前記プリエンプション指示子は、前記プリエンプション指示子が指示する複数のＯＦＤＭシンボルを複数のグループに区分し、前記基地局から前記端末に対する伝送が発生した資源を判断するステップは、前記複数のグループ別に前記複数のグループそれぞれが含む一つ以上のＯＦＤＭシンボルで前記基地局から前記端末に対する伝送が発生したのかを判断するステップを含む。
【発明の効果】
【００２１】
本発明の実施例による無線通信システム、特にセルラー無線通信システムは、効率的に信号を伝送する方法及びそのための装置を提供する。また、本発明の一実施例による無線通信システムは、下りリンク制御チャネルを送受信する無線通信方法及びそのための装置を提供する。
【００２２】
本発明で得られる効果は上述した効果に限らず、言及していない他の効果は、下記記載から本発明の属する技術分野における通常の知識を有する者に明確に理解されるはずである。
【図面の簡単な説明】
【００２３】
【図１】無線通信システムで使用される無線フレーム構造の一例を示す図である。
【図２】無線通信システムで下りリンク（ｄｏｗｎｌｉｎｋ、ＤＬ）／上りリンク（ｕｐｌｉｎｋ、ＵＬ）のスロット構造の一例を示す図である。
【図３】３ＧＰＰシステムに利用される物理チャンネル及び物理チャンネルを利用した一般的な信号伝送方法を説明するための図である。
【図４】３ＧＰＰ  ＮＲシステムにおける初期セル接続のためのＳＳ／ＰＢＣＨブロックに関する図である。
【図５】（a）は、3GPP NRシステムでの制御情報の伝送手順に関する図であり、（b）は、ＰＤＣＣＨのＣＣＥアグリゲーションとＰＤＣＣＨの多重化に関する図である。
【図６】３ＧＰＰ  ＮＲシステムにおけるＰＤＣＣＨが伝送されるＣＯＲＥＳＥＴ（ｃｏｎｔｒｏｌ  ｒｅｓｏｕｒｃｅ  ｓｅｔ）を示す図である。
【図７】共通（ｃｏｍｍｏｎ）探索空間（ｓｅａｒｃｈ  ｓｐａｃｅ）とＵＥ特定（ｓｐｅｃｉｆｉｃ）（またはＴｅｒｍｉｎａｌ  ｓｐｅｃｉｆｉｃ）探索空間のためのＣＣＥアグリゲーションごとの探索空間割当を示す図である。
【図８】キャリアアグリゲーション（ｃａｒｒｉｅｒ  ａｇｇｒｅｇａｔｉｏｎ）を説明する概念図である。
【図９】単一キャリア通信と多重キャリア通信を説明するための図である。
【図１０】クロスキャリアスケジューリング技法が適用される例を示す図である。
【図１１】本発明の一実施例による端末と基地局の構成をそれぞれ示すブロック図である。
【図１２】ＮＲシステムにおける本発明の実施例によるＣＯＲＥＳＥＴの例を示す図である。
【図１３】本発明の実施例によって端末に設定されたＢＷＰの例を示す図である。
【図１４】本発明の実施例によって端末に設定されたＢＷＰと、ＢＷＰのためのＣＯＲＥＳＥＴの例を示す図である。
【図１５】本発明の実施例による端末がＢＷＰ、及びＢＷＰに当たるＣＯＲＥＳＥＴに基づいてプリエンプション（ｐｒｅｅｍｐｔｉｏｎ）指示子をモニタリングする方法を示す図である。
【図１６】本発明の実施例による端末がＰＤＳＣＨがスケジューリングされたＢＷＰに当たるＣＯＲＥＳＥＴに基づいてプリエンプション指示子をモニタリングする方法を示す図である。
【図１７】本発明の実施例による端末に設定された複数のＢＷＰが重なれば、ＰＤＳＣＨがスケジューリングされたＢＷＰに当たるＣＯＲＥＳＥＴに基づいてプリエンプション指示子をモニタリングする方法を示す図である。
【図１８】本発明の実施例による端末が予め指定されたＢＷＰに基づいてプリエンプション指示子をモニタリングする方法を示す図である。
【図１９】本発明の実施例による端末が予め指定されたＢＷＰに基づいてプリエンプション指示子をモニタリングする方法を示す図である。
【図２０】本発明の実施例による端末がＰＤＳＣＨをスケジューリングするＰＤＣＣＨが伝送されたＣＯＲＥＳＥＴでプリエンプション指示子をモニタリングする方法を示す図である。
【図２１】本発明の実施例による無線通信システムにおいて、ＴＤＤが使用されれば、スロットが含むＯＦＤＭシンボルを設定する例を示す図である。
【図２２】本発明の実施例によるプリエンプション指示子が指示するＯＦＤＭシンボルを示す図である。
【図２３】本発明の実施例によるプリエンプション指示子が指示するＯＦＤＭシンボルを示す図である。
【図２４】リザーブド資源に関して本発明の実施例によるプリエンプション指示子が指示するＯＦＤＭシンボルを示す図である。
【図２５】リザーブド資源に関して本発明の実施例によるプリエンプション指示子が指示するＯＦＤＭシンボルを示す図である。
【図２６】リザーブド資源に関して本発明の実施例によるプリエンプション指示子が指示するＯＦＤＭシンボルを示す図である。
【図２７】本発明の実施例によるプリエンプション指示子のビットマップがプリエンプション可否を指示するＯＦＤＭシンボルを示す図である。
【図２８】本発明の他の実施例によるプリエンプション指示子のビットマップがプリエンプション可否を指示するＯＦＤＭシンボルを示す図である。
【図２９】本発明のまた他の実施例によるプリエンプション指示子のビットマップがプリエンプション可否を指示するＯＦＤＭシンボルを示す図である。
【図３０】本発明の実施例による端末がＣＡを使用するように設定されていれば、端末がいずれか一つのキャリアで他のキャリアで起こっているプリエンプションに関する情報を指示するプリエンプション指示子をモニタリングすることを示す図である。
【図３１】本発明の実施例による基地局と端末の動作方法を示す図である。
【図３２】本発明の実施例による基地局と端末の動作方法を示す図である。
【発明を実施するための形態】
【００２４】
本明細書で使用される用語は本発明における機能を考慮してできるだけ現在広く使用されている一般的な用語を選択しているが、これは当分野に携わる技術者の意図、慣例、または新たな技術の出現などによって異なり得る。また、特定の場合は出願人が任意に選択したものもあるが、この場合、該当する発明の説明部分でその意味を記載する。よって、本明細書で使用される用語は、単なる用語の名称ではなく、その用語の有する実質的意味と本明細書全般にわたる内容に基づいて解析すべきであることを明らかにする。
【００２５】
明細書全体において、ある構成が他の構成を「連結」されているという際、これは「直接連結」されている場合だけでなく、その中間の他の構成要素を介在して「電気的に連結」されていることも含む。また、ある構成が特定構成要素を「含む」という際、これは特に反対する記載がない限り、他の構成要素を除くのではなく、他の構成要素を更に含むことを意味する。加えて、特定臨海を基準にする「以上」または「以下」という限定事項は、実施例によってそれぞれ「超過」または「未満」に適切に代替されてもよい。
【００２６】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線接続システムに使用される。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  ｔｅｒｍ  ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。３ＧＰＰ  ＮＲはＬＴＥ／ＬＴＥ−Ａとは別途に設計されたシステムであって、ＩＭＴ−２０２０の要求条件であるｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に説明するが、本発明の技術的思想はこれに限らない。
【００２７】
本明細書において、特別に説明しない限り、基地局は３ＧＰＰ  ＮＲで定義するｇＮＢ（ｎｅｘｔ  ｇｅｎｅｒａｔｉｏｎ  ｎｏｄｅ  Ｂ）を指す。また、特別に説明しない限り、端末はＵＥ（ｕｓｅｒ  ｅｑｕｉｐｍｅｎｔ）を指す。
【００２８】
本出願は、韓国特許出願第１０−２０１７−００７６９３４号（２０１７−０６−１６）、第１０−２０１７−０１２７５１６号（２０１７−０９−２９）、第１０−２０１７−０１２９７０７号（２０１７−１０−１１）、第１０−２０１７−０１４９９３３号（２０１７−１１−１０）、第１０−２０１８−００１８９０３号（２０１８−０２−１７）、及び第１０−２０１８−００４０１３４号（２０１８−０４−０６）に基づく優先権を主張し、優先権の基礎となる前記各出願に述べられた実施例及び記載事項は、本出願の詳細な説明に含まれるとする。
【００２９】
本明細書において、特別な説明がない限り、基地局は３ＧＰＰ  ＮＲで定義するｇＮＢ（ｎｅｘｔ  ｇｅｎｅｒａｔｉｏｎ  ｎｅｄｅ  Ｂ）を称する。また、特別な説明がない限り、端末はＵＥ（ｕｓｅｒ  ｅｑｕｉｐｍｅｎｔ）を称する。
【００３０】
図１は、無線通信システムで使用される無線フレーム構造の一例を示す図である。
図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（Ｓｕｂｆｒａｍｅ、ＳＦ）からなる。ここで、Δｆｍａｘ＝４８０＊１０３ＨＺ、Ｎｆ＝４０９６、Ｔｃ＝１／（Δｆｒｅｆ＊Ｎｆ、ｒｅｆ）、Δｆｒｅｆ＝１５＊１０３Ｈｚ、Ｎｆ、ｒｅｆ＝２０４８である。一つの無線フレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）に応じて一つまたは複数個のスロットからなる。より詳しくは、３ＧＰＰ  ＮＲシステムでは使用し得るサブキャリア間隔は１５＊２μｋＨｚであり、μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０、１、２、３、４の値を有する。つまり、１５ｋＨｚ、３０ｋＨｚ、６０ｋＨｚ、１２０ｋＨｚ、２４０ｋＨｚがサブキャリア間隔として使用される。１ｍｓの長さを有する一つのサブフレームは、２μ個のスロットを含む。この際、各スロットの長さは２−μｍｓである。一つのサブフレーム内の２μ個のスロットは、それぞれ０から２μ−１までの番号が与えられる。また、一つのサブフレーム内のスロットはそれぞれ０〜１０＊２μ−１まで番号が与えられる。時間資源は、無線フレーム番号（或いは無線フレームインデックスともいう）、サブフレーム番号（或いはサブフレーム番号ともいう）、及びスロット番号（或いはスロットインデックス）のうち少なくともいずれか一つによって区分される。
【００３１】
図２は、無線通信システムで下りリンク（ＤＬ）／上りリンク（ＵＬ）のスロット構造の一例を示す図である。特に、図２は３ＧＰＰ  ＮＲシステムの資源格子（ｒｅｓｏｕｒｃｅ  ｇｒｉｄ）の構造を示す。
【００３２】
アンテナポート当たりに一つの資源格子がある。図２を参照すると、スロットは時間ドメイン（ｔｉｍｅ  ｄｏｍａｉｎ）で複数のＯＦＤＭシンボルを含み、周波数ドメイン（ｆｒｅｑｕｅｎｃｙ  ｄｏｍａｉｎ）で複数の資源ブロック（ｒｅｓｏｕｒｃｅ  ｂｌｏｃｋ、ＲＢ）を含む。ＯＦＤＭシンボルは、一つのシンボル区間を意味してもよい。特別に説明しない限り、ＯＦＤＭシンボルは簡単にシンボルと称されてもよい。図２を参照すると、各スロットから伝送される信号は、Ｎｓｉｚｅ、μｇｒｉｄ、ｘ＊ＮＲＢＳＣ個のサブキャリアと、ＮｓｌｏｔＳｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによって資源ブロック（ＲＢ）の個数を示し（ｘによる下りリンクまたは上りリンク）、ＮｓｌｏｔＳｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重接続方式によってＣＰ−ＯＦＤＭ（ｃｙｃｌｉｃ  ｓｈｉｆｔ  ＯＦＤＭ）シンボル、またはＤＦＴ−ｓ−ＯＦＤＭ（Ｄｉｓｃｒｅｔｅ  Ｆｏｕｒｉｅｒ  ｔｒａｎｓｆｏｒｍ  ｓｐｒｅａｄｉｎｇ  ＯＦＤＭ）シンボルと称される。一つのスロットに含まれるＯＦＤＭシンボルの数はＣＰ（ｃｙｃｌｉｃ  ｐｒｅｆｉｘ）の長さによって異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなるスロットを例示したが、本発明の実施例は異なる個数のＯＦＤＭシンボルを有するスロットにも同じ方式で適用される。図２を参照すると、各ＯＦＤＭシンボルは、周波数ドメインにおいて、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、及びガードバンド（ｇｕａｒｄ  ｂａｎｄ）に分けられる。キャリア周波数は中心周波数（ｃｅｎｔｅｒ  ｆｒｅｑｕｅｎｃｙ）ともいう。
【００３３】
ＲＢは時間ドメインでＮｓｌｏｔＳｙｍｂ個（例えば、１４個）の連続するＯＦＤＭシンボルと定義され、周波数ドメインでＮＲＢＳＣ個（例えば、１２個）の連続するサブキャリアによって定義される。ちなみに、一つのＯＦＤＭシンボルと一つのサブキャリアからなる資源を資源要素（Ｒｅｓｏｕｒｃｅ  Ｅｌｅｍｅｎｔ、ＲＥ）或いはトーン（ｔｏｎｅ）と称する。よって、一つのＲＢはＮｓｌｏｔＳｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、ｌは時間ドメインで０からＮｓｌｏｔＳｙｍｂ−１まで与えられるインデックスである。
【００３４】
一方、一つのＲＢは、一つの物理資源ブロック（Ｐｈｙｓｉｃａｌ  Ｒｅｓｏｕｒｃｅ  Ｂｌｏｃｋ、ＰＲＢ）と一つの仮想資源ブロック（Ｖｉｒｔｕａｌ  Ｒｅｓｏｕｒｃｅ  Ｂｌｏｃｋ、ＶＲＢ）にそれぞれマッピングされる。ＰＲＢは、時間ドメインでＮｓｌｏｔＳｙｍｂ個（例えば、１４個）の連続するＯＦＤＭシンボルと定義される。また、ＰＲＢは周波数ドメインでＮＲＢＳＣ個（例えば、１２個）の連続するサブキャリアによって定義される。よって、一つのＰＲＢはＮＲＢＳＣ＊ＮｓｌｏｔＳｙｍｂ個の資源要素からなる。
【００３５】
端末が基地局から信号を受信するか基地局に信号を伝送するためには、端末の時間／周波数同期を基地局の時間／周波数同期と合わせるべきである。基地局と端末が同期化されなければ、端末がＤＬ信号の復調（ｄｅｍｏｄｕｌａｔｉｏｎ）及びＵＬ信号の伝送を正確な時点に行うのに必要な時間及び周波数パラメータを決定することができないためである。
【００３６】
ＴＤＤ（ｔｉｍｅ  ｄｉｖｉｓｉｏｎ  ｄｕｐｌｅｘ）またはアンペアド・スペクトル（ｕｎｐａｉｒｅｄ  ｓｐｅｃｔｒｕｍ）で動作する無線フレームの各シンボルは、下りリンクシンボル（ＤＬ  ｓｙｍｂｏｌ）、上りリンクシンボル（ＵＬ  ｓｙｍｂｏｌ）、またはフレキシブルシンボル（ｆｌｅｘｉｂｌｅ  ｓｙｍｂｏｌ）のうち少なくともいずれか一つで構成される。ＦＤＤ（ｆｒｅｑｕｅｎｃｙ  ｄｉｖｉｓｉｏｎ  ｄｕｐｌｅｘ）またはペアド・スペクトル（ｐａｉｒｅｄ  ｓｐｅｃｔｒｕｍ）において、下りリンクキャリアで動作する無線フレームは、下りリンクシンボルまたはフレキシブルシンボルで構成される。上りリンクキャリアで動作する無線フレームは、上りリンクシンボルまたはフレキシブルシンボルで構成される。下りリンクシンボルでは下りリンク伝送はできるが上りリンク伝送はできず、上りリンクシンボルでは上りリンク伝送はできるが下りリンク伝送はできない。フレキシブルシンボルは、異なる信号に応じて下りリンクシンボルに使用されるのか上りリンクシンボルに使用されるのかが決定される。各シンボルのタイプ（ｔｙｐｅ）、つまり、下りリンクシンボル、上りリンクシンボル、またはフレキシブルシンボルであるのかに関する情報は、セル特定（ｃｅｌｌ−ｓｐｅｃｉｆｉｃまたはｃｏｍｍｏｎ）ＲＲＣ信号で構成される。また、各シンボルのタイプに関する情報は、追加に特定端末（ＵＥ−ｓｐｅｃｉｆｉｃまたはｄｅｄｉｃａｔｅｄ）ＲＲＣ信号で構成される。基地局は、セル特定ＲＲＣ信号を使用し、セル特定スロット構成の周期とセル特定スロット構成の周期の最初から下りリンクシンボルのみを有するスロットの数、下りリンクシンボルのみを有するスロットの直後のスロットの最初のシンボルから下りリンクシンボルの数、セル特定スロット構成の周期の最後から上りリンクシンボルのみを有するスロットの数、及び上りリンクシンボルのみを有するスロットの直前のスロットの最後のシンボルから上りリンクシンボルの数を知らせる。ここで、上りリンクシンボルと下りリンクシンボルで構成されていないシンボルはフレキシブルシンボルである。シンボルのタイプに関する情報が特定端末ＲＲＣ信号で構成されれば、基地局は、セル特定ＲＲＣ信号でフレキシブルシンボルが下りリンクシンボルであるのか、上りリンクシンボルであるのかをシグナリングする。この際、特定端末ＲＲＣ信号は、セル特定ＲＲＣ信号で構成される下りリンクシンボルまたは上りリンクシンボルを他のシンボルのタイプに変更する。特定端末ＲＲＣ信号は、各スロットごとに該当スロットのＮｓｌｏｔｓｙｍｂシンボルのうち下りリンクシンボルの数、スロットのＮｓｌｏｔｓｙｍｂシンボルのうち上りリンクシンボルの数をシグナリングする。この際、スロットの下りリンクシンボルはスロットの最初のシンボルから連続的に構成される。また、スロットの上りリンクシンボルはスロットの最後のシンボルまで連続的に構成される。この際、スロットにおいて、上りリンクシンボルと下りリンクシンボルで構成されていないシンボルはフレキシブルシンボルである。前記ＲＲＣ信号で構成されたシンボルのタイプをセミ−スタティック（ｓｅｍｉ−ｓｔａｔｉｃ）ＤＬ／ＵＬ構成と称する。先にＲＲＣ信号で構成されたセミ−スタティックＤＬ／ＵＬ構成のフレキシブルシンボルは、ダイナミック（ｄｙｎａｍｉｃ）ＳＦＩ（ｓｌｏｔ  ｆｏｒｍａｔ  ｉｎｆｏｒｍａｔｉｏｎ）で下りリンクシンボル、上りリンクシンボル、またはフレキシブルシンボルと指示される。この際、ＲＲＣ信号で構成された下りリンクシンボルまたは上りリンクシンボルは、他のシンボルｔｙｐｅに変更されない。表１は、基地局が端末に指示するダイナミックＳＦＩを例示する。表１において、Ｄは下りリンクシンボルを、Ｕは上りリンクシンボルを、Ｘはフレキシブルシンボルを示す。表１のように、一つのスロットで最大２回のＤＬ／ＵＬスイッチング（ｓｗｉｔｃｈｉｎｇ）が許容される。
【００３７】
【表１】
2020523921.tif 000003
【００３８】
図３は、３ＧＰＰシステム（例えば、ＮＲ）に利用される物理チャンネル及び物理チャンネルを利用した一般的な信号伝送方法を説明するための図である。端末に電源が入るか端末が新たにセルに進入すれば、端末は初期セル探索（ｉｎｉｔｉａｌ  ｃｅｌｌ  ｓｅａｒｃｈ）作業を行う（Ｓ３０１）。詳しくは、端末は初期セル探索で基地局と同期を合わせる。そのために、端末は基地局から主同期信号（Ｐｒｉｍａｒｙ  Ｓｙｎｃｈｒｏｎｉｚａｔｉｏｎ  Ｓｉｇｎａｌ、ＰＳＳ）、及び副同期信号（Ｓｅｃｏｎｄａｒｙ  Ｓｙｎｃｈｒｏｎｉｚａｔｉｏｎ  Ｓｉｇｎａｌ、ＳＳＳ）を受信して基地局と同期を合わせて、セルＩＤなどの情報を獲得する。その後、端末は基地局から物理放送チャネル（Ｐｈｙｓｉｃａｌ  Ｂｒｏａｄｃａｓｔ  Ｃｈａｎｎｅｌ）を受信し、セル内放送情報を獲得する。初期セル探索を終えた端末は、物理下りリンク制御チャネル（ＰＤＣＣＨ）、及び前記ＰＤＣＣＨに載せられた情報に応じて物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を受信することで、初期セル探索を介して獲得したシステム情報より具体的なシステム情報を獲得する（Ｓ３０２）。端末が基地局に最初に接続するか信号を伝送するための無線資源がなければ、端末は基地局に対して任意接続過程（Ｒａｎｄｏｍ  Ａｃｃｅｓｓ  Ｐｒｏｃｅｄｕｒｅ）を行う（Ｓ３０３乃至Ｓ３０６）。そのために、端末はは物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介して特定シーケンスをプリアンブルに伝送し（Ｓ３０３乃至Ｓ３０５）、基地局からＰＤＣＣＨ及び対応するＰＤＳＣＨを介してプリアンブルに対する応答メッセージを受信する（Ｓ３０４及びＳ３０６）。競争基板ＲＡＣＨの場合、追加に衝突解決手順（Ｃｏｎｔｅｎｔｉｏｎ  Ｒｅｓｏｌｕｔｉｏｎ  Ｐｒｏｃｅｄｕｒｅ）を行う。上述した手順の後、端末は一般的な上り／下りリンクの信号伝送手順としてＰＤＣＣＨ／ＰＤＳＣＨを受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を伝送する（Ｓ３０８）。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ、ＤＣＩ）を受信する。ＤＣＩは、端末に対する資源割当情報のような制御情報を含む。また、ＤＣＩは、ＤＣＩの使用目的に応じてフォーマットが異なりうる。端末が上りリンクを介して基地局に伝送する、または端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００３９】
図４は、３ＧＰＰ  ＮＲシステムにおける初期セル接続のためのＳＳ／ＰＢＣＨブロックに関する図である。
端末は電源が入るか新たにセルに接続しようとする際、セルとの時間及び周波数同期を獲得してセル探索（ｉｎｉｔｉａｌ  ｃｅｌｌ  ｓｅａｒｃｈ）過程を行う。端末はセル探索過程で、セルの物理セル識別子（ｐｈｙｓｉｃａｌ  ｃｅｌｌ  ｉｄｅｎｔｉｔｙ）ＮｃｅｌｌＩＤを検出（ｄｅｔｅｃｔ）する。そのために、端末は基地局から同期信号、例えばＰＳＳ、及び服同期信号ＳＳＳを受信し、基地局と同期を合わせる。この際、端末はセル識別子（ｉｄｅｎｔｉｔｙ、ＩＤ）などの情報を獲得する。図4（ａ）を参照して、同期信号（ｓｙｎｃｈｒｏｎｉｚａｔｉｏｎ  ｓｉｇｎａｌ）をより詳しく説明する。同期信号はＰＳＳとＳＳＳに区分される。ＰＳＳは、ＯＦＤＭシンボル同期、スロット同期などのような時間ドメイン同期、及び／または周波数ドメイン同期を得るために使用される。ＳＳＳは、フレーム同期、セルグループＩＤを得るために使用される。図４（ａ）と表１を参照すると、ＳＳ／ＰＢＣＨブロックは周波数軸に２０ＲＢｓ（＝２４０サブキャリア）で構成され、時間軸に４ＯＦＤＭシンボルで構成される。ここで、ＳＳ／ＰＢＣＨブロックにおいて、最初のＯＦＤＭシンボル、ＳＳＳは３番目のＯＦＤＭシンボルで５６、５７、・・・１８２サブキャリアから伝送される。ここで、ＳＳ／ＰＢＣＨブロックの最も低いサブキャリアインデックスを０からつける。ＰＳＳが伝送する最初のＯＦＤＭシンボルにおいて、残りのサブキャリア、つまり、０、１、・・・５５、１８３、１８４、・・・２３９サブキャリアは基地局が信号を伝送しない。ＳＳＳが伝送する３番目ＯＦＤＭシンボルにおいて、４８、４９、・・・５５、１８３、１８４、・・・１９１サブキャリアは基地局が信号を伝送しない。基地局は、ＳＳ／ＰＢＣＨブロックにおいて前記信号を除いた残りのＲＥにはＰＢＣＨ信号を伝送する。
【００４０】
【表２】
2020523921.tif 000004
【００４１】
ＳＳは、３つのＰＳＳと３３６個のＳＳの組み合わせを介し、計１００８個の固有な物理階層セル識別子（ｐｈｙｓｉｃａｌ  ｌａｙｅｒ  ｃｅｌｌ  ＩＤ）を示す。詳しくは、物理階層セルＩＤは、各物理階層セルＩＤがたった一つの物理−階層セル−識別子グループの部分になるように、各グループが３つの固有な識別子を含む３３６個の物理−階層セル−識別子グループにグルーピングされる。よって、物理階層セル識別子ＮｃｅｌｌＩＤ＝３Ｎ（１）ＩＤ＋Ｎ（２）ＩＤは、物理−階層セル−識別子グループを示す０から３３５までの範囲内の番号Ｎ（１）ＩＤと、物理−階層セル−識別子グループ内の前記物理−階層セル−識別子を示す０から２までの番号Ｎ（２）ＩＤによて固有に定義される。端末はＰＳＳを検出し、３つの固有な物理−階層セル−識別子のう一つを識別する。また、端末はＳＳＳを検出し、前記物理−階層セル−識別子に関する３３６個の物理階層セルＩＤのうち一つを識別する。ＰＳＳ信号は以下のようである。
【００４２】
【数１】
2020523921.tif 000005
【００４３】
ここで、
x(i+7)=(x(i+4)+x(i))mod2
であり、
[x(6) x(5) x(4) x(3) x(2) x(1) x(0)]=[1 1 1 0 1 1 0]
で与えられる。ＳＳＳは以下のようである。
【００４４】
【数２】
2020523921.tif 000006
【００４５】
ここで、
x0(i+7)=(x0(i+4)+x0(i))mod2
x1(i+7)=(x1(i+1)+x1(i))mod2
であり、
[x0(6) x0(5) x0(4) x0(3) x0(2) x0(1) x0(0)]=[0 0 0 0 0 0 1]
[x1(6) x1(5) x1(4) x1(3) x1(2) x1(1) x1(0)]=[0 0 0 0 0 0 1]
で与えられる。
【００４６】
１０ｍｓデュレーションを有する無線フレームは、５ｍｓデュレーションを有する２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、Ｃａｓｅ  Ａ、Ｂ、Ｃ、Ｄ、Ｅのうちいずれか一つである。Ｃａｓｅ  Ａにおいて、サブキャリア間隔は１５ｋＨｚであり、ＳＳ／ＰＢＣＨブロックの開始地点は｛２、８｝＋１４＊ｎシンボルである。この際、３ＧＨｚ以下のキャリア周波数において、ｎ＝０、１である。３ＧＨｚ超過６ＧＨｚ以下において、ｎ＝０、１、２、３である。Ｃａｓｅ  Ｂにおいて、サブキャリア間隔は３０ｋＨｚであり、ＳＳ／ＰＢＣＨブロックの開始地点は｛４、８、１６、２０｝＋２８＊ｎである。この際、３ＧＨｚ以下のキャリア周波数において、ｎ＝１である。３ＧＨｚ超過６ＧＨｚ以下において、ｎ＝０、１である。Ｃａｓｅ  Ｃにおいて、サブキャリア間隔は３０ｋＨｚであり、ＳＳ／ＰＢＣＨブロックの開始地点は｛２、８｝＋１４＊ｎである。この際、３ＧＨｚ以下のキャリア周波数において、ｎ＝０、１である。３ＧＨｚ超過６ＧＨｚ以下において、ｎ＝０、１、２、３である。Ｃａｓｅ  Ｄにおいて、サブキャリア間隔は１２０ｋＨｚであり、ＳＳ／ＰＢＣＨブロックの開始地点は｛４、８、１６、２０｝＋２８＊ｎである。この際、６ＧＨｚ以上のキャリア周波数において、ｎ＝０、１、２、３、５、６、７、８、１０、１１、１２、１３、１５、１６、１７、１８である。Ｃａｓｅ  Ｅにおいて、サブキャリア間隔は２４０ｋＨｚであり、ＳＳ／ＰＢＣＨブロックの開始地点は｛８、１２、１６、２０、３２、３６、４０、４４｝＋５６＊ｎである。この際、６ＧＨｚ以上のキャリア周波数において、ｎ＝０、１、２、３、５、６、７、８である。
【００４７】
図５は、３ＧＰＰ  ＮＲシステムにおける制御情報及び制御チャネル伝送のための手順に関する。図５（ａ）を参照すると、基地局は制御情報（例えば、ＤＣＩ）にＲＮＴＩ（Ｒａｄｉｏ  Ｎｅｔｗｏｒｋ  Ｔｅｍｐｏｒａｒｙ  Ｉｄｅｎｔｉｆｉｅｒ）でマスク（例えば、ＸＯＲ演算）されたＣＲＣ（Ｃｙｃｌｉｃ  Ｒｅｄｕｎｄａｎｃｙ  Ｃｈｅｃｋ）を付加する（Ｓ５０２）。基地局は、各制御情報の目的／対象によって決定されるＲＮＴＩ値でＣＲＣをスクランブルする。一つ以上の端末が使用する共通ＲＮＴＩは、ＳＩ−ＲＮＴＩ（Ｓｙｓｔｅｍ  Ｉｎｆｏｒｍａｔｉｏｎ  ＲＮＴＩ）、Ｐ−ＲＮＴＩ（Ｐａｇｉｎｇ  ＲＮＴＩ）、ＲＡ−ＲＮＴＩ（Ｒａｎｄｏｍ  Ａｃｃｅｓｓ  ＲＮＴＩ）、及びＴＰＣ−ＲＮＴＩ（Ｔｒａｎｓｉｔ  Ｐｏｗｅｒ  Ｃｏｎｔｒｏｌ  ＲＮＴＩ）のうち少なくともいずれか一つを含む。また、端末−特定ＲＮＴＩは、Ｃ−ＲＮＴＩ（Ｃｅｌｌ  ｔｅｍｐｏｒａｒｙ  ＲＮＴＩ）、及びＳＰＳ  Ｃ−ＲＮＴＩ（Ｓｅｍｉ−Ｐｅｒｓｉｓｔｅｎｔ  Ｓｃｈｅｄｕｌｉｎｇ）のうち少なくともいずれか一つを含む。次に、基地局はチャネル符号化（例えば、ｐｏｌａｒ  ｃｏｄｉｎｇ）を行った（Ｓ５０４）後、ＰＤＣＣＨ伝送のために使用された資源（ら）の量に合わせてレートマッチング（ｒａｔｅ−ｍａｔｃｈｉｎｇ）を行う（Ｓ５０６）。次に、基地局はＣＣＥ（Ｃｎｔｒｏｌ  Ｃｈａｎｎｅｌ  Ｅｌｅｍｅｎｔ）基板のＰＤＣＣＨ構造に基づいてＤＣＩ（ら）を多重化した後（Ｓ５０８）、多重化されたＤＣＩ（ら）に対して追加過程（例えば、スクランブリング、モジュレーション（例えば、ＱＰＳＫ）、インターリンク）（Ｓ９１０）を適用してから、伝送しようとする資源にマッピングする。ＣＣＥはＰＤＣＣＨのための基本資源単位であり、一つのＣＣＥは複数（例えば、６個）のＲＥＧ（Ｒｅｓｏｕｒｃｅ  Ｅｌｅｍｅｎｔ  Ｇｒｏｕｐ）からなる。一つのＲＥＧは複数（例えば、１２個）のＲＥからなる。一つのＰＤＣＣＨのために使用されたＣＣＥの個数をアグリゲーションレベルと定義する。３ＧＰＰ  ＮＲシステムにおいては、１、２、４、８、１６を使用する。図５（ｂ）はＣＣＥアグリゲーションレベルとＰＤＣＣＨの多重化に関する図であり、一つのＰＤＣＣＨのために使用されたＣＣＥアグリゲーションレベルの種類とそれによる制御領域から伝送されるＣＣＥ（ら）を示す。
【００４８】
図６は、３ＧＰＰ  ＮＲシステムにおけるＰＤＣＣＨが伝送されるＣＯＲＥＳＥＴを示す図である。
ＣＯＲＥＳＥＴは、端末の制御信号であるＰＤＣＣＨが伝送される時間−周波数資源である。図６を参照して、端末はすべての周波数帯域を受信してＰＤＣＣＨ」複合を試みるのではなく、ＣＯＲＥＳＥＴと定義された時間−周波数資源のみを受信し、ＣＯＲＥＳＥＴ内にマッピングされているＰＤＣＣＨを複合する。基地局は、端末にセルごとに一つまたは複数個のＣＯＲＥＳＥＴを構成する。ＣＯＲＥＳＥＴは、時間軸に最大３つまで連続したシンボルからなる。また、ＣＯＲＥＳＥＴは周波数軸に６ＰＲＢｓ単位で連続にまたは不連続に構成される。図５の実施例において、ＣＯＲＥＳＥＴ＃１は連続したＰＲＢからなり、ＣＯＲＥＳＥＴ＃２とＣＯＲＥＳＥＴ＃３は不連続のＰＲＢからなる。ＣＯＲＥＳＥＴはスロット内にいかなるシンボルにも位置し得る。例えば、図５のＣＯＲＥＳＥＴ＃１はスロットの最初のシンボルから始まり、ＣＯＲＥＳＥＴ＃２はスロットの５番目のシンボルから始まり、ＣＯＲＥＳＥＴ＃９はスロットの９番目のシンボルから始まる。
【００４９】
図７は、３ＧＰＰ  ＮＲシステムにおけるＰＤＣＣＨ探索空間（ｓｅａｒｃｈ  ｓｐａｃｅ）の設定に関する図である。端末にＰＤＣＣＨを伝送するために、各ＣＯＲＥＳＥＴには少なくとも一つ以上の探索空間が存在する。本発明において、探索空間とは、端末のＰＤＣＣＨが伝送され得る全ての時間−周波数資源（以下、ＰＤＣＣＨ候補（ｃａｎｄｉｄａｔｅ））の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特定探索空間（Ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間は、同一基地局に属するセルにおける全ての端末が共通に探すように設定されているＰＤＣＣＨをモニタリングするように設定されており、端末−特定探索空間は、端末に応じて異なる探索空間位置において、各端末に割り当てられたＰＤＣＣＨをモニタリングするように端末ごとに設定されている。端末−特定探索空間は、ＰＤＣＣＨに割り当てられ得る制限された制御領域により、端末間探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現するか、成功的に検出／受信されなかったと表現する。
【００５０】
説明の便宜上、一つ以上の端末に上りリンクスケジューリング情報または下りリンクスケジューリング情報を伝送するために、既に知っているグループ共通（ｇｒｏｕｐ  ｃｏｍｍｏｎ、ＧＣ）ＲＮＴＩ（ｏｒ  ｃｏｍｍｏｎ  ｃｏｎｔｒｏｌ  ＲＮＴＩ、ＣＣ−ＲＮＴＩ）でスクランブルされたＰＤＣＣＨを（端末）グループ共通（（ＵＥ）ｇｒｏｕｐ  ｃｏｍｍｏｎ、ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定（ｕｓｅｒ−ｓｐｅｃｉｆｉｃ、ＵＳ）ＰＤＣＣＨと称する。
【００５１】
ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）の資源割当（ＤＬ  Ｇｒａｎｔ）に関する情報、ＵＬ−ＳＣＨの資源割当（Ｕｐｌｉｎｋ  Ｇｒａｎｔ）、ＨＡＲＱ情報のうち少なくともいずれか一つを各端末または端末グループに知らせる。基地局は、ＰＣＨ伝送ブロック及びＤＬ−ＳＣＨ伝送ブロックをＰＤＳＣＨを介して伝送する。基地局は、特定の制御情報または特定のサービスデータを除いたデータをＰＤＳＣＨを介して伝送する。また、端末は、特定の制御情報または特定のサービスデータを除いたデータをＰＤＳＣＨを介して受信する。
【００５２】
基地局はＰＤＳＣＨのデータがどの端末（一つまたは複数の端末）に伝送されるのか、該当端末がいかにＰＤＳＣＨを受信しデコーディング（ｄｅｃｏｄｉｎｇ）すべきであるのかに関する情報をＰＤＣＣＨに含ませて伝送する。例えば、特定ＰＤＣＣＨが「Ａ」というＲＮＴＩでＣＲＣマスキングされており、「Ｂ」という無線資源（例えば、周波数位置）、及び「Ｃ」というＤＣＩフォーマット、つまり、伝送形式情報（例えば、伝送ブロックのサイズ、変調方式、コーディング情報）などを利用して伝送されるデータに関する情報が特定サブフレームを介して伝送されると仮定する。この場合、セル内の端末は自ら有するＲＮＴＩ情報を利用してＰＤＣＣＨをモニタリングし、「Ａ」ＲＮＴＩを有する一つ以上の端末があれば、該当端末はＰＤＣＣＨを受信し、受信したＰＤＣＣＨの情報を介して「Ｂ」と「Ｃ」によって指示されるＰＤＳＣＨを受信する。
表２は、無線通信システムで使用されるＰＵＣＣＨ（ｐｈｙｓｉｃａｌ  ｕｐｌｉｎｋ  ｃｏｎｔｒｏｌ  ｃｈａｎｎｅｌ）に関する。
【００５３】
【表３】
2020523921.tif 000007
【００５４】
ＰＵＣＣＨは、以下の制御情報を伝送するのに使用される。
−ＳＲ（Ｓｃｈｅｄｕｌｉｎｇ  Ｒｅｑｕｅｓｔ）：上りリンクＵＬ−ＳＣＨ資源を要請するのに使用される情報である。
【００５５】
−ＨＡＲＱ−ＡＣＫ：（ＤＬ  ＳＰＳ  ｒｅｌｅａｓｅを指示する）ＰＤＣＣＨに対する応答、及び／またはＰＤＳＣＨ上の下りリンクデータパケットに対する応答である。ＰＤＣＣＨ或いはＰＤＳＣＨが成功的に受信されたのか否かを示す。ＨＡＲＱ−ＡＣＫ応答は、ポジティブＡＣＫ（簡単にＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）、またはＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと混用される。一般に、ＡＣＫは１に対応して表現に、ＮＡＣＫは０に対応して表現する。
【００５６】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。基地局が伝送するＣＳＩ−ＲＳ（Ｒｅｆｅｒｅｎｃｅ  Ｓｉｇｎａｌ）に基づいて端末が生成する。ＭＩＭＯ（Ｍｕｌｔｉ  Ｉｎｐｕｔ  Ｍｕｌｔｉ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。ＣＳＩは、ＣＳＩが示す情報に応じてＣＳＩパート（ｐａｒｔ）１とＣＳＩパート２に分けられる。
【００５７】
３ＧＰＰ  ＮＲシステムにおいては、多様なサービスシナリオ、多様なチャネル環境、及びフレーム構造を支援するために５つのＰＵＣＣＨフォーマットが使用される。
【００５８】
ＰＵＣＣＨ  ｆｏｒｍａｔ０は、１ビットまたは２ビットのＨＡＲＱ−ＡＣＫ情報を伝達するフォーマットである。ＰＵＣＣＨ  ｆｏｒｍａｔ０は、時間軸に１ＯＦＤＭシンボルまたは２ＯＦＤＭシンボル、周波数軸に１ＰＲＢを介して伝送される。ＰＵＣＣＨ  ｆｏｒｍａｔ０が２ＯＦＤＭシンボルで伝送されれば、２つのシンボルに同じシーケンスが異なるＰＲＢで伝送される。これを介して、端末は周波数ダイバーシティゲイン（ｄｉｖｅｒｓｉｔｙ  ｇａｉｎ）を得る。より詳しくは、端末は、Ｍｂｉｔ  ｂｉｔｓ  ＵＣＩ（Ｍｂｉｔ＝１  ｏｒ  ２）によってサイクリックシフト（ｃｙｃｌｉｃ  ｓｈｉｆｔ）の値ｍｃｓを決定し、長さ１２のベースシーケンス（ｂａｓｅ  ｓｅｑｕｅｎｃｅ）を決められた値ｍｃｓでサイクリックシフトしたシーケンスを、１ＯＦＤＭシンボルの１ＰＲＢの１２ＲＥｓにマッピングして伝送する。端末が使用可能なサイクリックシフトの数が１２個で、Ｍｂｉｔ＝１であれば、端末がＵＣＩ０とＵＣＩ１を伝送する際、端末は２つのサイクリックシフトの値の差を６に配置する。また、Ｍｂｉｔ＝２で、端末がＵＣＩ００、ＵＣＩ０１、ＵＣＩ１１、ＵＣＩ１０を伝送すれば、端末は４つのサイクリックシフトの値の差を３に配置する。
【００５９】
ＰＵＣＣＨ  ｆｏｒｍａｔ１は、１ビットまたは２ビットのＨＡＲＱ−ＡＣＫ情報を伝達する。ＰＵＣＣＨ  ｆｏｒｍａｔ１は、時間軸に連続したＯＦＤＭシンボルと周波数軸に１ＰＲＢで伝送される。ここで、ＰＵＣＣＨ  ｆｏｒｍａｔ１が占めるＯＦＤＭシンボルの数は、４、５、６、７、８、９、１０、１１、１２、１３、及び１４のうち一つである。より詳しくは、Ｍｂｉｔ＝１  ＵＣＩはＢＰＳＫモジュレーションされる。端末はＭｂｉｔ＝２  ＵＣＩをＱＰＳＫ（Ｑｕａｎｄｒａｔｕｒｅ  Ｐｈａｓｅ  Ｓｈｉｆｔ  Ｋｅｙｉｎｇ）モジュレーションして複素数シンボル（ｃｏｍｐｌｅｘ  ｖａｌｕｅｄ  ｓｙｍｂｏｌ）ｄ（０）を生成し、生成したｄ（０）は長さ１２のシーケンスをかけて信号を得る。端末は、得られた信号をＰＵＣＣＨ  ｆｏｒｍａｔ１が割り当てられた偶数番目のＯＦＤＭシンボルに時間軸ＯＣＣ（ｏｒｔｈｏｇｏｎａｌ  ｃｏｖｅｒ  ｃｏｄｅ）でスプレディング（ｓｐｒｅａｄｉｎｇ）して伝送する。ＰＵＣＣＨ  ｆｏｒｍａｔ１は、使用するＯＣＣの長さに応じて同じＰＲＢに多重化される異なる端末の最大数が決定される。ＰＵＣＣＨ  ｆｏｒｍａｔ１の帰趨番目のＯＦＤＭシンボルには、ＤＭＲＳ（Ｄｅｍｏｄｕｌａｔｉｏｎ  ＲＳ）がＯＣＣにスプレディングされてマッピングされる。
【００６０】
ＰＵＣＣＨ  ｆｏｒｍａｔ２は、２ビットを超過するＵＣＩ（Ｕｐｌｉｎｋ  Ｃｏｎｔｒｏｌ  Ｉｎｆｏｒｍａｔｉｏｎ）を伝送する。ＰＵＣＣＨ  ｆｏｒｍａｔ２は、時間軸に１ＯＦＤＭシンボルまたは２ＯＦＤＭシンボル、周波数軸に１ＰＲＢで伝送される。ＰＵＣＣＨ  ｆｏｒｍａｔ２が２つのＯＦＤＭシンボルで伝送されれば、２つのＯＦＤＭシンボルを介して同じシーケンスが異なるＰＲＢで伝送される。これを介して、端末は周波数ダイバーシティゲインを得る。より詳しくは、Ｍｂｉｔ  ｂｉｔｓ  ＵＣＩ（Ｍｂｉｔ＞２）はビット−レベルスクランブルされ、ＱＰＳＬモジュレーションされてＯＦＤＭシンボルのＰＲＢ（ｓ）にマッピングされる。ここで、ＰＲＢの数は１、２、・・・、１６のうちいずれか一つである。
【００６１】
ＰＵＣＣＨ  ｆｏｒｍａｔ３またはＰＵＣＣＨ  ｆｏｒｍａｔ４は、２ビットを超過するＵＣＩを伝達する。ＰＵＣＣＨ  ｆｏｒｍａｔ３またはＰＵＣＣＨ  ｆｏｒｍａｔ４は、時間軸に連続したＯＦＤＭシンボルと周波数軸に１ＰＲＢを介して伝送される。ＰＵＣＣＨ  ｆｏｒｍａｔ３またはＰＵＣＣＨ  ｆｏｒｍａｔ４が占めるＯＦＤＭシンボルの数は、４、５、６、７、８、９、１０、１１、１２、１３、及び１４のうち一つである。詳しくは、端末は、Ｍｂｉｔ  ｂｉｔｓ  ＵＣＩ（Ｍｂｉｔ＞２）をπ／２−ＢＰＳＫ（Ｂｉｎａｒｙ  Ｐｈａｓｅ  Ｋｅｙｉｎｇ）またはＱＰＳＫでモジュレーションし、複素数シンボルｄ（０）、・・・、ｄ（Ｍｓｙｍｂ−１）を生成する。端末は、ＰＵＣＣＨ  ｆｏｒｍａｔ３にｂｌｏｃｋ−ｗｉｓｅスプレディングを適用しない。但し、端末はＰＵＣＣＨ  ｆｏｒｍａｔ４が２つ或いは４つの多重化容量（ｍｕｌｔｉｐｌｅｘｉｎｇ  ｃａｐａｃｉｔｙ）を有するよう、ｌｅｎｇｔｈ−１２のＰｒｅＤＦＴ−ＯＣＣを使用して１ＲＢ（１２  ｓｕｂｃａｒｒｉｅｒ）にｂｌｏｃｋ−ｗｉｓｅスプレディングを適用する。端末はスプレディングされた信号を伝送プレコーティング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【００６２】
この際、ＰＵＣＣＨ  ｆｏｒｍａｔ２、ＰＵＣＣＨ  ｆｏｒｍａｔ３、またはＰＵＣＣＨ  ｆｏｒｍａｔ４が占めるＰＲＢの数は、端末が伝送するＵＣＩの長さと最大コードレート（ｃｏｄｅ  ｒａｔｅ）に応じて決定される。端末がＰＵＣＣＨ  ｆｏｒｍａｔ２を使用すれば、端末はＰＵＣＣＨを介してＨＡＲＱ−ＡＣＫ情報、ＣＳＩ情報を共に伝送する。もし端末が伝送し得るＰＲＢの数がＰＵＣＣＨ  ｆｏｒｍａｔ２、ＰＵＣＣＨ  ｆｏｒｍａｔ３、またはＰＵＣＣＨ  ｆｏｒｍａｔ４が使用可能な最大のＰＲＢの数より大きければ、端末はＵＣＩ情報の優先順位に応じて一部のＵＣＩ情報は伝送せず、残りのＵＣＩ情報のみを伝送する。
【００６３】
ＰＵＣＣＨ  ｆｏｒｍａｔ１、ＰＵＣＣＨ  ｆｏｒｍａｔ３、またはＰＵＣＣＨ  ｆｏｒｍａｔ４がスロット内で周波数ホッピング（ｆｒｅｑｕｅｎｃｙ  ｈｏｐｐｉｎｇ）を指示するよう、ＲＲＣ信号を介して構成される。周波数ホッピングが構成される際、周波数ホッピングするＰＲＢインデックスはＲＲＣ信号で構成（ｃｏｎｆｉｇｕｒｅｄ）される。ＰＵＣＣＨ  ｆｏｒｍａｔ１、ＰＵＣＣＨ  ｆｏｒｍａｔ３、またはＰＵＣＣＨ  ｆｏｒｍａｔ４が時間軸でＮ番目のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌｉｎｇ（Ｎ／２）個のＯＦＤＭシンボルを有する。
【００６４】
ＰＵＣＣＨ  ｆｏｒｍａｔ１、ＰＵＣＣＨ  ｆｏｒｍａｔ３、またはＰＵＣＣＨ  ｆｏｒｍａｔ４は、複数のスロットに繰り返し伝送されるように構成される。この際、ＰＵＣＣＨが繰り返し伝送されるスロットの個数Ｋは、ＲＲＣ信号によって構成される。繰り返し伝送されるＰＵＣＣＨは、各スロット内で同じ位置のＯＦＤＭシンボルから始まり、同じ長さを有すべきである。端末がＰＵＣＣＨを伝送すべきスロットのＯＦＤＭシンボルのう一つのＯＦＤＭシンボルでもＲＲＣ信号でＤＬシンボルと指示されれば、端末は該当スロットでＰＵＣＣＨを伝送せず、次のスロットに伸ばして伝送する。
【００６５】
３ＧＰＰ  ＮＲシステムにおいて、端末はキャリア（またはセル）の帯域幅より小さいか同じ帯域幅を利用して送受信を行う。そのために、端末はキャリアの帯域幅のうち一部の連続した帯域幅からなるＢａｎｄｗｉｄｔｈ  ｐａｒｔ（ＢＷＰ）を構成される。ＴＤＤによって動作するかまたはアンペアドスペクトル（ｕｎｐａｉｒｅｄ  ｓｐｅｃｔｒｕｍ）で動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤによって動作するかまたはペアドスペクトル（ｐａｉｒｅｄ  ｓｐｅｃｔｒｕｍ）で動作する端末は、下りリンクキャリア（またはセル）に最大４つのＤＬ  ＢＷＰｓを構成され、上りリンクキャリア（またはセル）に最大４つのＵＬ  ＢＷＰｓを構成される。端末は、各キャリア（またはセル）ごとに一つのＤＬ  ＢＷＰとＵＬ  ＢＷＰを活性化する。端末は、活性化されたＢＷＰ以外の時間−周波数資源で受信するかそう試飲しない。活性化されたＢＷＰをアクティブＢＷＰと称する。
【００６６】
基地局は、端末が一つのＢＷＰから他のＢＷＰに移動することをＤＣＩを利用して指示する。端末が一つのＢＷＰから他のＢＷＰに移動することは、端末が使用するＢＷＰを非活性化し、新しいＢＷＰを活性化することを示す。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（Ｂａｎｄｗｉｄｔｈ  ｐａｒｔ  ｉｎｄｉｃａｔｏｒ）を含ませる。端末はＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるためにＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるためにＰＤＳＣＨをスケジューリングするＤＣＩに活性化されるＢＷＰを指示するＢＰＩを含ませる。
以下では、キャリアアグリゲーション技法について説明する。図６は、キャリアアグリゲーションを説明する概念図である。
【００６７】
キャリアアグリゲーションは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用し、一つの大きい論理周波数帯域として使用する方法を意味する。以下では、説明の便宜上、コンポーネントキャリアという用語に統一する。
【００６８】
図８を参照すると、３ＧＰＰ  ＮＲシステムの一例として、全体のシステム帯域は最大１６個のコンポーネントキャリアを含むが、それぞれのコンポーネントキャリアは最大４００ＭＨｚの帯域幅を有する。コンポーネントキャリアは、物理的に連続した一つ以上の連続したサブキャリアを含む。図８ではそれぞれのコンポーネントキャリアがいずれも同じ帯域幅を有すると示しているが、これは例示に過ぎず、それぞれのコンポーネントキャリアは異なる帯域幅を有してもよい。また、それぞれのコンポーネントキャリア周波数軸で互いに隣接していると示しているが、前記図面は論理的外面で示されたものであって、それぞれのコンポーネントキャリアは物理的に互いに隣接してもよく、離れていてもよい。
【００６９】
それぞれのコンポーネントキャリアにおいて、異なる中心キャリア（ｃｏｎｔｅｒ  ｆｒｅｑｕｅｎｃｙ）が使用される。また、物理的に隣接したコンポーネントキャリアにおいて、共通した一つの中心キャリアが使用される。図８の実施例において、全てのコンポーネントキャリアが物理的に隣接していると仮定すれば、全てのコンポーネントキャリアに中心キャリアＡが使用される。また、それぞれのコンポーネントキャリアが物理的に隣接していない場合を仮定すれば、コンポーネントキャリアそれぞれにおいて中心キャリアＡ、中心キャリアＢが使用される。
【００７０】
キャリアアグリゲーションで全体のシステム帯域が拡張されていれば、各端末との通信に使用される周波数帯域はコンポーネントキャリア単位に定義される。端末Ａは全体のシステム帯域である１００ＭＨｚを使用可能で、５つのコンポーネントキャリアを全て使用して通信を行う。端末Ｂ１〜Ｂ５は２０ＭＨｚの帯域幅のみを使用可能で、一つのコンポーネントキャリアを使用して通信を行う。端末Ｃ１及びＣ２は４０ＭＨｚの帯域幅のみを使用可能で、それぞれ２つのコンポーネントキャリアを使用して通信を行う。２つのコンポーネントキャリアは、論理／物理的に隣接するか隣接しない。端末Ｃ１は隣接していない２つのコンポーネントキャリアを使用する場合を示し、端末Ｃ２は隣接した２つのコンポーネントキャリアを使用する場合を示す。
【００７１】
図９は、単一キャリア通信と多重キャリア通信を説明するための図である。特に、図９（ａ）は端末キャリアのサブフレーム構造を示し、図９（ｂ）は多重キャリアのサブフレーム構造を示す。
【００７２】
図９（ａ）を参照すると、一般的な無線通信システムは、一つのＤＬ帯域とそれに対応する一つのＵＬ帯域を介してデータの伝送或いは受信を行う（周波数分割デュプレックス（ｆｒｅｑｕｅｎｃｙ  ｄｉｖｉｓｉｏｎ  ｄｕｐｌｅｘ、ＦＤＤ）モードの場合）。他の具体的な実施例において、無線通信システムは、無線フレーム（ｒａｄｉｏ  ｆｒａｍｅ）を時間ドメイン（ｔｉｍｅ  ｄｏｍａｉｎ）で上りリンク時間ユニットと下りリンク時間ユニットに区分し、上り／下りリンク時間ユニットを介してデータの伝送或いは受信を行う（時分割デュプレックス（ｔｉｍｅ  ｄｉｖｉｓｉｏｎ  ｄｕｐｌｅｘ、ＴＤＤ）モードの場合）。図９（ｂ）を参照すると、ＵＬ及びＤＬにそれぞれ３つの２０ＭＨｚ  ＣＣが集められて６０ＭＨｚの帯域幅が支援される。それぞれのＣＣは周波数ドメインで互いに隣接するか非隣接する。図９（ｂ）は便宜上ＵＬ  ＣＣの帯域幅とＤＬ  ＣＣの帯域幅がいずれも同じで対称な場合を示しているが、各ＣＣの帯域幅は独立して決められてもよい。また、ＵＬ  ＣＣの個数とＤＬ  ＣＣの個数が異なる非対称のキャリアアグリゲーションも可能である。ＲＲＣを介して特定ＵＥに限定されたＤＬ／ＵＬ  ＣＣを特定ＵＬにおける構成された（ｃｏｎｆｉｇｕｒｅｄ）サービング（ｓｅｒｖｉｎｇ）ＵＬ／ＤＬ  ＣＣと称する。
【００７３】
基地局は端末に構成されたサービングＣＣのうち一部または全部を活性化（ａｃｔｉｖａｔｅ）するか、一部のＣＣを非活性化（ｄｅａｃｔｉｖｅ）することで、端末との通信に使用する。基地局は活性化／非活性化されるＣＣを変更し、活性化／非活性化されるＣＣの個数を変更する。基地局が端末に利用可能なＣＣをセル−特定或いは端末−特定に割り当てると、端末に対するＣＣ割当が全面的に再構成されるか端末がハンドオーバー（ｈａｎｄｏｖｅｒ）しない限り、いったん割り当てられたＣＣのうち少なくとも一つは非活性化されない。端末に非活性化されない一つのＣＣを主ＣＣ（Ｐｒｉｍａｒｙ  ＣＣ、ＰＣＣ）と称し、基地局が自由に活性化／非活性化するＣＣを副ＣＣ（Ｓｅｃｏｎｄａｒｙ  ＣＣ、ＳＣＣ）と称する。ＰＣＣとＳＣＣは制御情報を基準に区分されてもよい。例えば、特定の制御情報は特定のＣＣを介してのみ送受信されるように設定されるが、このような特定ＣＣをＰＣＣと称し、残りのＣＣ（ら）をＳＣＣ（ｓ）と称してもよい。
【００７４】
一方、３ＧＰＰ  ＮＲは無線資源を管理するためにセル（Ｃｅｌｌ）の概念を使用する。セルとは、下りリンク資源（ＤＬ  ｒｅｓｏｕｒｃｅｓ）と上りリンク資源（ＵＬ  ｒｅｓｏｕｒｃｅｓ）の組み合わせ、つまり、ＤＬ  ＣＣとＵＬ  ＣＣの組み合わせで定義される。セルは、ＤＬ資源単独、またはＤＬ資源とＵＬ資源の組み合わせからなる。キャリアアグリゲーションが支援されれば、ＤＬ資源（または、ＤＬ  ＣＣ）のキャリア周波数（ｃａｒｒｉｅｒ  ｆｒｅｑｕｅｎｃｙ）とＵＬ資源（または、ＵＬ  ＣＣ）のキャリア周波数との間のリンケージ（ｌｉｎｋａｇｅ）はシステム情報によって指示される。RRC_CONNECTED状態にあるが、キャリアアグリゲーションが設定されていないかキャリアアグリゲーションを支援しないＵＥの場合、ＰＣｅｌｌでのみ構成されたサービングセルがたった一つ存在する。
【００７５】
上述したように、キャリアアグリゲーションで使用されるセル（Ｃｅｌｌ）という用語は、一つの基地局或いは一つのアンテナグループによって通信サービスが提供される一定地理的領域を指すセル（Ｃｅｌｌ）という用語と区分される。一定地理的領域を指す（Ｃｅｌｌ）とキャリアアグリゲーションのセル（Ｃｅｌｌ）を区分するために、本発明ではキャリアアグリゲーションのセル（Ｃｅｌｌ）をＣＣと称し、地理的領域のセル（Ｃｅｌｌ）をセル（Ｃｅｌｌ）と称する。
【００７６】
図１０は、クロスキャリアスケジューリング技法が適用される例を示す図である。特に、図１０では割り当てられたセル（または、コンポーネントキャリア）の個数は３っつであって、上述したようにＣＩＦを利用してクロスキャリアスケジューリング技法が行われる。ここで、下りリンクセル＃０は下りリンク主コンポーネントキャリア（つまり、Ｐｒｉｍａｒｙ  Ｃｅｌｌ、ＰＣｅｌｌ）と仮定し、残りのコンポーネントキャリア＃１及びコンポーネントキャリア＃２は副コンポーネントキャリア（つまり、Ｓｅｃｏｎｄａｒｙ  Ｃｅｌｌ、ＳＣｅｌｌ）と仮定する。
【００７７】
本発明では、端末がキャリアアグリゲーション動作を行う途中で主コンポーネントキャリア（ｐｒｉｍａｒｙ  ｃｏｍｐｏｎｅｎｔ  ｃａｒｒｉｅｒ或いはＰｒｉｍａｒｙ  Ｃｅｌｌ或いはＰＣｅｌｌ）または副コンポーネントキャリア（ｓｅｃｏｎｄａｒｙ  ｃｏｍｐｏｎｅｎｔ  ｃａｒｒｉｅｒ或いはＳＣｅｌｌ）に対する上りリンク資源の効果的な管理方法を提案する。以下では、端末が２つのコンポーネントキャリアを併合して動作する場合を説明するが、３つ以上のコンポーネントキャリアを併合する場合にも適用可能であることは自明である。
【００７８】
図９乃至図１０は３ＧＰＰ  ＬＴＥ−Ａシステムのサブフレーム構造を中心に例示しているが、３ＧＰＰ  ＮＲシステムにも適用可能である。３ＧＰＰ  ＮＲシステムにおいて、図９乃至ず１０のサブフレームはスロットに代替されてもよい。
【００７９】
以下、本発明について説明する。説明を理解を助けるために、それぞれの内容を別途に実施例と区分して説明するが、それぞれの実施例は互いに組み合わせられて使用されてもよい。
【００８０】
図１１は、本発明の一実施例による端末と基地局の構成をそれぞれ示すブロック図である。
図示したように、本発明の一実施例による端末１００は、プロセッサ１１０、通信部１２０、メモリ１３０、ユーザインタフェース部１４０、及びディスプレーユニット１５０を含む。
【００８１】
まず、プロセッサ１１０は多様な命令またはプログラムを実行し、端末１００内部のデータをプロセッシングする。また、プロセッサ１００は端末１００の各ユニットを含む全体の動作を制御し、ユニット間のデータの送受信の制御する。ここで、プロセッサ１１０は、本発明で説明した実施例による動作を行うように構成される。例えば、プロセッサ１１０はスロット構成情報を受信し、それに基づいてスロットの構成を判断して、判断しされたスロット構成情報に応じて通信を行ってもよい。
【００８２】
次に、通信モジュール１２０は、無線通信網を利用した無線通信、及び無線ＬＡＮを利用した無線ＬＡＮ接続を行う統合モジュールである。そのために、通信モジュール１２０は、セルラー通信インターフェースカード１２１、１２２、及び無線ＬＡＮインタフェースカード１２３のような複数のネットワークインターフェースカード（Ｎｅｔｗｏｒｋ  Ｉｎｔｅｒｆａｃｅ  Ｃａｒｄ）を内蔵または外装の形に備える。図面において、通信モジュール１２０は一体型統合モジュールと示されているが、それぞれのネットワークインターフェースカードは図面とは異なって、回路構成または用途に応じて独立して配置されてもよい。
【００８３】
セルラー通信インターフェースカード１２１は、移動通信網を介して基地局２００、外部ディバイス、サーバのうち少なくとも一つと無線信号を送受信し、プロセッサ１１０の命令に基づいて第１周波数バンドによるセルラー通信サービスを提供する。ここで、無線信号は音声呼信号、画像通話呼信号、またまメール／マルチメディアメッセージなど、多様な形態のデータまたは情報を含む。セルラー通信インターフェースカード１２１は、ＬＴＥ−Ｌｉｃｅｎｓｅｄ周波数バンドを利用する少なくとも一つのＮＩＣモジュールを含む。少なくとも一つのＮＩＣモジュールは、該当ＮＩＣモジュールが支援する周波数バンドのセルラー通信規格またはプロトコールに応じて、独立して基地局２００、外部ディバイス、サーバのうち少なくとも一つとセルラー通信を行う。
【００８４】
セルラー通信インターフェースカード１２２は、移動通信網を介して基地局２００、外部ディバイス、サーバのうち少なくとも一つと無線信号を送受信し、プロセッサ１１０の命令に基づいて第２周波数バンドによるセルラー通信サービスを提供する。セルラー通信インターフェースカード１２２は、ＬＴＥ−Ｕｎｌｉｃｅｎｓｅｄ周波数バンドを利用する少なくとも一つのＮＩＣモジュールを含む。例えば、ＬＴＥ−Ｕｎｌｉｃｅｎｓｅｄ周波数バンドは２．４ＧＨｚまたは５ＧＨｚのバンドであってもよい。
【００８５】
無線ＬＡＮインターフェースカード１２３は、無線ＬＡＮ接続を介して基地局２００、外部ディバイス、サーバのうち少なくとも一つと無線信号を送受信し、プロセッサ１１０の命令に基づいて第２周波数バンドによる無線ＬＡＮサービスを提供する。無線ＬＡＮインターフェースカード１２３は、無線ＬＡＮ周波数バンドを利用する少なくとも一つのＮＩＣモジュールを含む。例えば、無線ＬＡＮ周波数バンドは２．４ＧＨｚまたは５ＧＨｚのバンドのようなＵｎｌｉｃｅｎｓｅｄ  ｒａｄｉｏバンドであってもよい。少なくとも一つのＮＩＣモジュールは、該当ＮＩＣモジュールが支援する周波数バンドの無線ＬＡＮ規格またはプロトコールに応じて、独立して基地局２００、外部ディバイス、サーバのうち少なくとも一つとセルラー通信を行う。
【００８６】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【００８７】
次に、ユーザインタフェース１４０は、端末１００に備えられた多様な形態の入／出力手段を含む。つまり、ユーザインタフェース部１４０は多様な入力手段を利用してユーザの入力を受信し、プロセッサ１１０は受信されたユーザの入力に基づいて端末１００を制御する。また、ユーザインタフェース１４０は、多様な出力手段を利用してプロセッサ１１０の命令に基づく出力を行う。
【００８８】
次に、ディスプレーユニット１５０は、ディスプレー画面に多様なイメージを出力する。前記ディスプレーユニット１５０は、プロセッサ１１０によって行われるコンテンツ、またはプロセッサ１１０の制御命令に基づくユーザインタフェースなどの多様なディスプレーオブジェクトを出力する。
【００８９】
また、本発明の実施例による基地局２００は、プロセッサ２１０、通信モジュール２２０、及びメモリ２３０を含む。
【００９０】
まず、プロセッサ２１０は多様な命令またはプログラムを実行し、基地局２００内部のデータをプロセッシングする。また、プロセッサ２１０は基地局２００の各ユニットを含む全体の動作を制御し、ユニット間のデータの送受信の制御する。ここで、プロセッサ２１０は、本発明で説明した実施例による動作を行うように構成される。例えば、プロセッサ２１０はスロット構成情報をシグナリングし、シグナリングしたスロット構成情報に応じて通信を行ってもよい。
【００９１】
次に、通信モジュール２２０は、無線通信網を利用した無線通信、及び無線ＬＡＮを利用した無線ＬＡＮ接続を行う統合モジュールである。そのために、通信モジュール１２０は、セルラー通信インターフェースカード２２１、２２２、及び無線ＬＡＮインタフェースカード２２３のような複数のネットワークインターフェースカードを内蔵または外装の形に備える。図面において、通信モジュール２２０は一体型統合モジュールと示されているが、それぞれのネットワークインターフェースカードは図面とは異なって、回路構成または用途に応じて独立して配置されてもよい。
【００９２】
セルラー通信インターフェースカード２２１は、移動通信網を利用して上述した端末１００、外部ディバイス、サーバのうち少なくとも一つと無線信号を送受信し、プロセッサ２１０の命令に基づいて第１周波数バンドによるセルラー通信サービスを提供する。ここで、無線信号は音声呼信号、画像通話呼信号、またまメール／マルチメディアメッセージなど、多様な形態のデータまたは情報を含む。セルラー通信インターフェースカード２２１は、ＬＴＥ−Ｌｉｃｅｎｓｅｄ周波数バンドを利用する少なくとも一つのＮＩＣモジュールを含む。少なくとも一つのＮＩＣモジュールは、該当ＮＩＣモジュールが支援する周波数バンドのセルラー通信規格またはプロトコールに応じて、独立して端末１００、外部ディバイス、サーバのうち少なくとも一つとセルラー通信を行う。
【００９３】
セルラー通信インターフェースカード２２２は、移動通信網を介して端末１００、外部ディバイス、サーバのうち少なくとも一つと無線信号を送受信し、プロセッサ２１０の命令に基づいて第２周波数バンドによるセルラー通信サービスを提供する。セルラー通信インターフェースカード２２２は、ＬＴＥ−Ｕｎｌｉｃｅｎｓｅｄ周波数バンドを利用する少なくとも一つのＮＩＣモジュールを含む。例えば、ＬＴＥ−Ｕｎｌｉｃｅｎｓｅｄ周波数バンドは２．４ＧＨｚまたは５ＧＨｚのバンドであってもよい。本発明の実施例によると、少なくとも一つのＮＩＣモジュールは、該当ＮＩＣモジュールが支援する周波数バンドのセルラー通信規格またはプロトコールに応じて、独立して端末１００、外部ディバイス、サーバのうち少なくとも一つとセルラー通信を行う。
【００９４】
無線ＬＡＮインターフェースカード２２３は、無線ＬＡＮ接続を介して端末１００、外部ディバイス、サーバのうち少なくとも一つと無線信号を送受信し、プロセッサ２１０の命令に基づいて第２周波数バンドによる無線ＬＡＮサービスを提供する。無線ＬＡＮインターフェースカード２２３は、無線ＬＡＮ周波数バンドを利用する少なくとも一つのＮＩＣモジュールを含む。例えば、無線ＬＡＮ周波数バンドは２．４ＧＨｚまたは５ＧＨｚのバンドのようなＵｎｌｉｃｅｎｓｅｄ  ｒａｄｉｏバンドであってもよい。少なくとも一つのＮＩＣモジュールは、該当ＮＩＣモジュールが支援する周波数バンドの無線ＬＡＮ規格またはプロトコールに応じて、独立して端末１００、外部ディバイス、サーバのうち少なくとも一つと無線通信を行う。
【００９５】
図１１に示した端末１００及び基地局２００は本発明の一実施例によるブロック図であって、分離して示したブロックはディバイスのエレメントを論理的に区別して図示したものである。よって、上述したディバイスのエレメントは、ディバイスの設計に応じて一つのチップまたは複数のチップに取り付けられる。また、端末１００の一部の構成、例えば、ユーザインタフェース部１４０及びディスプレーユニット１５０などは端末１００に選択的に備えられてもよい。また、ユーザインタフェース１４０及びディスプレーユニット１５０などは、基地局２００に必要によって追加に備えられてもよい。
【００９６】
本明細書において、端末の設定（ｃｏｎｆｉｇｕｒｅ）は基地局による設定を示す。詳しくは、基地局は端末にチャネルまたは信号を伝送し、端末の動作または無線通信システムで使用されるパラメータの値を設定する。
【００９７】
図１２は、ＮＲシステムにおける本発明の実施例によるＣＯＲＥＳＥＴの例を示す図である。
上述したように、ＣＯＲＥＳＥＴは端末の制御信号であるＰＤＣＣＨが伝送される時間−周波数資源である。また、探索空間（ｓｅａｒｃｈ  ｓｐａｃｅ）は一つのＣＯＲＥＳＥＴにマッピングされる。よって、端末はＰＤＣＣＨを受信するために全ての周波数帯域をモニタリングするのではなく、ＣＯＲＥＳＥＴと指定された時間−周波数領域をモニタリングして、ＣＯＲＥＳＥＴにマッピングされたＰＤＣＣＨをデコーディングする。
【００９８】
具体的な実施例において、ＣＯＲＥＳＥＴはセル別に一つである。この際、該当セルに接続した端末は一つのＣＯＲＥＳＥＴからＰＤＣＣＨを受信する。他の具体的な実施例において、図１２のようにセル一つに複数のＣＯＲＥＳＥＴが存在してもよい。この際、該当セルに接続した端末は一つまたは複数のＣＯＲＥＳＥＴをモニタリングする。詳しくは、セルに接続した端末は、一つまたは複数のＣＯＲＥＳＥＴをモニタリングするように基地局によって設定される。また、一つの端末に割り当てられた複数のＣＯＲＥＳＥＴは、互いに時間−周波数資源で重なるように設定される。
【００９９】
端末は、基地局が端末に割り当てたＣＯＲＥＳＥＴが現在のスロットで占める（ｏｃｃｕｐｙ）時間−周波数領域を判断する。しかし、端末は、基地局が端末に割り当てていないＣＯＲＥＳＥＴが現在のスロットで占める時間−周波数領域を判断できないか、追加のシグナリングがなければ判断できない可能性がある。また、端末は、基地局が端末に割り当てた現在より遅い時間のスロットのＣＯＲＥＳＥＴで動的に割り当てられるＰＤＳＣＨが占める時間−周波数資源を判断するできない可能性がある。
【０１００】
図１３は、本発明の実施例によって端末に設定されたＢＷＰの例を示す図である。
上述したように、端末は、キャリア（またはセル）の周波数帯域幅より小さいか同じ周波数帯域幅を有するＢＷＰを介して受信及び伝送を行う。具体的な実施例において、端末に一つまたは複数のＢＷＰが設定される。端末に複数のＢＷＰが設定されれば、複数のＢＷＰの周波数帯域は互いに重ならない。また、端末に一つまたは複数のＢＷＰが設定されてもよい。端末に複数のＢＷＰが設定されれば、複数のＢＷＰは、複数のＢＷＰの他のＢＷＰと重なる周波数帯域を含むＢＷＰを含む。図１３（ａ）は、端末に複数のＢＷＰが設定される際、複数のＢＷＰの周波数帯域が互いに重ならない場合を示す。図１３（ｂ）は、端末に複数のＢＷＰが設定される際、複数のＢＷＰが複数のＢＷＰの他のＢＷＰと重なる周波数帯域を含むＢＷＰを含む場合を示す。端末に複数のＢＷＰが設定されれば、端末は複数のＢＷＰのうち一つのＢＷＰを使用して伝送及び受信を行う。それについては、図１４を介して詳しく説明する。
【０１０１】
図１４は、本発明の実施例によって端末に設定されたＢＷＰと、ＢＷＰのためのＣＯＲＥＳＥＴの例を示す図である。
端末に複数のＢＷＰが設定されれば、複数のＢＷＰそれぞれのための複数のＣＯＲＥＳＥＴそれぞれは該当ＢＷＰが占める時間−周波数資源領域内に位置する。端末に複数のＢＷＰが設定されれば、複数のＢＷＰそれぞれから端末に少なくとも一つのＣＯＲＥＳＥＴが設定される。複数のＢＷＰが互いに重ならないように設定される際と、複数のＢＷＰが互いに重なるように設定される際、複数のＢＷＰそれぞれのためのＣＯＲＥＳＥＴは該当ＢＷＰが占めるＰＲＢ内に存在する。また、複数のＢＷＰが互いに重なるように設定される際、複数のＢＷＰそれぞれのためのＣＯＲＥＳＥＴは、複数のＢＷＰのうちいずれか一つのＢＷＰに当たるＣＯＲＥＳＥＴが占めるＰＲＢは、複数のＢＷＰのうち該当ＢＷＰと他のＢＷＰが占めるＰＲＢと重なる。
【０１０２】
図１４（ａ）の実施例において、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）は互いに重ならないように設定される。第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）は、第１ＢＷＰ（Ｂａｎｄｗｉｄｔｈ  ｐａｒｔ  ＃１）が占めるＰＲＢ内に存在する。また、第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）は、第２ＢＷＰ（Ｂａｎｄｗｉｄｔｈ  ｐａｒｔ  ＃２）が占めるＰＲＢ内に存在する。図１４（ｂ）の実施例において、第２ＢＷＰ（Ｂａｎｄｗｉｄｔｈ  ｐａｒｔ  ＃２）は、と第１ＢＷＰ（Ｂａｎｄｗｉｄｔｈ  ｐａｒｔ  ＃１）が指示する周波数帯域全体を含む。第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）は、第１ＢＷＰ（Ｂａｎｄｗｉｄｔｈ  ｐａｒｔ  ＃１）が占めるＰＲＢ内に存在する。また、第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）は、第２ＢＷＰ（Ｂａｎｄｗｉｄｔｈ  ｐａｒｔ  ＃２）が占めるＰＲＢ内に存在する。この際、第２ＣＯＲＥＳＥＴ（ＣＯＲＥＳＥＴ  ＃２）が占めるＰＲＢは、第１ＢＷＰ（Ｂａｎｄｗｉｄｔｈ  ｐａｒｔ  ＃１）が占めるＰＲＢと重なる。
【０１０３】
ＮＲシステムにおいて多様な機能を具現するために、基地局はいずれか一つの端末にスケジューリングされた時間−周波数資源領域を他の用途に使用し、該当時間−周波数資源領域が他の用途に使用されたことを指示する。基地局がいずれか一つの端末にスケジューリングされた時間−周波数資源領域を他の用途に使用することをプリエンプションと称する。また、スケジューリングされた時間−周波数資源がパンクチュアリングされる端末はインパクティッド（ｉｍｐａｃｔｅｄ）端末と称する。また、他の用途でスケジューリングされた時間−周波数資源を割り当てられた端末はプリエンプティング（ｐｒｅｅｍｐｔｉｎｇ）端末と称する。本発明の実施例による基地局は、次のようにプリエンプション動作を行う。
【０１０４】
詳しくは、基地局は同じ端末または異なる端末に対する遅延時間に敏感ではないデータと遅延時間に敏感なデータをマルチプレクシングし、マルチプレクシングされたデータを伝送する。遅延時間に敏感ではないデータは、上述したｅＭＢＢサービスのためのデータである。また、遅延時間に敏感なデータは、上述したＵＲＬＬＣサービスのためのデータである。また、基地局は遅延時間に敏感ではないデータをスロット基盤にスケジューリングする。この際、基地局は遅延時間に敏感なデータをスロットのデュレーションより短いデュレーションを有する時間区間単位でスケジューリングする。スロットのデュレーションより短いデュレーションを有する時間区間をミニ−スロット（ｍｉｎｉ−ｓｌｏｔ）と称する。一つのスロットに割り当てられるＯＦＤＭシンボルの数は、サブキャリアスペーシングによって異り得る。リファレンスサブキャリアスペーシングに１５ｋＨｚが使用されれば、一つのスロットは７つまたは１４個のＯＦＤＭシンボルを含む。リファレンスサブキャリアスペーシングに３０ｋＨｚが使用されれば、一つのスロットは１４個のＯＦＤＭシンボルを含む。ミニ−スロットのデュレーションは上述したようにスロットのデュレーションより小さいため、ミニ−スロットは１つのＯＦＤＭシンボルからスロットが含むＯＦＤＭシンボルの個数より１つ小さいＯＦＤＭシンボルを含む。具体的な実施例において、基地局は、２つのＯＦＤＭシンボル単位または４つのＯＦＤＭシンボル単位で遅延時間に敏感なデータをスケジューリングする。他の具体的な実施例において、基地局は、スロットのデュレーションを考慮して７つのＯＦＤＭシンボル単位で遅延時間に敏感なデータをスケジューリングする。遅延時間に敏感ではないデータのペイロードの大きさは相対的に大きく、要求される遅延時間が長いほど直ちにスケジューリングされる必要があまりないためである。また、遅延時間に敏感なデータのペイロードの大きさは相対的に小さく、要求される遅延時間が短いほど直ちにスケジューリングされる必要があるためである。このような実施例において、基地局は周波数効率を上げ、遅延時間を減らすために、遅延時間に敏感なサービスのための時間−周波数資源と、遅延時間に敏感ではないサービスのための時間−周波数資源を動的に割り当てる。よって、基地局はプリエンプションを行う。
【０１０５】
基地局がプリエンプションを行う場合、先にスケジューリングされたインパくティッド端末は、端末が受信を仮定している資源のうち一部に基地局がプリエンプションを介して他のデータを伝送する。よって、実際に基地局がインパクティッド端末に伝送した資源と端末が受信を仮定している資源でのデータが異なりうる。インパクティッド端末は、基地局がプリエンプションを介して伝送したデータによって損傷した（ｃｏｒｒｕｐｔｅｄ）データを受信しデコーディングする。結局、端末のデコーディング性能が劣化し、インパクティッド端末の性能に深刻な低下が発生する恐れがある。それを防止するために、基地局は、インパクティッド端末にどの時間−周波数資源がプリエンプションされたのかをシグナリングする。
【０１０６】
端末はプリエンプションに対するシグナリングに基づいて、基地局が端末に伝送することを意図したデータをデコーディングする。詳しくは、端末は、プリエンプションに対するシグナリングに基づいて基地局から端末に意図されたデータ伝送可否を仮定する。この際、端末は、基地局から端末に意図されたデータの伝送を仮定した資源と、端末に意図されたデータの伝送がないことを仮定した資源に基づき、基地局から該当資源で受信したデータをデコーディングする。この際、データはデータチャネル、制御チャネルのうち少なくともいずれか一つを含む。
【０１０７】
基地局から端末に伝送するプリエンプションシグナリング方法については、図１５乃至図３０を介して詳しく説明する。また、端末におけるプリエンプション指示子を獲得するためのグループ共通ＰＤＣＣＨ、或いは端末特定ＰＤＣＣＨのモニタリング方法については、図１５乃至図２０を介して説明する。
【０１０８】
図１５は、本発明の実施例による端末がＢＷＰ、及びＢＷＰに当たるＣＯＲＥＳＥＴに基づいてプリエンプション指示子をモニタリングする方法を示す図である。
基地局は、制御チャネルを使用してどの時間−周波数資源がプリエンプションされたのかを指示するプリエンプション指示子を端末に伝送する。本明細書で説明するプリエンプション指示子は、ＩＮＴ−ＲＮＴＩでＣＲＣスクランブリングされたＤＣＩフォーマットを称する。また、制御チャネルは上述したＰＤＣＣＨである。詳しくは、制御チャネルはグループ共通（ｇｒｏｕｐ  ｃｏｍｍｏｎ）ＰＤＣＣＨ、または端末特定（ＵＥ  ｓｐｅｃｉｆｉｃ）ＰＤＣＣＨである。基地局がグループ共通ＰＤＣＣＨを使用してプリエンプション指示子を伝送すれば、基地局はグループ共通ＰＤＣＣＨをグループ共通ＲＮＴＩにスクランブリングする。この際、グループ共通ＲＮＴＩは、該当グループ共通ＰＤＣＣＨをモニタリングする複数の端末が共有する値である。プリエンプション指示子が特定−端末ＰＤＣＣＨに含まれて伝送されれば、特定−端末ＰＤＣＣＨは特定−端末ＲＮＴＩにスクランブリングされており、この特定−端末ＲＮＴＩは該当特定−端末ＰＤＣＣＨをモニタリングする端末の固有の値である。具体的な実施例において、端末はグループ共通ＰＤＣＣＨが含むプリエンプション指示子が指示するプリエンプション関連情報を、ＰＤＣＣＨが伝送されるＣＯＲＥＳＥＴに当たるＢＷＰにのみ適用する。例えば、端末は特定ＢＷＰに当たるグループ共通ＰＤＣＣＨをブラインドデコーディングしてプリエンプション指示子を獲得し、獲得したプリエンプション指示子に基づいて該当ＢＷＰから伝送されるデータチャネルまたは制御チャネルがプリエンプションによって影響を受けたのを判断してもよい。端末が特定ＢＷＰから伝送されるデータチャネルまたは制御チャネルがプリエンプションによって影響を受けたのかを確認する必要がなければ、端末は該当ＢＷＰに当たるＣＯＲＥＳＥＴでプリエンプション指示子を獲得するためのグループ共通ＰＤＣＣＨをブラインドデコーディングする必要がない。このような実施例において、端末はブラインドデコーディングによって発生する電力の浪費を防止することができる。
【０１０９】
図１５（ａ）の実施例において、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）は互いに重ならないように設定される。図１５（ｂ）の実施例において、第２ＢＷＰ（Ｂａｎｄｗｉｄｔｈ  ｐａｒｔ  ＃２）は、と第１ＢＷＰ（Ｂａｎｄｗｉｄｔｈ  ｐａｒｔ  ＃１）が指示する周波数帯域全体を含む。図１５（ａ）及び図１５（ｂ）の実施例において、基地局は第１ＢＷＰ（ＢＷ  ｐａｒｔ  ＃１）に当たる第１ＣＯＲＥＳＥＴ（ＣＯＲＥＳＥＴ  ＃１）において、第１ＢＷＰ（ＢＷ  ｐａｒｔ  ＃１）で行われるプリエンプション動作に関するう情報をシグナリングするプリエンプション指示子を含むグループ共通ＰＤＣＣＨを伝送する。端末は、第１ＢＷＰ（ＢＷ  ｐａｒｔ  ＃１）に当たる第１ＣＯＲＥＳＥＴ（ＣＯＲＥＳＥＴ  ＃１）において、第１ＢＷＰ（ＢＷ  ｐａｒｔ  ＃１）で行われるプリエンプション動作に関する情報をシグナリングするプリエンプション指示子を含むグループ共通ＰＤＣＣＨ、或いは端末特定ＰＤＣＣＨが伝送されると仮定する。端末は、第１ＢＷＰ（ＢＷ  ｐａｒｔ  ＃１）で行われるプリエンプション動作に関する情報をシグナリングするプリエンプション指示子を獲得するために、第１ＣＯＲＥＳＥＴ（ＣＯＲＥＳＥＴ  ＃１）でグループ共通ＰＤＣＣＨ或いは端末特定ＰＤＣＣＨをモニタリングする。また、基地局は、第２ＢＷＰ（ＢＷ  ｐａｒｔ  ＃２）に当たる第２ＣＯＲＥＳＥＴ（ＣＯＲＥＳＥＴ  ＃２）において、第２ＢＷＰ（ＢＷ  ｐａｒｔ  ＃２）で行われるプリエンプション動作に関する情報をシグナリングするプリエンプション指示子を含むグループ共通ＰＤＣＣＨ、或いは端末特定ＰＤＣＣＨを伝送する。端末は、第２ＢＷＰ（ＢＷ  ｐａｒｔ  ＃２）に当たる第２ＣＯＲＥＳＥＴ（ＣＯＲＥＳＥＴ  ＃２）において、第２ＢＷＰ（ＢＷ  ｐａｒｔ  ＃２）で行われるプリエンプション動作に関する情報をシグナリングするプリエンプション指示子を含むグループ共通ＰＤＣＣＨ、或いは端末特定ＰＤＣＣＨが伝送されると仮定する。端末は、第２ＢＷＰ（ＢＷ  ｐａｒｔ  ＃２）で行われるプリエンプション動作に関する情報をシグナリングするプリエンプション指示子を獲得するために、第２ＣＯＲＥＳＥＴ（ＣＯＲＥＳＥＴ  ＃２）でグループ共通ＰＤＣＣＨ或いは端末特定ＰＤＣＣＨをモニタリングする。
【０１１０】
図１５の実施例において、基地局がプリエンプションが発生した次のスロットでプリエンプション指示子を伝送すると説明した。但し、基地局がプリエンプション指示子を伝送する時点は、プリエンプションが発生した次のスロットに限らない。詳しくは、プリエンプションがｎ番目のスロット（Ｓｌｏｔ  ＃ｎ）で発生したら、基地局はプリエンプションが発生した後、同じスロットであるｎ番目のスロット（Ｓｌｏｔ  ＃ｎ）でプリエンプション指示子を伝送する。また、プリエンプションがｎ番目のスロット（Ｓｌｏｔ  ＃ｎ）で発生したら、基地局はプリエンプションが発生した後、ｎ＋１番目のスロット（Ｓｌｏｔ  ＃ｎ＋１）でプリエンプション指示子を伝送してもよい。プリエンプションがｎ番目のスロット（Ｓｌｏｔ  ＃ｎ）で発生したら、基地局はプリエンプションが発生した後、ｎ＋ｋ番目のスロット（Ｓｌｏｔ  ＃ｎ＋ｋ）でプリエンプション指示子を伝送してもよい。この際、ｋは１以上の自然数である。基地局がプリエンプション指示子を伝送する時点に関する説明は、特別に言及しない限り、後に説明する他の実施例にも同じく適用される。
【０１１１】
図１６は、本発明の実施例による端末がＰＤＳＣＨがスケジューリングされたＢＷＰに当たるＣＯＲＥＳＥＴに基づいてプリエンプション指示子をモニタリングする方法を示す図である。
基地局は、データチャネルがスケジューリングされたＢＷＰに当たるＣＯＲＥＳＥＴにおいて、該当ＢＷＰで発生するプリエンプションに関する情報をシグナリングするプリエンプション指示子を含む制御チャネルを伝送する。端末に複数のＢＷＰが互いに重ならないように設定されれば、端末はデータチャネルがスケジューリングされたＢＷＰで発生するプリエンプションに関する情報をシグナリングするプリエンプション指示子を含む制御チャネルが該当ＢＷＰに当たるＣＯＲＥＳＥＴから伝送されると仮定する。よって、端末に複数のＢＷＰが互いに重ならないように設定されれば、端末はデータチャネルがスケジューリングされたＢＷＰで発生するプリエンプションに関する情報をシグナリングするプリエンプション指示子を獲得するために、該当ＢＷＰに当たるＣＯＲＥＳＥＴで制御チャネルをモニタリングする。また、端末に複数のＢＷＰが互いに重ならないように設定されれば、端末はデータチャネルがスケジューリングされたＢＷＰで発生するプリエンプションに関する情報をシグナリングするプリエンプション指示子を獲得するために、該当ＢＷＰに当たるＣＯＲＥＳＥＴ以外のＣＯＲＥＳＥＴで制御チャネルをモニタリングしなくてもよい。このような実施例において、制御チャネルはグループ共通ＰＤＣＣＨ或いは端末特定ＰＤＣＣＨである。また、データチャネルはＰＤＳＣＨである。
【０１１２】
図１６の実施例において、端末に第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）が設定され、第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）は互いに重ならない。図１６（ａ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第１ＢＷＰ（Ｂａｎｄｗｉｄｔｈ  ｐａｒｔ  ＃１）にのみスケジューリングされる。この際、端末は第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含むグループ共通ＰＤＣＣＨ或いは端末特定ＰＤＣＣＨが伝送されることを仮定する。よって、端末は、第１ＢＷＰ（Ｂａｎｄｗｉｄｔｈ  ｐａｒｔ  ＃１）で行われるプリエンプション動作に関する情報をシグナリングするプリエンプション指示子を獲得するために、第１ＣＯＲＥＳＥＴ（ＣＯＲＥＳＥＴ  ＃１）でグループ共通ＰＤＣＣＨ或いは端末特定ＰＤＣＣＨをモニタリングする。また、端末は、ＰＤＳＣＨがスケジューリングされない第２ＣＯＲＥＳＥＴ（ＣＯＲＥＳＥＴ  ＃２）において、第１ＢＷＰ（ＢＷ  ｐａｒｔ  ＃１）で行われるプリエンプション動作に関する情報をシグナリングするプリエンプション指示子を含むグループ共通ＰＤＣＣＨ、或いは端末特定ＰＤＣＣＨが伝送されると仮定する。よって、端末が第２ＣＯＲＥＳＥＴ（ＣＯＲＥＳＥＴ  ＃２）モニタリングするように設定されていても、端末は第２ＣＯＲＥＳＥＴ（ＣＯＲＥＳＥＴ  ＃２）で第１ＢＷＰ（ＢＷ  ｐａｒｔ  ＃１）で行われるプリエンプション動作に関する情報をシグナリングするプリエンプション指示子を獲得するために、グループ−共通ＰＤＣＣＨ、或いは端末特定ＰＤＣＣＨをモニタリングしなくてもよい。
【０１１３】
図１６（ｂ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第２ＢＷＰ（Ｂａｎｄｗｉｄｔｈ  ｐａｒｔ  ＃２）にのみスケジューリングされる。この際、端末は第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）でのみプリエンプション指示子を含むグループ共通ＰＤＣＣＨ或いは端末特定ＰＤＣＣＨが伝送されることを仮定する。よって、端末は、第２ＢＷＰ（Ｂａｎｄｗｉｄｔｈ  ｐａｒｔ  ＃２）で行われるプリエンプション動作に関する情報をシグナリングするプリエンプション指示子を獲得するために、第２ＣＯＲＥＳＥＴ（ＣＯＲＥＳＥＴ  ＃２）でグループ共通ＰＤＣＣＨ或いは端末特定ＰＤＣＣＨをモニタリングする。また、端末は、ＰＤＳＣＨがスケジューリングされない第１ＣＯＲＥＳＥＴ（ＣＯＲＥＳＥＴ  ＃１）において、第２ＢＷＰ（ＢＷ  ｐａｒｔ  ＃２）で行われるプリエンプション動作に関する情報をシグナリングするプリエンプション指示子を含むグループ共通ＰＤＣＣＨ、或いは端末特定ＰＤＣＣＨが伝送されると仮定する。よって、端末が第１ＣＯＲＥＳＥＴ（ＣＯＲＥＳＥＴ  ＃１）モニタリングするように設定されていても、端末は第１ＣＯＲＥＳＥＴ（ＣＯＲＥＳＥＴ  ＃１）で第２ＢＷＰ（ＢＷ  ｐａｒｔ  ＃２）で行われるプリエンプション動作に関する情報をシグナリングするプリエンプション指示子を獲得するために、グループ−共通ＰＤＣＣＨ、或いは端末特定ＰＤＣＣＨをモニタリングしなくてもよい。
【０１１４】
図１６（ｃ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）でそれぞれスケジューリングされる。この際、端末は第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含むグループ共通ＰＤＣＣＨ或いは端末特定ＰＤＣＣＨが伝送されることを仮定する。よって、端末は、第１ＢＷＰ（Ｂａｎｄｗｉｄｔｈ  ｐａｒｔ  ＃１）で行われるプリエンプション動作に関する情報をシグナリングするプリエンプション指示子を獲得するために、第１ＣＯＲＥＳＥＴ（ＣＯＲＥＳＥＴ  ＃１）でグループ共通ＰＤＣＣＨ或いは端末特定ＰＤＣＣＨをモニタリングする。また、端末は第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）でのみプリエンプション指示子を含むグループ共通ＰＤＣＣＨ或いは端末特定ＰＤＣＣＨが伝送されることを仮定する。よって、端末は、第２ＢＷＰ（Ｂａｎｄｗｉｄｔｈ  ｐａｒｔ  ＃２）で行われるプリエンプション動作に関する情報をシグナリングするプリエンプション指示子を獲得するために、第２ＣＯＲＥＳＥＴ（ＣＯＲＥＳＥＴ  ＃２）でグループ共通ＰＤＣＣＨ或いは端末特定ＰＤＣＣＨをモニタリングする。
【０１１５】
端末に複数のＢＷＰが重なるように設定されれば、端末はＰＤＳＣＨがスケジューリングされたＢＷＰがどのＢＷＰであるのかを判断することが難しい恐れがある。よって、端末に複数のＢＷＰが重なるように設定されれば、端末がプリエンプション指示子を獲得するためにモニタリングするＣＯＲＥＳＥＴを決定する方法が必要である。それについては図１７を介して説明する。
【０１１６】
図１７は、本発明の実施例による端末に設定された複数のＢＷＰが重なれば、ＰＤＳＣＨがスケジューリングされたＢＷＰに当たるＣＯＲＥＳＥＴに基づいてプリエンプション指示子をモニタリングする方法を示す図である。
【０１１７】
端末に設定された複数のＢＷＰが重なれば、基地局はデータチャネルがスケジューリングされた周波数領域を全て含むＢＷＰのうち最も小さいＢＷＰに当たるＣＯＲＥＳＥＴで、該当データチャネルの伝送で発生するプリエンプションに関する情報をシグナリングするプリエンプション指示子を含む制御チャネルを伝送する。端末に設定された複数のＢＷＰが重なれば、端末は該当データチャネルの伝送から発生するプリエンプションに関する情報をシグナリングするプリエンプション指示子を含む制御チャネルがデータチャネルがスケジューリングされた周波数領域を全て含むＢＷＰのうち最も小さいＢＷＰに当たるＣＯＲＥＳＥＴから伝送されると仮定する。よって、端末に設定された複数のＢＷＰが重なれば、端末は該当データチャネルの伝送から発生するプリエンプションに関する情報をシグナリングするプリエンプション指示子を獲得するために、データチャネルがスケジューリングされた周波数領域を全て含むＢＷＰのうち最も小さいＢＷＰに当たるＣＯＲＥＳＥＴで制御チャネルをモニタリングする。また、端末に設定された複数のＢＷＰが重なれば、端末は該当データチャネルの伝送から発生するプリエンプションに関する情報をシグナリングするプリエンプション指示子を獲得するために、データチャネルがスケジューリングされた周波数領域を全て含むＢＷＰのうち最も小さいＢＷＰに当たるＣＯＲＥＳＥＴ以外のＣＯＲＥＳＥＴで制御チャネルをモニタリングしなくてもよい。このような実施例において、制御チャネルはグループ共通ＰＤＣＣＨ或いは端末特定ＰＤＣＣＨである。また、このような実施例において、データチャネルはＰＤＳＣＨである。
【０１１８】
図１７の実施例において、端末に第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）が設定される。また、第２ＢＷＰ（Ｂａｎｄｗｉｄｔｈ  ＃２）は第１ＢＷＰ（Ｂａｎｄｗｉｄｔｈ  ｐａｒｔ  ＃１）を含む。説明の便宜上、図１７の実施例に関して、ＰＤＳＣＨ伝送に対するプリエンプションに関する情報をシグナリングするプリエンプション指示子をプリエンプション指示子と記載する。図１７（ａ）の実施例において、ＰＤＳＣＨは、第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）両方が含む周波数領域にケジューリングされる。ＰＤＳＣＨがスケジューリングされた周波数領域を全て含むＢＷＰのうち第１ＢＷＰ（Ｂａｎｄｗｉｄｔｈ  ｐａｒｔ  ＃１）が最も小さいため、端末は第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）のみでプリエンプション指示子を含むグループ共通ＰＤＣＣＨ或いは端末特定ＰＤＣＣＨが伝送されると仮定する。よって、端末は、プリエンプション指示子を獲得するために、第１ＣＯＲＥＳＥＴ（ＣＯＲＥＳＥＴ  ＃１）でグループ共通ＰＤＣＣＨ或いは特定端末ＰＤＣＣＨをモニタリングする。また、端末は、ＰＤＳＣＨがスケジューリングされない第２ＣＯＲＥＳＥＴ（ＣＯＲＥＳＥＴ  ＃２）において、プリエンプション指示子を含むグループ共通ＰＤＣＣＨ或いは端末特定ＰＤＣＣＨが伝送されないと仮定する。よって、端末が第２ＣＯＲＥＳＥＴ（ＣＯＲＥＳＥＴ  ＃２）モニタリングするように設定されていても、端末は第２ＣＯＲＥＳＥＴ（ＣＯＲＥＳＥＴ  ＃２）でプリエンプション指示子を獲得するために、グループ共通ＰＤＣＣＨ、或いは端末特定ＰＤＣＣＨをモニタリングしなくてもよい。
【０１１９】
図１７（ｂ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第２ＢＷＰ（Ｂａｎｄｗｉｄｔｈ  ｐａｒｔ  ＃２）のみが含む周波数領域にスケジューリングされる。ＰＤＳＣＨがスケジューリングされた周波数領域を全て含むＢＷＰのうち第２ＢＷＰ（Ｂａｎｄｗｉｄｔｈ  ｐａｒｔ  ＃２）が最も小さいため、端末は第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）のみでプリエンプション指示子を含むグループ共通ＰＤＣＣＨ或いは端末特定ＰＤＣＣＨが伝送されると仮定する。よって、端末は、プリエンプション指示子を獲得するために、第２ＣＯＲＥＳＥＴ（ＣＯＲＥＳＥＴ  ＃２）でグループ共通ＰＤＣＣＨ或いは特定端末ＰＤＣＣＨをモニタリングする。また、端末は、ＰＤＳＣＨがスケジューリングされない第１ＣＯＲＥＳＥＴ（ＣＯＲＥＳＥＴ  ＃１）において、プリエンプション指示子を含むグループ共通ＰＤＣＣＨ或いは端末特定ＰＤＣＣＨが伝送されないと仮定する。よって、端末が第１ＣＯＲＥＳＥＴ（ＣＯＲＥＳＥＴ  ＃１）モニタリングするように設定されていても、端末は第１ＣＯＲＥＳＥＴ（ＣＯＲＥＳＥＴ  ＃１）でプリエンプション指示子を獲得するために、グループ共通ＰＤＣＣＨ、或いは端末特定ＰＤＣＣＨをモニタリングしなくてもよい。
【０１２０】
図１７（ｃ）の実施例において、第１ＢＷＰ（Ｂａｎｄｗｉｄｔｈ  ｐａｒｔ  ＃１）はＰＤＳＣＨがスケジューリングされる周波数領域の一部を含み、第２ＢＷＰ（Ｂａｎｄｗｉｄｔｈ  ｐａｒｔ  ＃２）はＰＤＳＣＨがスケジューリングされる周波数領域の全部を含む。第１ＢＷＰ（Ｂａｎｄｗｉｄｔｈ  ｐａｒｔ  ＃１）ＰＤＳＣＨがスケジューリングされる周波数領域を全て含まず、第２ＢＷＰ（Ｂａｎｄｗｉｄｔｈ  ｐａｒｔ  ＃２）はＰＤＳＣＨがスケジューリングされる周波数領域の全てを含むため、端末は第２ＢＷＰ（Ｂａｎｄｗｉｄｔｈ  ｐａｒｔ  ＃２）に当たる第２ＣＯＲＥＳＥＴ（ＣＯＲＥＳＥＴ  ＃２）のみでプリエンプション指示子を含むグループ共通ＰＤＣＣＨ或いは端末特定ＰＤＣＣＨが伝送されると仮定する。よって、端末は、プリエンプション指示子を獲得するために、第２ＣＯＲＥＳＥＴ（ＣＯＲＥＳＥＴ  ＃２）でグループ共通ＰＤＣＣＨ或いは特定端末ＰＤＣＣＨをモニタリングする。また、端末は、ＰＤＳＣＨがスケジューリングされない第１ＣＯＲＥＳＥＴ（ＣＯＲＥＳＥＴ  ＃１）において、プリエンプション指示子を含むグループ共通ＰＤＣＣＨ或いは端末特定ＰＤＣＣＨが伝送されないと仮定する。よって、端末が第１ＣＯＲＥＳＥＴ（ＣＯＲＥＳＥＴ  ＃１）モニタリングするように設定されていても、端末は第１ＣＯＲＥＳＥＴ（ＣＯＲＥＳＥＴ  ＃１）でプリエンプション指示子を獲得するために、グループ共通ＰＤＣＣＨ、或いは端末特定ＰＤＣＣＨをモニタリングしなくてもよい。
【０１２１】
基地局は、プリエンプション指示子を特定端末ＰＤＣＣＨ或いはグループ共通ＰＤＣＣＨを使用して伝送する。この際、基地局はＰＤＳＣＨがスケジューリングされたＢＷＰに関わらず、予め指定されたＢＷＰを介してプリエンプション指示子を含む特定端末ＰＤＣＣＨ或いはグループ共通ＰＤＣＣＨを伝送する。それについては、図１８乃至図１９を介して説明する。
図１８及び図１９は、本発明の実施例による端末が予め指定されたＢＷＰに基づいてプリエンプション指示子をモニタリングする方法を示す図である。
【０１２２】
上述したように、基地局はＰＤＳＣＨがスケジューリングされたＢＷＰに関わらず、予め指定されたＢＷＰを介してプリエンプション指示子を含む特定端末ＰＤＣＣＨ或いはグループ共通ＰＤＣＣＨを伝送する。よって、端末は予め指定されたＢＷＰを介してプリエンプション指示子を含む特定端末ＰＤＣＣＨ或いはグループ共通ＰＤＣＣＨを受信すると仮定する。端末は、プリエンプション指示子を獲得するために、予め指定されたＢＷＰでプリエンプション指示子を含む特定端末ＰＤＣＣＨ或いはグループ共通ＰＤＣＣＨをモニタリングする。
【０１２３】
図１８の実施例において、端末に第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）が設定され、第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）は互いに重ならない。図１８（ａ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第１ＢＷＰ（Ｂａｎｄｗｉｄｔｈ  ｐａｒｔ  ＃１）にのみスケジューリングされる。図１８（ｂ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第２ＢＷＰ（Ｂａｎｄｗｉｄｔｈ  ｐａｒｔ  ＃２）にのみスケジューリングされる。図１８（ｃ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）でそれぞれスケジューリングされる。
【０１２４】
図１９の実施例において、端末に第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）が設定される。また、第２ＢＷＰ（Ｂａｎｄｗｉｄｔｈ  ＃２）は第１ＢＷＰ（Ｂａｎｄｗｉｄｔｈ  ｐａｒｔ  ＃１）を含む。図１９（ａ）の実施例において、ＰＤＳＣＨは、第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）両方が含む周波数領域にスケジューリングされる。図１９（ｂ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第２ＢＷＰ（Ｂａｎｄｗｉｄｔｈ  ｐａｒｔ  ＃２）のみが含む周波数領域にスケジューリングされる。図１９（ｃ）の実施例において、第１ＢＷＰ（Ｂａｎｄｗｉｄｔｈ  ｐａｒｔ  ＃１）はＰＤＳＣＨがスケジューリングされる周波数領域の一部を含み、第２ＢＷＰ（Ｂａｎｄｗｉｄｔｈ  ｐａｒｔ  ＃２）はＰＤＳＣＨがスケジューリングされる周波数領域の全部を含む。
【０１２５】
説明の便宜上、図１８乃至図１９の実施例に関して、ＰＤＳＣＨ伝送に対するプリエンプションに関する情報をシグナリングするプリエンプション指示子をプリエンプション指示子と記載する。図１８乃至図１９の実施例において、基地局は予め指定された第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含む特定端末ＰＤＳＣＨ或いはグループ共通ＰＤＣＣＨを伝送する。よって、端末は予め指定された第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含む端末特定ＰＤＣＣＨ或いはグループ共通ＰＤＣＣＨが伝送されることを仮定する。端末は、プリエンプション指示子を獲得するために、第１ＣＯＲＥＳＥＴ（ＣＯＲＥＳＥＴ  ＃１）で特定端末ＰＤＣＣＨ或いはグループ共通ＰＤＣＣＨをモニタリングする。また、端末は、プリエンプション指示子を獲得するために、第２ＣＯＲＥＳＥＴ（ＣＯＲＥＳＥＴ  ＃２）で特定端末ＰＤＣＣＨ或いはグループ共通ＰＤＣＣＨをモニタリングしなくてもよい。
【０１２６】
特定端末ＰＤＣＣＨ或いはグループ共通ＰＤＣＣＨのＤＣＩペイロードはプリエンプション指示子を含む。この際、特定端末ＰＤＣＣＨ或いはグループ共通ＰＤＣＣＨのＤＣＩペイロードの長さは可変的である。よって、端末は特定端末ＰＤＣＣＨ或いはグループ共通ＰＤＣＣＨのＤＣＩペイロードの長さを判断し、判断した特定端末ＰＤＣＣＨ或いはグループ共通ＰＤＣＣＨのＤＣＩペイロードの長さに基づいて特定端末ＰＤＣＣＨ或いはグループ共通ＰＤＣＣＨをブラインドデコーディングする。
【０１２７】
具体的な実施例において、プリエンプション指示子を含む、特定端末ＰＤＣＣＨ或いはグループ共通ＰＤＣＣＨのＤＣＩペイロードの長さは、ＰＤＳＣＨが伝送されるＢＷＰの個数によって異なり得る。例えば、ＰＤＳＣＨが伝送される周波数領域がｎ個のＢＷＰに含まれる場合のＰＤＣＣＨのＤＣＩペイロードの長さは、ｋ個のＢＷＰに含まれる場合のＰＤＣＣＨのＤＣＩペイロードの長さより長くてもよい。この際、ｎとｋはいずれも自然数であり、ｎはｋより大きい。詳しくは、ＰＤＳＣＨが伝送される周波数領域が２つのＢＷＰに含まれる場合のＰＤＣＣＨのＤＣＩペイロードの長さは、一つのＢＷＰに含まれる場合のＰＤＣＣＨのＤＣＩペイロードの長さより長くてもよい。基地局はこのような実施例によって、ＰＤＳＣＨが伝送されるＢＷＰの個数に基づいてプリエンプション指示子を含む、ＰＤＣＣＨのＤＣＩペイロードの長さを設定する。また、端末はこのような実施例によって、ＰＤＳＣＨが伝送されるＢＷＰの個数に基づいてプリエンプション指示子を含む、ＰＤＣＣＨのＤＣＩペイロードの長さを判断する。
【０１２８】
他の具体的な実施例において、プリエンプション指示子を含む、特定端末ＰＤＣＣＨ或いはグループ共通ＰＤＣＣＨのＤＣＩペイロードの長さは、ＰＤＳＣＨが占めるＰＲＢの数によって異なり得る。詳しくは、ＰＤＳＣＨが占めるＰＲＢの数がＸであれば、ＰＤＣＣＨのＤＣＩペイロードの長さはＸと比例して増加するか減少する。詳しくは、プリエンプション指示子を含む、ＰＤＣＣＨのＤＣＩペイロードの長さはｃｅｉｌ（ｋ＊Ｘ）ビットである。この際、ｋは０と１の間の数であり、ｃｅｉｌ（ａ）はａと同じであるか大きい数のうち最も小さい自然数である。本明細書において、特別に言及されない限り、ｃｅｉｌ（ａ）はａと同じであるか大きい数のうち最も小さい自然数を示す。基地局はこのような実施例によって、ＰＤＳＣＨが占めるＰＲＢの個数に基づいてプリエンプション指示子を含む、ＰＤＣＣＨのＤＣＩペイロードの長さを設定する。また、端末はこのような実施例によって、ＰＤＳＣＨが占めるＰＲＢの個数に基づいてプリエンプション指示子を含む、ＰＤＣＣＨのＤＣＩペイロードの長さを判断する。
【０１２９】
本発明の他の具体的な実施例において、基地局はデータチャネルをスケジューリングする制御チャネルが伝送されたＣＯＲＥＳＥＴに基づいてプリエンプション指示子を含む制御チャネルを伝送する。それについては、図２０を介して詳しく説明する。
【０１３０】
図２０は、本発明の実施例による端末がＰＤＳＣＨをスケジューリングするＰＤＣＣＨが伝送されたＣＯＲＥＳＥＴでプリエンプション指示子をモニタリングする方法を示す図である。
【０１３１】
具体的な実施例において、基地局はデータチャネルがスケジューリングされた周波数領域をデータチャネルをスケジューリングする制御チャネルが伝送されたＣＯＲＥＳＥＴで、該当データチャネルの伝送で発生するプリエンプションに関する情報をシグナリングするプリエンプション指示子を含む制御チャネルを伝送する。端末はデータチャネルの伝送から発生するプリエンプションに関する情報をシグナリングするプリエンプション指示子を含む制御チャネルが、データチャネルがデータチャネルがスケジューリングされた周波数領域をデータチャネルをスケジューリングする制御チャネルが伝送されたＣＯＲＥＳＥＴから伝送されると仮定する。よって、端末は該当データチャネルの伝送から発生するプリエンプションに関する情報をシグナリングするプリエンプション指示子を獲得するために、データチャネルがスケジューリングされた周波数領域をデータチャネルをスケジューリングする制御チャネルが伝送されたＣＯＲＥＳＥＴで制御チャネルをモニタリングする。また、端末は該当データチャネルの伝送から発生するプリエンプションに関する情報をシグナリングするプリエンプション指示子を獲得するために、データチャネルがスケジューリングされた周波数領域をデータチャネルをスケジューリングする制御チャネルが伝送されたＣＯＲＥＳＥＴ以外のＣＯＲＥＳＥＴで制御チャネルをモニタリングしなくてもよい。このような実施例において、制御チャネルはグループ共通ＰＤＣＣＨ或いは端末特定ＰＤＣＣＨである。また、このような実施例において、データチャネルはＰＤＳＣＨである。
【０１３２】
図２０の実施例において、端末に第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）が設定される。また、第２ＢＷＰ（Ｂａｎｄｗｉｄｔｈ  ＃２）は第１ＢＷＰ（Ｂａｎｄｗｉｄｔｈ  ｐａｒｔ  ＃１）を含む。図２０（ａ）の実施例において、ＰＤＳＣＨは、第１ＢＷＰ（Ｂａｎｄｗｉｄｔｈ  ｐａｒｔ  ＃１）及び第２ＢＷＰ（Ｂａｎｄｗｉｄｔｈ  ｐａｒｔ  ＃２）両方が含む周波数領域にスケジューリングされる。図２０（ｂ）の実施例において、ＰＤＳＣＨは、第１ＢＷＰ（Ｂａｎｄｗｉｄｔｈ  ｐａｒｔ  ＃１）と第２ＢＷＰ（Ｂａｎｄｗｉｄｔｈ  ｐａｒｔ  ＃２）のうち第２ＢＷＰ（Ｂａｎｄｗｉｄｔｈ  ｐａｒｔ  ＃２）のみが含む周波数領域にスケジューリングされる。図２０（ｃ）の実施例において、第１ＢＷＰ（Ｂａｎｄｗｉｄｔｈ  ｐａｒｔ  ＃１）はＰＤＳＣＨがスケジューリングされる周波数領域の一部を含み、第２ＢＷＰ（Ｂａｎｄｗｉｄｔｈ  ｐａｒｔ  ＃２）はＰＤＳＣＨがスケジューリングされる周波数領域の全部を含む。
【０１３３】
説明の便宜上、図２０の実施例に関して、ＰＤＳＣＨ伝送に対するプリエンプションに関する情報をシグナリングするプリエンプション指示子をプリエンプション指示子と記載する。図２０（ａ）乃至図２０（ｂ）の実施例において、ＰＤＳＣＨをスケジューリングするＰＤＣＣＨはいずれも第１ＣＯＲＥＳＥＴ（ＣＯＲＥＳＥＴ  ＃１）から伝送される。よって、基地局は予め指定された第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含む端末特定ＰＤＣＣＨ或いはグループ共通ＰＤＣＣＨを伝送する。よって、端末は予め指定された第１ＢＷＰ（Ｂａｎｄｗｉｄｔｈ  ｐａｒｔ  ＃１）に当たる第１ＣＯＲＥＳＥＴ（ＣＯＲＥＳＥＴ  ＃１）でのみプリエンプション指示子を含む端末特定ＰＤＣＣＨ或いはグループ共通ＰＤＣＣＨが伝送されることを仮定する。端末は、プリエンプション指示子を獲得するために、第１ＣＯＲＥＳＥＴ（ＣＯＲＥＳＥＴ  ＃１）で特定端末ＰＤＣＣＨ或いはグループ共通ＰＤＣＣＨをモニタリングする。また、端末は、プリエンプション指示子を獲得するために、第２ＣＯＲＥＳＥＴ（ＣＯＲＥＳＥＴ  ＃２）で特定端末ＰＤＣＣＨ或いはグループ共通ＰＤＣＣＨをモニタリングしなくてもよい。
【０１３４】
図２１乃至図３０を介して、プリエンプション指示子のプリエンプション指示方法について詳しく説明する。プリエンプション指示子がプリエンプションの発生有無を指示するＯＦＤＭシンボルについて説明するために、まずスロットが含むＯＦＤＭシンボル設定（ｃｏｆｉｇｕｒａｔｉｏｎ）について説明する。
【０１３５】
図２１は、本発明の実施例による無線通信システムにおいて、ＴＤＤが使用されれば、スロットが含むＯＦＤＭシンボルを設定する例を示す図である。
本発明の実施例による無線通信システムでＴＤＤが使用されれば、スロットが含むシンボルはＤＬシンボル、ＵＬシンボル、及びフレキシブルシンボルに分類される。ＤＬシンボルはＤＬ伝送をスケジューリングするためのシンボルである。また、ＵＬシンボルはＵＬ伝送をスケジューリングするためのシンボルである。フレキシブルシンボルは、ＤＬシンボル及びＵＬシンボルに当たらないシンボルである。フレキシブルシンボルはアンノウン（Ｕｎｋｎｏｗｎ）シンボルと称される。また、フレキシブルシンボルは、ＤＬ伝送とＵＬ伝送の間の切り替えに必要な時間ギャップ（ｇａｐ）のために使用される。スロットは多様なシンボル設定を有する。図２１は、ある一つのスロットが含むシンボル設定の例を示す。図２１の実施例において、一つのスロットは１４個のシンボルを含む。また、図面において、ＮＤＬはＤＬシンボルの数を示し、ＮＦＬはフレキシブルシンボルの数を示し、ＮＵＬはＵＬシンボルの数を示す。図２１の実施例において、いずれか一つのスロットは７つのＤＬシンボル、３つのフレキシブルシンボル、及び４つのＵＬシンボルを含む。
【０１３６】
基地局はＲＲＣ設定を使用し、端末にスロットフォーマットをシグナリングする。この際、基地局は、セル特定ＲＲＣ信号及び特定端末ＲＲＣ信号のうち少なくともいずれか一つを使用する。詳しくは、基地局はＲＲＣ設定を使用し、スロットの各シンボルがＤＬシンボル、ＵＬシンボル、及びフレキシブルシンボルのうちいずれか一つに当たるのかをシグナリングする。詳しくは、基地局はＲＲＣ設定を使用し、スロットが含む複数のＯＦＤＭシンボルのうち明示的にＤＬシンボルに当たるシンボルとＵＬシンボルに当たるシンボルをシグナリングする。具体的な実施例において、端末は、セル特定ＲＲＣ信号によってＤＬスロット及びＤＬシンボルと指示されたシンボルをＤＬシンボルと判断し、セル特定ＲＲＣ信号によってＵＬスロット及びＵＬシンボルと指示されたシンボルをＵＬシンボルと判断し、セル特定ＲＲＣ信号によってフレキシブルシンボルと指示されたシンボルをフレキシブルシンボルと判断する。或いは、端末は、セル特定ＲＲＣ信号によってＤＬスロット及びＤＬシンボルと指示されず、ＵＬスロット及びＵＬシンボルと指示されていないシンボルをフレキシブルシンボルと判断する。
【０１３７】
また、基地局は、スロットが含む複数のＯＦＤＭシンボルうち、ＤＬシンボルに当たるシンボルとＵＬシンボルに当たるシンボルを除く残りのシンボルがフレキシブルシンボルに当たると目次的にシグナリングする。よって、端末はＲＲＣ設定に基づき、スロットが含むシンボルをＤＬシンボル、ＵＬシンボル、及びフレキシブルシンボルのうちいずれか一つと判断する。詳しくは、端末は、ＲＲＣ設定によってＤＬシンボルと指示されたシンボルをＤＬシンボルと判断し、ＲＲＣ設定によってＵＬシンボルと指示されたシンボルをＵＬシンボルと判断する。また、端末は、ＲＲＣ設定によってＤＬシンボルとも指示されず、ＵＬシンボルとも指示されていないシンボルをフレキシブルシンボルと判断する。具体的な実施例において、端末は、セル特定ＲＲＣ信号によってＤＬシンボルと指示されたシンボルをＤＬシンボルと判断し、セル特定ＲＲＣ信号によってＵＬシンボルと指示されたシンボルをＵＬシンボルと判断し、セル特定ＲＲＣ信号によってＤＬシンボルまたはＵＬシンボルと指示されていないシンボルをフレキシブルシンボルと判断する。この際、基地局は、特定端末ＲＲＣ信号を使用してフレキシブルシンボルを設定する。よって、端末は特定端末ＲＲＣ信号に基づき、セル特定ＲＲＣ信号によってフレキシブルシンボルと指示されたＯＦＤＭシンボルがＤＬシンボルであるのか、ＵＬシンボルであるのか、またはフレキシブルシンボルであるのかを判断する。詳しくは、セル特定ＲＲＣ信号がフレキシブルシンボルと指示したＯＦＤＭシンボルを特定端末ＲＲＣ信号がＤＬシンボルと指示すれば、端末は該当ＯＦＤＭシンボルをＤＬシンボルと判断する。また、セル特定ＲＲＣ信号がフレキシブルシンボルと指示したＯＦＤＭシンボルを特定端末ＲＲＣ信号がＵＬシンボルと指示すれば、端末は該当ＯＦＤＭシンボルをＵＬシンボルと判断する。また、セル特定ＲＲＣ信号がフレキシブルシンボルと指示したＯＦＤＭシンボルを特定端末ＲＲＣ信号がＵＬシンボルまたはＤＬシンボルと指示しなければ、端末は該当ＯＦＤＭシンボルをフレキシブルシンボルと判断する。他の具体的な実施例において、セル特定ＲＲＣ信号がフレキシブルシンボルと指示したＯＦＤＭシンボルを特定端末ＲＲＣ信号がフレキシブルシンボルと指示すれば、端末は該当ＯＦＤＭシンボルをフレキシブルシンボルと判断する。
【０１３８】
端末は、ＲＲＣ設定によってＤＬシンボルと設定されたシンボルを常にＤＬシンボルと仮定する。また、端末は、ＲＲＣ設定によってＵＬシンボルと設定されたシンボルを常にＵＬシンボルと仮定する。上述したように、フレキシブルシンボルはアンノウンシンボルと称される。基地局は追加のシグナリングを介してフレキシブルシンボルが使用される情報を追加に指示し得るためである。詳しくは、基地局は、ＲＲＣ設定以外の追加のシグナリングを介してフレキシブルシンボルをＤＬシンボルまたはＵＬシンボルに指示（ｉｎｄｉｃａｔｅ）する。ＲＲＣ設定以外の追加のシグナリングは、制御情報、制御信号、及び制御チャネルのうち少なくともいずれか一つを含む。制御チャネルはＰＤＣＣＨを含む。この際、ＰＤＣＣＨは複数の端末に情報を指示するグループ共通ＰＤＣＣＨを含む。また、ＰＤＣＣＨはいずれか一つの端末に情報を指示する特定端末ＰＤＣＣＨを含む。制御チャネルはＤＣＩを含む。例えば、ＲＲＣ以外の追加のシグナリングは、ＰＤＳＣＨまたはＰＵＳＣＨスケジューリング情報を含む特定端末ＤＣＩ（ＵＥ−ｓｐｅｃｉｆｉｃ  ＤＣＩ）であってもよい。また、ＲＲＣ以外の追加のシグナリングは、スロット設定に関する情報を指示するＬ１−シグナルのダイナミックＳＦＩ（Ｄｙｎａｍｉｃ  ＳＦＩ）である。この際、ダイナミックＳＦＩはグループ共通ＰＤＣＣＨを介して伝送され、ダイナミックＳＦＩはＳＦＩ−ＲＮＴＩによってスクランブリングされたＣＲＣを有するＤＣＩフォーマットを使用する。
【０１３９】
また、ＲＲＣ設定以外の追加のシグナリングにおいて、フレキシブルシンボルをＤＬシンボルまたはＵＬシンボルに指示しなければ、端末はフレキシブルシンボルで基地局に伝送するか基地局からの受信を仮定しない。ＲＲＣ設定以外の追加のシグナリングにおいて、フレキシブルシンボルをＤＬシンボルまたはＵＬシンボルに指示すれば、端末はフレキシブルシンボルを追加のシグナリングが指示する通りにＤＬシンボルまたはＵＬシンボルと仮定する。よって、追加のシグナリングがフレキシブルシンボルがＤＬシンボルであると指示すれば、端末は該当シンボルで基地局からの受信を仮定する。また、追加のシグナリングがフレキシブルシンボルがＵＬシンボルであると指示すれば、端末は該当シンボルで基地局への伝送を行う。
【０１４０】
また、本明細書において、別途の明示がなければ、スロット設定のためのＲＲＣ信号はシステム情報（ｓｙｓｔｅｍ  ｉｎｆｏｒｍａｔｉｏｎ）でセル特定ＲＲＣ信号を示す。基地局は、セル特定ＲＲＣ信号の名称はＳｌｏｔ−ａｓｓｉｇｎｍｎｅｔＳＩＢ１である。また、特定端末ＲＲＣ信号の名称はＳｌｏｔ−ａｓｓｉｇｎｍｎｅｔである。
図２２は、本発明の実施例によるプリエンプション指示子が指示するＯＦＤＭシンボルを示す図である。
【０１４１】
プリエンプション指示子は、複数のＯＦＤＭシンボルのプリエンプションに関する情報を指示する。説明の便宜上、プリエンプション指示子が指示するＯＦＤＭシンボルをリファレンスＤＬ資源と称する。また、基地局は一つまたは複数のスロットごとにプリエンプション指示子を含む制御チャネルを伝送する。端末は一つまたは複数のスロットごとにプリエンプション指示子を含む制御チャネルをモニタリングする。この際、端末はＲＲＣ信号に基づいてプリエンプション指示子をモニタリングするＣＯＲＥＳＥＴの周期を判断する。リファレンスＤＬ資源のデュレーションは、基地局がプリエンプション指示子を含む制御チャネルを伝送する周期によって決定される。また、リファレンスＤＬ資源のデュレーションは、端末がプリエンプション指示子を含む制御チャネルをモニタリングする周期によって決定される。
【０１４２】
端末がｘ個のスロットごとにプリエンプション指示子を含む制御チャネルをモニタリングすれば、端末がｎ番目のスロットから伝送される制御チャネルから獲得したプリエンプション指示子は、ｎ−ｘ番目のスロット、ｎ−ｘ＋１番目のスロット、…、ｎ−１番目のスロットから発生したプリエンプションに関する情報を指示する。よって、端末がｎ番目のスロットから伝送される制御チャネルからプリエンプション指示子を獲得すれば、端末は獲得したプリエンプション指示子に基づいてｎ−ｘ番目のスロット、ｎ−ｘ＋１番目のスロット、…、ｎ−１番目のスロットから発生したプリエンプションを判断する。リファレンスＤＬ資源に当たる時間区間は、該当プリエンプション指示子の直前のプリエンプション指示子を含む制御チャネルが受信されるＣＯＲＥＳＥＴ次のシンボルから、該当プリエンプション指示子を含む制御チャネルが受信されるＣＯＲＥＳＥＴの最後のシンボルまでである。或いは、リファレンスＤＬ資源に当たる時間区間は、受信されたプリエンプション指示子の直前のプリエンプション指示子を含む制御チャネルをモニタリングするように設定されたＣＯＲＥＳＥＴの開始シンボルから、該当プリエンプション指示子を含む制御チャネルが受信されるＣＯＲＥＳＥＴの最初のシンボルの前までを示す。
【０１４３】
リファレンスＤＬ資源に当たる周波数帯域は、該当リファレンスＤＬ資源から発生したプリエンプションを指示するプリエンプション指示子が伝送されるＢＷＰの全体の周波数帯域である。他の具体的な実施例において、リファレンスＤＬ資源に当たる周波数帯域は、基地局のＲＲＣ設定によって指示された特定の周波数帯域である。この際、特定の周波数帯域は連続する周波数帯域である。具体的な実施例において、特定周波数帯域は非連続の周波数帯域である。
【０１４４】
また、プリエンプション指示子は、時間領域と周波数領域でプリエンプション（またはパンクチュアリング）された資源を指示する。この際、プリエンプション指示子は、周波数領域でプリエンプション（またはパンクチュアリング）された資源を指示する情報を含む。
【０１４５】
図２２の実施例において、基地局は４つのスロットごとにプリエンプション指示子を含む制御チャネルを受信する。また、端末は４つのスロットごとにプリエンプション指示子を含む制御チャネルをモニタリングする。よって、プリエンプション指示子を含む制御チャネルがｎ番目のスロットから伝送されれば、該当プリエンプション指示子はｎ−４番目のスロットからｎ−１番目のスロットまで、リファレンスＤＬ資源が含むＤＬ資源のうちどのＤＬ資源でプリエンプションが発生したのかを指示する。
【０１４６】
じょうじゅつプリエンプション指示子は特定端末に割り当てられたＤＬ資源のうちどの資源がプリエンプションされたのかに関する情報を含む。よって、プリエンプション指示子はＤＬ資源を割り当てられた端末に必要な情報を含む。また、プリエンプション指示子をＵＬ資源を割り当てられた端末はプリエンプション指示子をモニタリングする必要がある。プリエンプション指示子は、プリエンプション指示子に当たるスロットが含むＯＦＤＭシンボルのうち一部のシンボルを除く残りのＯＦＤＭシンボルに関する情報を指示する。それについては、図２３乃至図２６を介して説明する。
【０１４７】
図２３は、本発明の実施例によるプリエンプション指示子が指示するＯＦＤＭシンボルを示す図である。
一部のシンボルは、該当シンボルの用途を指示するＲＲＣ信号によって決定される。詳しくは、プリエンプション指示子は、ＤＬシンボルまたはＤＬシンボルになり得るフレキシブルシンボルに当たる資源に関する情報のみを指示する。このような実施例において、リファレンスＤＬ資源は不連続である。端末は次にの実施例によって、プリエンプション指示子にプリエンプションに関する情報が指示されるＯＦＤＭシンボルを判断する。
【０１４８】
具体的な実施例において、基地局はプリエンプション指示子に当たるリファレンスＤＬ資源をＲＲＣ構成を使用して明示的に指示する。端末は、ＲＲＣ設定がＤＬスロット及びＤＬシンボルに指示するＯＦＤＭシンボルでのみプリエンプションが行われると仮定する。また、端末は、プリエンプション指示子がプリエンプション指示子に当たるリファレンスＤＬ資源で指示するＯＦＤＭシンボルから発生するプリエンプションに関する情報を指示すると仮定する。例えば、基地局はＲＲＣ信号を使用して端末にリファレンスＤＬ資源に当たるＯＦＤＭシンボルを示すビットマップを伝送する。この際、ビットマップの各ビットは、各ビットに当たるＯＦＤＭシンボルがプリエンプション指示子に当たるのかを示す。図２３の実施例において、基地局は４つのスロットごとにプリエンプション指示子を含む制御チャネルを伝送する。この際、各スロットは１４個のＯＦＤＭシンボルを含む。基地局はＲＲＣ信号を使用して５６ビットの長さを有するビットマップを伝送し、リファレンスＤＬ資源に当たるＯＦＤＭシンボルを指示する。端末はＲＲＣ信号からビットマップを獲得し、リファレンスＤＬ資源に当たるＯＦＤＭシンボルを判断する。
【０１４９】
他の具体的な実施例において、端末はＲＲＣ信号に設定されたスロットフォーマットに基づき、リファレンスＤＬ資源に当たるＯＦＤＭシンボルを判断する。詳しくは、端末はＲＲＣ設定によってＵＬシンボルと設定されたＯＦＤＭシンボルがリファレンスＤＬ資源に含まれないと判断する。端末は、ＲＲＣ設定によってＵＬシンボルと設定されたＯＦＤＭシンボルを常にＵＬシンボルと仮定するためである。端末は、基地局がＲＲＣ設定によってＵＬシンボルと設定されたＯＦＤＭシンボルをプリエンプションしないと仮定する。具体的な実施例において、端末は、リファレンスＤＬ資源がＲＲＣ設定にＤＬシンボルまたはフレキシブルシンボルと指示された新保楼のみを含むと判断する。詳しくは、基地局はプリエンプション指示子伝送周期内のＯＦＤＭシンボルのうちＲＲＣ信号によってＵＬシンボルと設定されるＯＦＤＭシンボルを除く残りのＯＦＤＭシンボルをリファレンスＤＬ資源と設定する。この際、基地局は、該当リファレンスＤＬ資源に対するプリエンプションに関する情報に基づいてプリエンプション指示子を設定し、制御チャネルを介してプリエンプション指示子を端末にシグナリングする。また、端末は、ＲＲＣ信号によってＵＬシンボルと設定されたＯＦＤＭシンボルがリファレンスＤＬ資源に含まれないと判断する。端末は、プリエンプション指示子モニタリング周期の間のＯＦＤＭシンボルのうち、ＲＲＣ信号によってＤＬシンボルと設定されたＯＦＤＭシンボルと、ＲＲＣ信号によってフレキシブルシンボルと設定されたシンボルをリファレンスＤＬ資源と判断する。例えば、プリエンプション指示子モニタリング周期の間のＯＦＤＭシンボルがＲＲＣ信号によって設定されたＡ個のＤＬシンボル、ＲＲＣ信号によって設定されたＣ個のフレキシブルシンボル、及びＲＲＣ信号によって設定されたＢ個のＵＬシンボルと設定されると仮定してもよい。この際、端末は、ＲＲＣ信号によって設定されたＡ個のＤＬシンボルと、セル特定信号によって設定されたＣ個のフレキシブルシンボルをリファレンスＤＬ資源と判断する。
【０１５０】
このような実施例において、ＲＲＣ信号はセル特定ＲＲＣ信号を含み、特定端末ＲＲＣ信号を含まない。詳しくは、基地局はプリエンプション指示子伝送周期内のＯＦＤＭシンボルのうちセル特定ＲＲＣ信号によってＵＬシンボルと設定されるＯＦＤＭシンボルを除く残りのＯＦＤＭシンボルをリファレンスＤＬ資源に設定し、該当リファレンスＤＬ資源に対するプリエンプションに関する情報に基づいてプリエンプション指示子を設定する。この際、基地局は、制御チャネルを介してプリエンプション指示子を端末にシグナリングする。また、端末は、セル特定ＲＲＣ信号によってＵＬシンボルと設定されたＯＦＤＭシンボルがリファレンスＤＬ資源に含まれないと判断する。端末は、プリエンプション指示子モニタリング周期の間のＯＦＤＭシンボルのうち、セル特定ＲＲＣ信号によってＤＬシンボルと設定されたＯＦＤＭシンボルと、セル特定ＲＲＣ信号によってフレキシブルシンボルと設定されたシンボルをリファレンスＤＬ資源と判断する。例えば、プリエンプション指示子モニタリング周期の間のＯＦＤＭシンボルがセル特定ＲＲＣ信号によって設定されたＡ個のＤＬシンボル、セル特定ＲＲＣ信号によって設定されたＣ個のフレキシブルシンボル、及びセル特定ＲＲＣ信号によって設定されたＢ個のＵＬシンボルと設定されると仮定してもよい。この際、端末は、セル特定ＲＲＣ信号によって設定されたＡ個のＤＬシンボルと、セル特定信号によって設定されたＣ個のフレキシブルシンボルをリファレンスＤＬ資源と判断する。
【０１５１】
このような実施例において、ＲＲＣ信号はセル特定ＲＲＣ信号だけでなく、特定端末ＲＲＣ信号を含んでもよい。よって、端末は、セル特定ＲＲＣ信号によってＵＬシンボルと設定されたＯＦＤＭシンボルと端末特定ＲＲＣ信号によってＵＬシンボルと設定されたＯＦＤＭシンボルがリファレンスＤＬ資源に含まれないと判断する。端末は、プリエンプション指示子モニタリング周期の間のＯＦＤＭシンボルのうち、セル特定ＲＲＣ信号によってＤＬシンボルと設定されたＯＦＤＭシンボルと、端末特定ＲＲＣ信号によってＤＬシンボルと設定されたＯＦＤＭシンボルを除く残りのシンボルをリファレンスＤＬ資源と判断する。端末が特定端末ＲＲＣ信号を受信しないか、端末に該当特定端末ＲＲＣ信号が構成されていなければ、端末はセル特定ＲＲＣ信号のみに基づいてリファレンスＤＬリソースを判断する。
【０１５２】
また、端末は、リファレンスＤＬ資源でＵＬシンボルの前に連続して位置するｎ個のフレキシブルシンボルを除く。詳しくは、基地局はプリエンプション指示子伝送周期内のＯＦＤＭシンボルのうちＲＲＣ信号によってＵＬシンボルと設定されるＯＦＤＭシンボルをと、ＲＲＣ信号によってＵＬシンボルと設定されるＯＦＤＭシンボルの直前に連続して位置するｎ個のフレキシブルシンボルを除く残りのＯＦＤＭシンボルをリファレンスＤＬ資源に設定し、該当リファレンスＤＬ資源に対するプリエンプションに関する情報に基づいてプリエンプション指示子を設定する。この際、基地局は、制御チャネルを介してプリエンプション指示子を端末にシグナリングする。ＤＬ伝送とＵＬ伝送との間の基地変えのための時間間隔（ｇａｐ）が必要で、それによってＵＬ伝送またはＤＬ伝送に使用できないフレキシブルシンボルが存在する可能性があるためである。詳しくは、ＵＬシンボルの直前に連続して位置するｎ個のフレキシブルシンボルは、ＤＬ−ＵＬスイッチングのためのガードピリオドに当たるか、潜在的にＵＬシンボルに割り当てらえる可能性はあるが、潜在的にＤＬシンボルに割り当てられる可能性はない。また、、端末は、ＲＲＣ信号によってＵＬシンボルと設定されたＯＦＤＭシンボルと、ＲＲＣ信号によってＵＬシンボルと設定されたＯＦＤＭシンボルの直前に連続して位置するｎ個のフレキシブルシンボルがリファレンスＤＬ資源に含まれないと判断する。端末は、プリエンプション指示子モニタリング周期の間のＯＦＤＭシンボルのうち、ＲＲＣ信号によってＤＬシンボルと設定されたＯＦＤＭシンボルとフレキシブルシンボルのうちから、ＲＲＣ信号によってフレキシブルシンボルと設定され、ＵＬシンボルの直前に連続して位置するｎ個のシンボルを除いてリファレンスＤＬ資源と判断する。この際、ｎは1である。また、ｎは２以上である。また、基地局はＲＲＣ信号を使用してｎの値をシグナリングする。この際、端末はＲＲＣ信号を使用してｎの値を決定する。また、「プリエンプション指示子伝送周期内のＯＦＤＭシンボルのうちＲＲＣ信号によってＵＬシンボルと設定されるＯＦＤＭシンボル」において、ＲＲＣ信号はセル特定ＲＲＣ信号を含み、特定端末ＲＲＣ信号を含まない。たの具体的な実施例において、「プリエンプション指示子伝送周期内のＯＦＤＭシンボルのうちＲＲＣ信号によってＵＬシンボルと設定されるＯＦＤＭシンボル」において、ＲＲＣ信号はセル特定ＲＲＣ信号と特定端末ＲＲＣ信号の両方を含む。
【０１５３】
ＮＲシステムは、フォワード互換性（ｆｏｒｗａｒｄ  ｃｏｍｐａｔｉｂｉｌｉｔｙ）またはバックワード互換性（ｂａｃｋ  ｃｏｍｐａｔｉｂｉｌｉｔｙ）のために一部の資源をリザーブする。このような資源をリザーブド（ｒｅｓｅｒｖｅｄ）資源と称する。リザーブド資源は、ＤＬ伝送またはＵＬ伝送のために使用される。よって、リファレンスＤＬ資源はリザーブド資源を考慮して設定される。それについては、図２４乃至図２６を介して説明する。
【０１５４】
図２４乃至図２６は、リザーブド資源に関して本発明の実施例によるプリエンプション指示子が指示するＯＦＤＭシンボルを示す図である。
上述した実施例において、端末はリファレンスＤＬ資源からリザーブド資源にマッピングされたシンボルを除外する。詳しくは、端末はＯＦＤＭシンボルの全てのＰＲＢがリザーブド資源と設定されたＯＦＤＭシンボルをリファレンスＤＬリソースから除外する。
【０１５５】
図２４において、プリエンプション指示子伝送周期内のＯＦＤＭシンボルのうち一部のシンボルの一部のＰＲＢがリザーブド資源と設定されている。よって、端末は、リファレンスＤＬ資源が該当シンボルを含むと判断する。図２５において、プリエンプション指示子伝送周期内のＯＦＤＭシンボルのうち一部のシンボルの全てののＰＲＢがリザーブド資源と設定されている。よって、端末は、リファレンスＤＬ資源が該当シンボルを含まないと判断する。
【０１５６】
他の具体的な実施例において、端末は、リザーブド資源がマッピングされた周波数領域に基づき、リファレンスＤＬ資源からリザーブド資源にマッピングされたシンボルを除外する。詳しくは、プリエンプション指示子で使用する周波数領域粒度（ｇｒａｎｕｌａｒｉｔｙ）に応じて、リファレンスＤＬ資源は周波数領域から分割される。リファレンスＤＬ資源が周波数領域から分割されれば、端末は分割された周波数領域別に全てのＰＲＢがリザーブド資源として設定されたＯｆをリファレンスＤＬ資源から除外する。
【０１５７】
図２６において、周波数領域粒度はリファレンスＤＬ資源が占めるＰＲＢの半分である。よって、リファレンスＤＬ資源は点線に沿って２つの領域に区分される。プリエンプション指示子が伝送周期内のＯＦＤＭシンボルのうち点線上側のリファレンスＤＬリソースに当たり、全てのＰＲＢがリザーブド資源として設定されたＯＦＤＭシンボルが存在する。よって、端末は、リファレンスＤＬ資源から該当シンボルを除外する。プリエンプション指示子が伝送周期内のＯＦＤＭシンボルのうち点線下側のリファレンスＤＬリソースに当たり、全てのＰＲＢがリザーブド資源として設定されたＯＦＤＭシンボルは存在しない。但し、プリエンプション指示子が伝送周期内のＯＦＤＭシンボルのうち点線下側のリファレンスＤＬリソースに当たり、全てのＰＲＢがリザーブド資源として設定されたＯＦＤＭシンボルは存在する。よって、端末は、ＤＬリソースにリファレンスＤＬ資源から該当シンボルを除外しない。
【０１５８】
他の具体的な実施例において、端末は、ＯＦＤＭシンボルの全てのＰＲＢがリザーブド資源として設定されたのかには関わらずにリファレンスＤＬリソースと判断する。詳しくは、端末は、端末にリザーブド資源と設定されたＯＦＤＭシンボルをリファレンスＤＬリソースから除外する。リザーブド資源と設定されたＰＲＢは、セル特定ＲＲＣ信号によって設定される。
【０１５９】
３ＧＰＰ  ＮＲシステムにおいて、端末はＰＲＡＣＨを使用してランダムアクセスを行う。端末は、ＰＲＡＣＨ伝送に関連してリファレンスＤＬリソースを判断する。以下の説明を介し、端末がＰＲＡＣＨ伝送に関連してリファレンスＤＬリソースを判断する方法を説明する。
【０１６０】
端末のためのＰＲＡＣＨは基地局によって設定される。端末は、ＲＭＳＩ（ｒｅｍａｉｎｉｎｇ  ｍｉｎｉｍｕｍ  ｓｙｓｔｅｍ  ｉｎｆｏｒｍａｔｉｏｎ）から端末に対するＰＲＡＣＨ設定に関する情報を獲得する。ＰＲＡＣＨ設定に関する情報は、ＰＲＡＣＨ伝送パラメータ設定に関する情報を含む。詳しくは、ＰＲＡＣＨ伝送パラメータ設定に関する情報は、ＰＲＡＣＨプリアンブルフォーマット設定、ＰＲＡＣＨが伝送される時間資源設定、及びＰＲＡＣＨが伝送される周波数資源設定のうち少なくともいずれか一つを含む。また、ＰＲＡＣＨ設定に関する情報は、ＰＲＡＣＨプリアンブルのルートシーケンスとサイクリックシフト値に対する設定に関する情報を含む。
【０１６１】
また、端末は、端末が６０ＧＨｚ以上の周波数帯域を称するキャリア（またはセル）からＰＲＡＣＨを伝送するのかに応じて、端末がＰＲＡＣＨを伝送する条件が異なり得る。６０ＧＨｚ以下の周波数帯域を使用するキャリアをＦＲ１キャリアと称し、６０ＧＨｚ以上の周波数帯域を使用するキャリアをＦＲ２キャリアと称する。セミ−スタティックＤＬ／ＵＬ設定（ＤＬ−ＵＬ  ｃｏｎｆｉｇｕｒａｔｉｏｎ）が設定された端末は、ＦＲ１キャリア（またはセル）でＵＬシンボルのみからＰＲＡＣＨを伝送する。ＰＲＡＣＨの時間資源設定がＤＬシンボルまたはフレキシブルシンボルと重なれば、セミ−スタティックＤＬ／ＵＬ設定が設定された端末はＦＲ１キャリア（またはセル）から該当ＰＲＡＣＨを伝送できない。セミ−スタティックＤＬ／ＵＬ設定が設定された端末は、ＦＲ２キャリア（またはセル）でＵＬシンボル及びフレキシブルシンボルのみからＰＲＡＣＨを伝送する。ＰＲＡＣＨの時間資源設定がＤＬシンボルと重なれば、セミ−スタティックＤＬ／ＵＬ設定が設定された端末はＦＲ１キャリア（またはセル）から該当ＰＲＡＣＨを伝送できない。また、ＦＲ２キャリア（またはセル）でＰＲＡＣＨがＳＳ／ＰＢＣＨブロックより先に存在すれば、端末はＰＲＡＣＨを伝送できない。
【０１６２】
ＦＲ２キャリア（またはセル）において、端末がプリエンプション指示子が指示するリファレンスＤＬ資源を判断する場合端末はリファレンスＤＬ資源がＰＲＡＣＨ伝送で設定されたＯＦＤＭシンボルを含まないと判断する。この際、端末は、上述したＲＭＳＩに基づいて、ＰＲＡＣＨ伝送で設定されたＯＦＤＭシンボルに関する情報を獲得する詳しくは、端末はＲＭＳＩからセル特定ＲＲＣ信号であるＰＲＡＣＨＣｏｎｆｉｇｕｒａｔｉｏｎＩｎｄｅｘを獲得する。
【０１６３】
他の具体的な実施例において、ＦＲ１キャリア（またはセル）とＦＲ２キャリア（またはセル）において、端末がプリエンプション指示子が指示するリファレンスＤＬ資源を判断する場合端末はリファレンスＤＬ資源がＰＲＡＣＨ伝送で設定されたＯＦＤＭシンボルを含まないと判断する。この際、端末は、上述したＲＭＳＩに基づいて、ＰＲＡＣＨ伝送で設定されたＯＦＤＭシンボルに関する情報を獲得する詳しくは、端末はＲＭＳＩからセル特定ＲＲＣ信号であるＰＲＡＣＨＣｏｎｆｉｇｕｒａｔｉｏｎＩｎｄｅｘを獲得する。
【０１６４】
３ＧＰＰ  ＮＲシステムにおいて、端末がＳＳ／ＰＢＣＨブロックを受信するために必要な情報は基地局によって設定される。端末は、ＳＳ／ＰＢＣＨブロックに関連してリファレンスＤＬリソースを判断する。以下の説明を介し、端末がＳＳ／ＰＢＣＨブロックに関連してリファレンスＤＬリソースを判断する方法を説明する。
【０１６５】
ＳＳ／ＰＢＣＨブロックを受信するために必要な情報はセル特定ＲＲＣ信号によって設定される。詳しくは、ＳＳ／ＰＢＣＨブロックブロックを受信するために必要な情報は、セル特定ＲＲＣ信号のＳＳＢ−ｔｒａｎｓｍｉｔｔｅｄ−ＳＩＢ１によって設定される。また、ＳＳ／ＰＢＣＨブロックを受信するために必要な情報は特定端末ＲＲＣ信号によって設定される。詳しくは、ＳＳ／ＰＢＣＨブロックを受信するために必要な情報は特定端末ＲＲＣ信号のＳＳＢ−ｔｒａｎｓｍｉｔｔｅｄによって設定される。端末はセル特定ＲＲＣ信号と特定端末ＲＲＣ信号からＳＳ／ＰＢＣＨブロックを受信するために必要な情報を獲得できなければ、端末は予め決められたＳＳ／ＰＢＣＨブロックをモニタリングする。端末がＳＳＢ−ｔｒａｎｓｍｉｔｔｅｄ−ＳＩＢ１を獲得し、ＳＳＢ−ｔｒａｎｓｍｉｔｔｅｄを獲得できなければ、端末はＳＳＢ−ｔｒａｎｓｍｉｔｔｅｄ−ＳＩＢ１で設定したＳＳ／ＰＢＣＨブロックをモニタリングする。する。端末がＳＳＢ−ｔｒａｎｓｍｉｔｔｅｄを獲得したら、端末はＳＳＢ−ｔｒａｎｓｍｉｔｔｅｄで設定したＳＳ／ＰＢＣＨブロックをモニタリングする。
【０１６６】
端末は、ＤＬ  ＳＳ／ＰＢＣＨブロックと設定されたＯＦＤＭシンボルをリファレンスＤＬ資源に追加する。上述したように、ＤＬ  ＳＳ／ＰＢＣＨブロックと設定されたシンボルは、セル特定ＲＲＣ信号であるＳＳＢ−ｔｒａｎｓｍｉｔｔｅｄ−ＳＩＢ１、及び特定端末ＲＲＣ信号であるＳＳＢ−ｔｒａｎｓｍｉｔｔｅｄのうち少なくともいずれか一つによって設定される。詳しくは、端末はリファレンスＤＬ資源に含まれていないＯＦＤＭシンボルのうちセル特定ＲＲＣ信号によってＳＳ／ＰＢＣＨブロックと設定されたシンボルをリファレンスＤＬ資源に追加する。
【０１６７】
具体的な実施例において、ＦＲ１のセル（またはキャリア）において、端末はリファレンスＤＬ資源がＳＳ／ＰＢＣＨブロックと設定しないながら、セル特定ＲＲＣ信号によってＵＬシンボルと設定せれたＯＦＤＭシンボルを含まないと判断する。端末は、プリエンプションモニタリング周期の間のＯＦＤＭシンボルのうちセル特定ＲＲＣ信号によって設定されたＤＬシンボル、セル特定ＲＲＣ信号によって設置されたフレキシブルシンボル、及びセル特定ＲＲＣ信号によって設定されたＵＬシンボルのうち、ＳＳ／ＰＢＣＨブロックと設定されたＯＦＤＭシンボルをリファレンスＤＬ資源と判断する。
【０１６８】
ＦＲ２のセル（またはキャリア）において、端末はリファレンスＤＬ資源がセル特定ＲＲＣ信号によってＵＬシンボルと設定せれたＯＦＤＭシンボルを含まないと判断する。端末は、リファレンスＤＬ資源がＰＲＡＣＨと設定されたＯＦＤＭシンボルのうち、「実際のＰＲＡＣＨ伝送」のためのＯＦＤＭシンボルを含まないと判断する。本明細書において、「実際のＰＲＡＣＨ伝送」とは、端末に設定されたＰＲＡＣＨのうち端末が上述したＰＲＡＣＨ伝送条件に応じて実際に伝送するＰＲＡＣＨを意味する。また、上述したように、ＯＦＤＭシンボルはセル特定ＲＲＣ信号によってＰＲＡＣＨと設定される。この際、セル特定ＲＲＣ信号はＲＭＳＩである。詳しくは、端末は、プリエンプションモニタリング周期の間のＯＦＤＭシンボルのうち、セル特定ＲＲＣ信号によってＤＬシンボル、及び実際のＰＲＡＣＨ伝送のためのＯＦＤＭシンボルを除くセル特定ＲＲＣ信号によって設定されたフレキシブルシンボルをリファレンスＤＬ資源と判断する。
【０１６９】
このような実施例において、端末はリファレンスＤＬ資源がＳＳ／ＰＢＣＨブロックと設定されないながら、ＰＲＡＣＨと設定されたシンボルを含まないと判断する。詳しくは、端末は、プリエンプションモニタリング周期の間のＯＦＤＭシンボルのうちセル特定ＲＲＣ信号によって設定されたＤＬシンボル、ＰＲＡＣＨと設置されたＯＦＤＭシンボルを除くセル特定ＲＲＣ信号によって設定されたフレキシブルシンボル、及びＳＳ／ＰＢＣＨブロックと設定されたＯＦＤＭシンボルをリファレンスＤＬ資源と判断する。ＲＲＣ信号によって設定されたＳＳ／ＰＢＣＨブロックと設定されたＯＦＤＭシンボルと、ＰＲＡＣＨと設定されたＯＦＤＭシンボルが重なれば、端末は該当ＯＦＤＭシンボルをＤＬシンボルとみなす。よって、ＲＲＣ信号によって設定されたＳＳ／ＰＢＣＨブロックと設定されたＯＦＤＭシンボルと、ＰＲＡＣＨと設定されたＯＦＤＭシンボルが重なれば、端末はリファレンスＤＬ資源が該当ＯＦＤＭシンボルを含むと判断する。
【０１７０】
前記実施例において、端末は、ＰＲＡＣＨと設定されたＯＦＤＭシンボルではない「実際のＰＲＡＣＨ伝送」のためのＯＦＤＭシンボルに基づいてＤＬ資源を判断する。詳しくは、端末は、リファレンスＤＬ資源がＳＳ／ＰＢＣＨブロックと設定されないながら、実際のＰＲＡＣＨ伝送のためのＯＦＤＭシンボルと設定されたＯＦＤＭシンボルを含まないと判断する。具体的な実施例において、端末は、プリエンプションモニタリング周期の間のＯＦＤＭシンボルのうちセル特定ＲＲＣ信号によって設定されたＤＬシンボル、実施のＰＲＡＣＨ伝送のために設置されたＯＦＤＭシンボルを除くセル特定ＲＲＣ信号によって設定されたフレキシブルシンボル、及びＳＳ／ＰＢＣＨブロックと設定されたＯＦＤＭシンボルをリファレンスＤＬ資源と判断する。
【０１７１】
上述した３つの実施例において、端末がＦＲ２でリファレンスＤＬ資源を判断することを説明した。端末はＦＲ２だけでなく、ＦＲ１でも上述した３つの実施例によってリファレンスＤＬ資源を判断する。
【０１７２】
基地局は、プリエンプション指示子別のリファレンスＤＬ資源をプリエンプション指示子モニタリング周期とオフセットを使用してシグナリングする。端末は、プリエンプション指示子別リファレンスＤＬ資源をプリエンプション指示子モニタリング周期とオフセットに基づいて判断する。詳しくは、端末は、以下の数式を使用してリファレンスＤＬ資源に当たるＯＦＤＭシンボルのインデックスを判断する。
｛mTINT-Δoffset,mTINT+1-Δoffset, ... ,(m+1)TINT-1-Δoffset｝
この際、
｛mTINT,mTINT+1, ... ,(m+1)TINT-1｝
【０１７３】
はプリエンプション指示子モニタリング周期の間のＯＦＤＭシンボルのインデックスである。また、Δoffsetはオフセットである。オフセットは、０、１４、及びＴＩＮＴ値のうちいずれか一つを有する。また、オフセットはＲＲＣ信号によって構成される。
【０１７４】
プリエンプション指示子が一つのビットごとに一つのＯＦＤＭシンボルのプリエンプション可否を指示すれば、プリエンプション指示子のオーバーヘッドが過度に大きくなる恐れがある。具体的な実施例において、スロットが１４個のＯＦＤＭシンボルを含み、プリエンプション指示子が４つのスロットが含むＯＦＤＭシンボルでプリエンプションが発生したのかを指示すると仮定する。この際、プリエンプション指示子が一つのビットごとに一つのＯＦＤＭシンボルのプリエンプション可否を指示すれば、プリエンプション指示子は総５６ビットを使用すべきである。基地局は、プリエンプション指示子の一つのビットが一つ以上のＯＦＤＭシンボルでプリエンプションが起こったのかを指示するようにプリエンプション指示子を設定する。例えば、プリエンプション指示子の一つのビットは４つのＯＦＤＭシンボルでプリエンプションが起こったのかを指示してもよい。スロットが１４個のＯＦＤＭシンボルを含み、プリエンプション指示子が４つのスロットが含むＯＦＤＭシンボルでプリエンプションが発生したのかを指示する仮定すれば、プリエンプション指示子は１４ビットを必要とする。プリエンプション指示子は、リファレンスＤＬ資源に当たる全体のＯＦＤＭシンボルをそれぞれ一つ以上のＯＦＤＭシンボルを指示する複数のグループに区分し、各部ループでプリエンプションが起こるのかを一つのビットで指示する。この際、端末は、プリエンプション指示子の各ビットの値に応じて該当グループに当たる一つ以上のＯＦＤＭシンボルから端末に対する伝送が起こっていないと判断する。また、端末は、プリエンプション指示子の各ビットの値に応じて該当グループに当たる一つ以上のＯＦＤＭシンボルから端末に対する伝送が起こったと判断する。プリエンプション指示子がリファレンスＤＬ資源に当たる全体のＯＦＤＭシンボルをそれぞれ一つ以上のＯＦＤＭシンボルを指示する複数のグループに区分する方法について、図２７乃至図２９を参照して説明する。
【０１７５】
図２７は、本発明の実施例によるプリエンプション指示子のビットマップがプリエンプション可否を指示するＯＦＤＭシンボルを示す図である。
リファレンスＤＬ資源がＳ個のＯＦＤＭシンボルを含み、プリエンプション指示子がＮ−ビットの長さを有する際、Ｓ個のＯＦＤＭシンボルをＮ個のグループに分けてＳ個のＯＦＤＭシンボルにおけるプリエンプション可否をＮ−ビットで指示する方法を説明する。この際、端末は、プリエンプション指示子のＮ−ビットのうち各ビットの値に応じて該当ビットに当たるグループに属するのＯＦＤＭシンボル（ら）全てにおいて、基地局から端末に対する伝送が起こったか起こっていないと判断する。詳しくは、プリエンプション指示子のＮ−ビットのうちいずれか一つのビットが第１値であれば、端末は該当ビットに当たるグループに属する一つ以上のＯＦＤＭシンボル全てから基地局から端末に対する伝送が起こったと判断する。また、プリエンプション指示子のＮ−ビットのうちいずれか一つのビットが第２値であれば、端末は該当ビットに当たるグループに属する一つ以上のＯＦＤＭシンボル全てにおいて、基地局から端末に対する伝送が起こっていないと判断する。よって、端末は基地局からスケジューリングされた資源内で追加にプリエンプション指示子を受信し、プリエンプションによる基地局から端末に対する伝送が行ったのかに対する判断によって、端末は基地局からスケジューリングされた資源に対するデコーディングを行う。詳しくは、端末はプリエンプション指示子によって特定ＯＦＤＭシンボルグループのＯＦＤＭシンボルにおいて、基地局から端末に対する伝送が起こったと判断する。この際、端末はスケジューリングされた資源において、該当ＯＦＤＭシンボルグループを含んでデコーディング及びコンバイニング（ｃｏｍｂｉｎｉｎｇ）を行う。また、端末は、プリエンプション指示子によって特定ＯＦＤＭシンボルグループのＯＦＤＭシンボル全部において、プリエンプションによって基地局から端末に対する伝送が起こっていないと判断する。この際、端末はスケジューリングされた資源において、該当ＯＦＤＭシンボル（ら）を排除してデコーディング及びコンバイニングを行う。
【０１７６】
プリエンプション指示子がそれぞれのビットに当たるＯＦＤＭシンボルグループのプリエンプション可否を指示するビットマップを含む際、基地局はＲＲＣ信号を使用してビットマップのビットそれぞれが指示するＯＦＤＭシンボルのインデックスを明示的にシグナリングする。端末はＲＲＣ信号に基づき、プリエンプション指示子が含むビットマップのビットそれぞれが指示するＯＦＤＭシンボルのインデックスを獲得する。他の具体的な実施例において、端末は予め指定された規則によって、プリエンプション指示子が含むビットマップのビットそれぞれが指示するＯＦＤＭシンボルを判断する。
【０１７７】
また、基地局は、次の方法によってＳ個のＯＦＤＭシンボルをＮ個のグループに区分し、Ｎ個のグループ別にプリエンプション可否を指示する。この際、端末はプリエンプション指示子に基づいてＮ個のグループ別にプリエンプション可否を判断する。この際、ＤＬリファレンス資源に当たるＳ個のＯＦＤＭシンボルは、時間順にＣ個ずつＮ個のグループにグルーピングされる。この際、Ｃは次の数式によって決定される。
Ｃ＝ｃｅｉｌ（Ｓ／Ｎ）
【０１７８】
Ｓ個のＯＦＤＭシンボルを１からＮまでの時間順にインデクシングして表示する場合、Ｎ個のＯＦＤＭシンボルは次のようにグルーピングされると示される。第１グループは、｛１、２、…、Ｃ｝、第２グループは｛Ｃ＋１、Ｃ＋２、…、２＊Ｃ｝、…、Ｎ−１番目のグループは｛（Ｎ−２）＊Ｃ＋１、（Ｎ−２）＊Ｃ＋２、…、（Ｎ−１）＊Ｃ｝、Ｎ番目のグループは｛（Ｎ−１）＊Ｃ、（Ｎ−１）＊Ｃ＋１、…、Ｓ｝である。
【０１７９】
他の具体的な実施例において、各グループが含むＯＦＤＭシンボルの数の間の差は最大１である。Ｎ個のグループのうち、ｍｏｄ（Ｓ、Ｎ）のグループはｃｅｉｌ（Ｓ／Ｎ）個のＯＦＤＭシンボルを含み、残りの（Ｎ−ｍｏｄ（Ｓ、Ｎ））グループはｆｌｏｏｒ（Ｓ／Ｎ）個のＯＦＤＭシンボルを含む。この際、ｍｏｄ（ａ、ｂ）は、ａをｂで割った際の残りを示す。本明細書において、特別に言及しない限り、ｍｏｄ（ａ、ｂ）はａをｂで割った際の残りを示す。ｆｌｏｏｒ（ｘ）はｘと同じであるか小さい枢のうち最も大きい整数を示す。本明細書において、特別に言及されない限り、ｆｌｏｏｒ（ｘ）はｘと同じであるか小さい数のうち最も大きい整数を示す。
【０１８０】
上述したように、リファレンスＤＬ資源が含むＯＦＤＭシンボルは連続的である。この際、リファレンスＤＬ資源が含むＳ個のＯＦＤＭシンボルが連続的な際のように時間順にインデクシングされ、Ｓ個のＯＦＤＭシンボルは上述した２つの実施例によってＮ個のグループに区分される。但し、このような実施例において、非連続の複数のＯＦＤＭシンボルが一つのグループに分類される。また、非連続の複数のＯＦＤＭシンボルが同時にプリエンプションによってパンクチュアリングされる確率は希薄である。それにも関わらず、一つのグループにプリエンプション可否がシグナリングされる。
【０１８１】
他の具体的な実施例において、リファレンスＤＬ資源が含むＳ個のＯＦＤＭシンボルは、連続するＯＦＤＭシンボルを含むＮ個のグループにグルーピングされる。詳しくは、個別グループは連続するＯＦＤＭシンボルのみを含む。説明の便宜上、各グループが含むＯＦＤＭシンボルの数をＳ１、Ｓ２、…、ＳＭと表す。また、各グループに当たるプリエンプション指示子のビット数をそれぞれＮ１、Ｎ２、…、ＮＭと表す。この際、Ｎ１＋Ｎ２＋…＋ＮＭ＝Ｎを満足する。各グループに当たるプリエンプション指示子のビット数は、各グループが含むＯＦＤＭシンボルの数に基づいて決定される。詳しくは、各グループに当たるプリエンプション指示子のビット数は、各グループが含むＯＦＤＭシンボルの数に比例する。詳しくは、最後のグループを除く残りのグループの場合、以下の数式によって各グループに当たるプリエンプション指示子のビット数が決定される。
Ｎｉ＝ｒｏｕｎｄ（Ｎ−Ｍ）＊Ｓｉ／Ｓ）＋１
この際、ｉは各グループのインデックスを示す。また、ｒｏｕｎｄ（ｘ）はｘと最も近い整数を示す。本明細書において、特別に言及されない限り、ｒｏｕｎｄ（ｘ）はｘと最も近い整数を示す。また、ｒｏｕｎｄ（ｘ）は下降演算を示すｆｌｏｏｒ（ｘ）または上昇演算を示すｃｅｉｌ（ｘ）に変更されてもよい。
最後のグループの場合、以下の数式によって最後のグループに当たるプリエンプション指示子のビット数が決定される。
ＮＭ＝Ｎ−（Ｎ１＋Ｎ２＋…＋ＮＭ−１）。
【０１８２】
他の具体的な実施例において、最後のグループを除く残りのグループの場合、各グループに当たるプリエンプション指示子のビット数は以下の数式によって決定される。
Ｎｉ＝ｒｏｕｎｄ（Ｎ＊Ｓｉ／Ｓ）
この際、ｉは各グループのインデックスを示す。また、ｒｏｕｎｄ（ｘ）はｘと最も近い整数を示す。また、ｒｏｕｎｄ（ｘ）は下降演算を示すｆｌｏｏｒ（ｘ）または上昇演算を示すｃｅｉｌ（ｘ）に変更されてもよい。
最後のグループに当たるプリエンプション指示子のビット数は、以下の数式によって決定される。
ＮＭ＝Ｎ−（Ｎ１＋Ｎ２＋…＋ＮＭ−１）。
【０１８３】
上述した実施例において、各グループは連続するＯＦＤＭシンボルを含む。但し、異なるスロットに含まれるＯＦＤＭシンボルが一つのグループに共に含まれる。例えば、ｎ−３番目のスロットの最後のＯＦＤＭシンボルと、ｎ−２番目のスロットの最初のＯＦＤＭシンボルが一つのグループに含まれる。互いに異なるスロットに含まれたＯＦＤＭシンボルには、互いに異なる伝送ブロック（ｔｒａｎｓｐｏｒｔ  ｂｌｏｃｋ、ＴＢ）が割り当てられる。よって、具体的な実施例において、各グループには同じスロットに含まれたＯＦＤＭシンボルのみが含まれる。例えば、端末と基地局は、プリエンプション指示子のグルーピングに関連して、異なるスロットに含まれたＯＦＤＭシンボルは不連続とみなしてもよい。
【０１８４】
上述した実施例において、グループインデックスの順は、グループが含むＯＦＤＭシンボルの時間順に応じて決定される。よって、第１グループはリファレンスＤＬ資源で時間的に最も先に位置し、連続するＳ１個のＯＦＤＭシンボルを含む。また、最後のグループは、リファレンスＤＬ資源で時間的に最も後に位置する連続するＳＭ個のＯＦＤＭシンボルを含む。他の具体的な実施例において、グループインデックスの順は、各グループが含むＯＦＤＭシンボルの時間順において昇順に決定される。よって、第１グループは最も少ない数のＯＦＤＭシンボルを含み、最後のグループは最も多い数のＯＦＤＭシンボルを含む。他の具体的な実施例において、グループインデックスの順は、各グループが含むＯＦＤＭシンボルの時間順において降順に決定される。よって、第１グループは最も多い数のＯＦＤＭシンボルを含み、最後のグループは最も小さい数のＯＦＤＭシンボルを含む。連続するシンボルの数が同じであれば、時間ドメインで先に位置するＯＦＤＭシンボルを先のグループが含む。上述した実施例において、一部の実施例について図２７を介して詳しく説明する。
【０１８５】
図２７の実施例において、基地局は２つのスロットごとにプリエンプション指示子を含む制御チャネルを受信する。各スロットは１４個のＯＦＤＭシンボルを含む。よって、ｎ番目のスロットから伝送されるプリエンプション指示子は、ｎ−２番目のスロットとｎ−１番目のスロットからＤＬ資源がプリエンプションによってパンクチュアリングされたのかを指示する。図２７において、プリエンプション指示子が第１タイプ（Ｔｙｐｅ  ＃１）に当たれば、プリエンプション指示子はスロットを含むすべてのＯＦＤＭシンボルを指示する。よって、プリエンプション指示子は総２８個のＯＦＤＭシンボルをＮ個のグループに区分し、各グループが含むＯＦＤＭシンボルの数の差を一つのみまで許容する。Ｎが４であれば、プリエンプション指示子は７つのＯＦＤＭシンボルを含む４つのグループを指示する。この際、プリエンプション指示子の最初のビットは、ｎ−２番目のスロットの最初のＯＦＤＭシンボルから７番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子の２番目のビットは、ｎ−２番目のスロットの８番目のＯＦＤＭシンボルから１４番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子の３番目のビットは、ｎ−１番目のスロットの最初のＯＦＤＭシンボルから７番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子の４番目のビットは、ｎ−１番目のスロットの８番目のＯＦＤＭシンボルか１４番目のＯＦＤＭシンボルまでのＯＦＤＭシンボルのうち少なくともいずれか一つのＯＦＤＭシンボルがプリエンプションによってパンクチュアリングされたのかを指示する。但し、ｎ−１番目のスロットにおいて、８番目のＯＦＤＭシンボルから１４番目のＯＦＤＭシンボルはＤＬ資源として使用されないため。プリエンプション指示子の４番目のビットは不必要な情報を指示する。
【０１８６】
図２７において、プリエンプション指示子が第２タイプ（Ｔｙｐｅ  ＃２）または第３タイプ（Ｔｙｐｅ  ＃３）に当たれば、プリエンプション指示子はスロットが含むＯＦＤＭシンボルのうちプリエンプションされ得るＯＦＤＭシンボルのみを指示する。この際、端末は、スロットが含むＯＦＤＭシンボルの設定及びＲＲＣ信号に基づいてリファレンスＤＬ資源を判断する。ｎ−２番目のスロットの最初のＯＦＤＭシンボルから１０番目のＯＦＤＭシンボル、ｎ−１番目のスロットの最初のＯＦＤＭシンボルから２番目のＯＦＤＭシンボルがリファレンスＤＬ資源に当たる。よって、プリエンプション指示子が指示すべきＯＦＤＭシンボルの個数は１２である。プリエンプション指示子が第２タイプ（Ｔｙｐｅ  ＃２）に当たれば、一つのグループに含まれるＯＦＤＭシンボルが連続するのかに関わらず、リファレンスＤＬ資源に当たる複数のＯＦＤＭシンボルがグルーピングされる。また、各グループが含むＯＦＤＭシンボルの個数の差は最大一つである。詳しくは、１２個のＯＦＤＭシンボルがそれぞれ３つのＯＦＤＭシンボルを含む４つのグループを指示する。詳しくは、プリエンプション指示子のビットマップの最初のビットは、ｎ−２番目のスロットの最初のＯＦＤＭシンボルから３番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子のビットマップの２番目のビットは、ｎ−２番目のスロットの４番目のＯＦＤＭシンボルから６番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子のビットマップの３番目のビットは、ｎ−２番目のスロットの７番目のＯＦＤＭシンボルから９番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子のビットマップの４番目のビットは、ｎ−２番目のスロットの１０番目のＯＦＤＭシンボルと、ｎ−１番目のスロットの最初のＯＦＤＭシンボルからｎ−１番目のスロットの２番目のＯＦＤＭシンボルまでのＯＦＤＭシンボルのうち少なくともいずれか一つのＯＦＤＭシンボルがプリエンプションによってパンクチュアリングされたのかを指示する。図２７の実施例において、プリエンプション指示子が第２タイプ（Ｔｙｐｅ  ＃２）に当たれば、プリエンプション指示子が第１タイプ（Ｔｙｐｅ  ＃１）に当たる場合とは異なって、プリエンプション指示子が不必要な情報を指示しない。但し、４番目のグループは異なるスロットに含まれたＯＦＤＭシンボルを含む。よって、プリエンプション指示子は一つのビットで互いに異なるスロットに含まれるＯＦＤＭシンボルのプリエンプション可否を指示する。このような第２タイプ（Ｔｙｐｅ  ＃２）の方法は、実質的にプリエンプションされる可能性がある資源におけるプリエンプション指示子を伝達するようにすることで、不必要にプリエンプションされる可能性がない資源を端末が基地局から伝送が起こらないという仮定の下、デコーディング及びコンバイニングして発生する伝送率を減少を防止する。
【０１８７】
プリエンプション指示子が第３タイプ（Ｔｙｐｅ  ＃３）に当たれば、一つのグループに含まれるＯＦＤＭシンボルは全て連続することを前提に、リファレンスＤＬ資源に当たる複数のＯＦＤＭシンボルがグルーピングされる。図２７の実施例において、１０個の連続するＯＦＤＭシンボルと２つのＯＦＤＭシンボルに区分される。この際、１０個の連続するＯＦＤＭシンボルを指示するプリエンプション指示子のビット数（Ｎ１）は、以下の数式に基づいて獲得される。
Ｎ１＝ｒｏｕｎｄ（（Ｎ−２）＊Ｓ１／Ｓ）＋１
この際、ＳはＤＬリファレンス資源に当たる全体のＯＦＤＭシンボルの個数である。また、Ｓ１は最初に連続するＯＦＤＭシンボルの個数である。また、Ｎはプリエンプション指示子の全体のビット数である。よって、プリエンプション指示子が第３タイプ（Ｔｙｐｅ  ＃３）に当たれば、１０個のＯＦＤＭシンボルは３ビットに指示され、２つのＯＦＤＭシンボルは１−ビットに指示される。詳しくは、プリエンプション指示子のビットマップの最初のビットは、ｎ−２番目のスロットの最初のＯＦＤＭシンボルから４番目のＯＦＤＭシンボルまでのＯＦＤＭシンボルのうち、少なくともいずれか一つのＯＦＤＭシンボルがプリエンプションによってパンクチュアリングされたのかを指示する。また、プリエンプション指示子のビットマップの２番目のビットは、ｎ−２番目のスロットの５番目のＯＦＤＭシンボルから７番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子のビットマップの３番目のビットは、ｎ−２番目のスロットの８番目のＯＦＤＭシンボルから１０番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子のビットマップの４番目のビットは、ｎ−１番目のスロットの最初のＯＦＤＭシンボルからｎ−１番目のスロットの２番目のＯＦＤＭシンボルまでのＯＦＤＭシンボルのうち少なくともいずれか一つのＯＦＤＭシンボルがプリエンプションによってパンクチュアリングされたのかを指示する。プリエンプション指示子が第３タイプ（Ｔｙｐｅ  ＃３）に当たれば、プリエンプション指示子が第２タイプ（Ｔｙｐｅ  ＃２）に当たる場合とは異なって、異なるスロットに含まれたＯＦＤＭシンボルを一つのビットに指示しない。このような第２タイプ（Ｔｙｐｅ  ＃３）の方法は、実質的にプリエンプションされる可能性がある資源におけるプリエンプション指示子を伝達するようにすることで、不必要にプリエンプションされる可能性がない資源を端末が基地局から伝送が起こらないという仮定の下、デコーディング及びコンバイニングして発生する伝送率を減少を防止する。また、同時に異なるスロットにおけるＴＢに対する伝送が起こる場合、異なるスロットにおいて非連続的にプリエンプションが発生する可能性が低い。よって、基地局がこのような実施例による際、プリエンプションされる可能性がある資源をより正確に端末に指示することができる。
【０１８８】
図２８は本発明の他の実施例によるプリエンプション指示子のビットマップがプリエンプション可否を指示するＯＦＤＭシンボルを示す図である。
本発明の他の具体的な実施例において、基地局はリファレンスＤＬ資源を複数のサブ−リファレンスＤＬ資源に区分し、サブ−リファレンスＤＬ資源を複数のグループを区分してプリエンプション可否を指示する。詳しくは、プリエンプション指示子はリファレンスＤＬ資源が含む複数のサブ−リファレンスＤＬ資源のうちいずれか一つのサブ−リファレンスＤＬ資源を指示し、サブ−リファレンスＤＬ資源をが含む複数のグループ別にプリエンプション可否を指示する。この際、プリエンプション指示子は複数のサブ−リファレンスＤＬ資源をのうちいずれか一つを指示する第１フィールドと、指示されたサブ−リファレンスＤＬ資源が含む複数のグループのプリエンプション可否を指示する第２フィールドを含む。この際、第２フィールドは、上述した実施例で説明したプリエンプション指示子のビットマップの設定方法によって設定される。端末はプリエンプション指示子に基づいてプリエンプション指示子が指示するサブ−リファレンスＤＬ資源を判断し、プリエンプション指示子に基づいてサブ−リファレンスＤＬ資源が含む複数のグループのプリエンプション可否を判断する。詳しくは、端末は第１フィールドに基づいてプリエンプション指示子が指示するサブ−リファレンスＤＬ資源を判断し、第２フィールドに基づいてサブ−リファレンスＤＬ資源が含む複数のグループのプリエンプション可否を判断する。サブ−リファレンスＤＬ資源は指定された個数のＯＦＤＭシンボルを含む。この際、指定された個数は一つのスロットが含むＯＦＤＭシンボルの個数である。また、サブ−リファレンスＤＬ資源は連続するＯＦＤＭシンボルのみを含むと制限される。
【０１８９】
図２８の実施例において、プリエンプション指示子のうち第１ビットはプリエンプションが起こったサブ−リファレンスＤＬ資源を指示し、第２ビットはサブ−リファレンスＤＬ資源が含む複数のグループそれぞれでプリエンプションが起こったのかを指示するビットマップである。この際、最初のサブ−リファレンスＤＬ資源は、リファレンスＤＬ資源のうちｎ−２番目のスロットに位置するＯＦＤＭシンボルの集合である。また、２番目のサブ−リファレンスＤＬ資源は、リファレンスＤＬ資源のうちｎ−１番目のスロットに位置するＯＦＤＭシンボルの集合である。プリエンプション指示子が最初のサブ−リファレンスＤＬ資源を指示すれば、プリエンプション指示子の第２ビットのビットマップの最初のビットは、ｎ−２番目のスロットの最初のＯＦＤＭシンボルから５番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子が最初のサブ−リファレンスＤＬ資源を指示すれば、プリエンプション指示子の第２ビットのビットマップの２番目のビットは、ｎ−２番目のスロットの６番目のＯＦＤＭシンボルから１０番目のＯＦＤＭシンボルまでのＯＦＤＭシンボルのうち少なくともいずれか一つのＯＦＤＭシンボルがプリエンプションによってパンクチュアリングされたのかを指示する。また、プリエンプション指示子が２番目のサブ−リファレンスＤＬ資源を指示すれば、プリエンプション指示子の第２ビットのビットマップの最初のビットは、ｎ-1番目のスロットの最初のＯＦＤＭシンボルがプリエンプションによってパンクチュアリングされたのかを指示する。また、プリエンプション指示子が２番目のサブ−リファレンスＤＬ資源を指示すれば、プリエンプション指示子の２ビットのビットマップの２番目のビットは、ｎ-1番目のスロットの２番目のＯＦＤＭシンボルがプリエンプションによってパンクチュアリングされたのかを指示する。
【０１９０】
図２８の実施例において、端末は基地局からスケジューリングされた資源内から追加にプリエンプション指示子として第１ビットと第２ビットを受信し、基地局から指示されたサブ−リファレンスＤＬ資源を含む複数のグループそれぞれに対してプリエンプションが起こったのかを判断する。この際、端末は、基地局から端末に対する伝送が起こったのかをに対する判断に応じてスケジューリングされた資源に対するデコーディングを行う。
【０１９１】
図２９は、本発明のまた他の実施例によるプリエンプション指示子のビットマップがプリエンプション可否を指示するＯＦＤＭシンボルを示す図である。
基地局はＲＲＣ設定を使用して、端末にプリエンプション指示子を介して指示するグループのうちいくつかのＯＦＤＭシンボルを一つのグループに構成するのかをシグナリングする。詳しくは、基地局はＲＲＣ設定を使用して、端末にタイム−ドメイン（ｔｉｍｅ−ｄｏｍａｉｎ）ＯＦＤＭシンボル粒度をシグナリングする。端末はＲＲＣ設定を使用して、プリエンプション指示子がいくつかのＯＦＤＭシンボルを一つのグループに構成するのかを判断する。また、端末は、スロットが含むＯＦＤＭシンボルの設定と、プリエンプション指示子がいくつかのＯＦＤＭシンボルを一つのグループに構成するのかに基づいて、プリエンプション指示子のビットマップの各ビットが指示するＯＦＤＭシンボルのグループを判断する。リファレンスＤＬ資源がＳ個のＯＦＤＭシンボルを含み、ＯＦＤＭシンボル粒度がＣ個であれば、端末はｃｅｉｌ（Ｓ／Ｃ）個のビットがプリエンプション指示子でビットマップとして使用されたと判断する。この際、プリエンプション指示子がＳ個のＯＦＤＭシンボルを順番に指示すると仮定する。この際、１≦ｉ＜ｃｅｉｌ（Ｓ／Ｃ）を満足すれば、端末はプリエンプション指示子のビットマップのｉ番目のビットがＣ＊（ｉ−１）＋１番目のＯＦＤＭシンボル、…、Ｃ＊ｉ番目のＯＦＤＭシンボルのうち少なくともいずれか一つのＯＦＤＭシンボルがプリエンプションによってパンクチュアリングされたのかを指示すると判断する。また、ｉがｉ＝ｃｅｉｌ（Ｓ／Ｃ）を満足すれば、端末はプリエンプション指示子のｉ番目のビットがＣ＊（ｉ−１）＋１番目のＯＦＤＭシンボル、…、Ｓ番目のＯＦＤＭシンボルのうち、少なくともいずれか一つのＯＦＤＭシンボルがプリエンプションによってパンクチュアリングされたのかを指示すると判断する。また、プリエンプション指示子はどのＰＲＢがプリエンプションによってパンクチュアリングされたのかを指示するビットを含む。
【０１９２】
図２９の実施例において、ｎ−２番目のスロットの最初のＯＦＤＭシンボルから１０番目のＯＦＤＭシンボルまでのＯＦＤＭシンボル、ｎ−１番目のスロットの最初のＯＦＤＭシンボルから２番目のＯＦＤＭシンボルがリファレンスＤＬ資源に当たる。この際、ＯＦＤＭシンボル粒度は３である。第１ケース（ｃａｓｅ  ＃１）において、プリエンプション指示子は４ビットのビットマップを含む。プリエンプション指示子のビットマップの最初のビットは、ｎ−２番目のスロットの最初のＯＦＤＭシンボルから３番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの２番目のビットは、ｎ−２番目のスロットの４番目のＯＦＤＭシンボルから６番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの３番目のビットは、ｎ−２番目のスロットの７番目のＯＦＤＭシンボルから９番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの４番目のビットは、ｎ−２番目のスロットの１０番目のＯＦＤＭシンボル、ｎ−１番目のスロットの最初のＯＦＤＭシンボルと２番目のＯＦＤＭシンボルのうち少なくともいずれか一つのＯＦＤＭシンボルがプリエンプションによってパンクチュアリングされたのかを指示する。
【０１９３】
上述した実施例において、各グループは連続するＯＦＤＭシンボルのみを含むと制限される。この際、端末は、各グループが連続するＯＦＤＭシンボルのみを含むことを前提に、プリエンプション指示子のビットマップの各ビットが指示するＯＦＤＭシンボルグループを判断する。例えば、リファレンスＤＬ資源がＳ個のＯＦＤＭシンボルを含み、Ｓ個のＯＦＤＭシンボルのうちＳ１個のＯＦＤＭシンボルが連続することを仮定してもよい。この際、ＲＲＣ信号がシグナリングするＯＦＤＭシンボルの粒度はＣ個である。端末は、ｃｅｉｌ（Ｓ１／Ｃ）＋ｃｅｉｌ（Ｓ２／Ｃ）個のビットがプリエンプション指示子で使用されると判断する。詳しくは、１≦ｉ＜ｃｅｉｌ（Ｓ１／Ｃ）を満足すれば、端末はプリエンプション指示子のビットマップのｉ番目のビットがＣ＊（ｉ−１）＋１番目のＯＦＤＭシンボル、…、Ｃ＊ｉ番目のＯＦＤＭシンボルのうち少なくともいずれか一つのＯＦＤＭシンボルがプリエンプションによってパンクチュアリングされたのかを指示すると判断する。また、ｉがｃｅｉｌ（Ｓ１／Ｃ）＋１≦ｉ＜ｃｅｉｌ（Ｓ１／Ｃ）＋ｃｅｉｌ（Ｓ２／Ｃ）を満足すれば、端末はプリエンプション指示子のビットマップのｉ番目のビットがＳ１＋Ｃ＊（ｉ−１）＋１番目のＯＦＤＭシンボル、…、Ｓ１＋Ｃ＊ｉ番目のＯＦＤＭシンボルのうち少なくともいずれか一つのＯＦＤＭシンボルがプリエンプションによってパンクチュアリングされたのかを指示すると判断する。ｉ＝ｃｅｉｌ（Ｓ１／Ｃ）＋ｃｅｉｌ（Ｓ２／Ｃ）を満足すれば、端末はプリエンプション指示子のビットマップのｉ番目のビットがＳ１＋Ｃ＊（ｉ−１）＋１番目のＯＦＤＭシンボル、…、Ｓ１＋Ｓ２番目のＯＦＤＭシンボルのうち少なくともいずれか一つのＯＦＤＭシンボルがプリエンプションによってパンクチュアリングされたのかを指示すると判断する。
【０１９４】
図２９の実施例の第２ケース（ｃａｓｅ  ＃２）において、プリエンプション指示子は５−ビットのビットマップを含む。プリエンプション指示子のビットマップの最初のビットは、ｎ−２番目のスロットの最初のＯＦＤＭシンボルから３番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの２番目のビットは、ｎ−２番目のスロットの４番目のＯＦＤＭシンボルから６番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの３番目のビットは、ｎ−２番目のスロットの７番目のＯＦＤＭシンボルから９番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの４番目のビットは、ｎ−２番目のスロットの１０番目のＯＦＤＭシンボルがプリエンプションによってパンクチュアリングされたのかを指示する。また、ビットマップの５番目のビットは、ｎ−１番目のスロットの最初のＯＦＤＭシンボルと２番目のＯＦＤＭシンボルのうち、少なくともいずれか一つのＯＦＤＭシンボルがプリエンプションによってパンクチュアリングされたのかを指示する。このような第２ケース（ｃａｓｅ  ＃２）は、実質的にプリエンプションされる可能性がある資源におけるプリエンプション指示子を伝達するようにする。よって、このような第２ケース（ｃａｓｅ  ＃２）において、基地局は不必要にプリエンプションされる可能性がない資源を端末が基地局から伝送が起こらないという仮定の下、デコーディング及びコンバイニングすることで発生するデータの伝送率の減少を防止する。また、同時に異なるスロットにおけるＴＢに対する伝送が起こる場合、異なるスロットにおいて非連続的にプリエンプションが発生する可能性は低い。よって、このような実施例において、基地局はプリエンプションされる可能性がある資源をより正確に端末に指示することができる。
【０１９５】
同じＯＦＤＭシンボルの設定において、端末は次のような実施例によってプリエンプション指示子のビットマップの各ビットが指示するＯＦＤＭシンボルグループを判断する。Ｓ１個のＯＦＤＭシンボルは、Ｎ１＝ｃｅｉｌ（Ｓ１／Ｃ）個のグループに区分される。この際、ｃｅｉｌ（Ｓ１／Ｃ）個のグループのうち、最初のｍｏｄ（Ｓ１、Ｎ１）個のグループはそれぞれＣ個のＯＦＤＭシンボルを含み、残りのＮ１−ｍｏｄ（Ｓ１、Ｎ１）グループはそれぞれＣ−１個のＯＦＤＭシンボルを含む。また、Ｓ２個のＯＦＤＭシンボルは、Ｎ２＝ｃｅｉｌ（Ｓ２／Ｃ）個のグループに区分される。この際、ｃｅｉｌ（Ｓ２／Ｃ）個のグループのうち、最初のｍｏｄ（Ｓ２、Ｎ２）個のグループはそれぞれＣ個のＯＦＤＭシンボルを含み、残りのＮ２−ｍｏｄ（Ｓ２、Ｎ２）グループはそれぞれＣ−１個のＯＦＤＭシンボルを含む。
【０１９６】
図２９の実施例の第３ケース（ｃａｓｅ  ＃３）において、プリエンプション指示子は５ビットのビットマップを含む。プリエンプション指示子のビットマップの最初のビットは、ｎ−２番目のスロットの最初のＯＦＤＭシンボルから３番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの２番目のビットは、ｎ−２番目のスロットの４番目のＯＦＤＭシンボルから６番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの３番目のビットは、ｎ−２番目のスロットの７番目のＯＦＤＭシンボルから８番目のＯＦＤＭシンボルまでのＯＦＤＭシンボルのうち、少なくともいずれか一つのＯＦＤＭシンボルがプリエンプションによってパンクチュアリングされたのかを指示する。また、ビットマップの４番目のビットは、ｎ−２番目のスロットの９番目のＯＦＤＭシンボルと１０番目のＯＦＤＭシンボルのうち、少なくともいずれか一つのＯＦＤＭシンボルがプリエンプションによってパンクチュアリングされたのかを指示する。また、ビットマップの５番目のビットは、ｎ−１番目のスロットの最初のＯＦＤＭシンボルと２番目のＯＦＤＭシンボルのうち、少なくともいずれか一つのＯＦＤＭシンボルがプリエンプションによってパンクチュアリングされたのかを指示する。このような第３ケース（ｃａｓｅ  ＃３）は、実質的にプリエンプションされる可能性がある資源を指示するプリエンプション指示子を伝送する。よって、基地局はプリエンプションされる可能性がない資源を端末が基地局から伝送が起こらないという仮定の下、デコーディング及びコンバイニングして発生するデータの伝送率の減少を防止する。また、同時に異なるスロットにおけるＴＢに対する伝送が起こる場合、異なるスロットにおいて非連続的にプリエンプションが発生する可能性は低い。よって、基地局はプリエンプションされる可能性がある資源をより正確に端末に指示することができる。このような実施例において、基地局は、追加に同じスロット内でもプリエンプションが発生する可能性がある資源の区分をＯＦＤＭシンボル単位で最も均等に、つまり、各グループにおけるＯＦＤＭシンボルの長さの差が最少一つのみ許容するように区分する。よって、基地局はＯＦＤＭシンボル単位で最も小さし数のプリエンプションが発生した場合であっても、データの伝送率の減少を最大防止することができる。
【０１９７】
図２９の実施例において、端末は基地局からスケジューリングされた資源内から追加にプリエンプション指示子を受信し、基地局から指示されたサブ−リファレンスＤＬ資源を含む複数のグループそれぞれに対してプリエンプションが起こったのかを判断する。端末は、基地局から端末に対する伝送が起こったのかをに対する判断に応じてスケジューリングされた資源に対するデコーディングを行う。
【０１９８】
端末は、ＲＲＣ信号に基づいてプリエンプション指示子のペイロードの大きさを判断する。詳しくは、端末は、ＲＲＣ信号に基づいて明示的にまたは目次的にプリエンプション指示子のペイロードの大きさを判断する。プリエンプション指示子のペイロードの大きさがＲＲＣ信号によって指示されたペイロードの大きさより小さければ、基地局はプリエンプション指示子のペイロードに一部不必要な（ｒｅｄｕｎｄａｎｔ）値としてパッディングを追加し、プリエンプション指示子のペイロードの大きさとＲＲＣ信号によって指示されたペイロードの大きさを同じく調整する。不必要な値は０である。他の具体的な実施例において、不必要な値は１である。
【０１９９】
リファレンスＤＬ資源は、時間ドメインだけでなく周波数ドメインでも複数のグループに区分される。それに関連する実施例について説明する。
リファレンスＤＬ資源がＳ個のＯＦＤＭシンボルを含み、Ｂ個のＰＲＢを含めば、リファレンスＤＬ資源は時間ドメインでＮ個に区分され、周波数領域でＦ個に区分される。Ｓ個のＯＦＤＭシンボルはＮ個のグループに区分され、Ｂ個のＰＲＢはＦ個のグループに区分される。よって、リファレンスＤＬ資源はＮｘＦ個のグループに区分される。プリエンプション指示子はＮｘＦ個のビットを含み、端末はＮｘＦ個のビットそれぞれがビットに当たるリファレンスＤＬ資源のグループからプリエンプションが起こったと判断する。具体的な実施例において、Ｎ＝１４でＦ＝１である。また、Ｎ＝７でＦ＝２であってもよい。また、基地局はＲＲＣ信号を使用してＮとＦの値を設定する。端末はＲＲＣ信号に基づいてＮとＦの値を獲得する。
【０２００】
Ｎ＝１４でＦ＝１であれば、端末はＢ個のＰＲＢを一つのグループに区分する。また、Ｎ＝７でＦ＝２であれば、端末はＢ個ＰＲＢのうちｃｅｉｌ（Ｂ／２）個のＰＲＢを一つのグループに区分し、残りのＢ−ｃｅｉｌ（Ｂ／２）個のＰＲＢを他の一つのグループに区分する。他の具体的な実施例において、Ｎ＝７でＦ＝２であれば、端末はＢ個ＰＲＢのうちｆｌｏｏｒ（Ｂ／２）個のＰＲＢを一つのグループに区分し、残りのＢ−ｆｌｏｏｒ（Ｂ／２）個のＰＲＢを他の一つのグループに区分する。
【０２０１】
リファレンスＤＬ資源がＳ個のＯＦＤＭシンボルを含めば、端末は次のような実施例に沿ってリファレンスＤＬ資源をＮ個のグループに区分する。Ｎ≧Ｓであれば、Ｓ個のＯＦＤＭシンボルはＳ個のグループに区分され、プリエンプション指示子のＳｘＦ個のビットそれぞれは、それぞれのグループでプリエンプションが起こったのかを指示する。この際、基地局はプリエンプション指示子の大きさをＮｘＦビットにするためにプリエンプション指示子の残りの（Ｎ−Ｓ）ｘＦ個だけのビットを不必要な値とパッディングする。不必要な値は０である。他の具体的な実施例において、不必要な値は１である。Ｎ＜Ｓである場合の具体的な実施例は次のようである。端末は、Ｃ＝ｆｌｏｏｒ（Ｓ／Ｎ）個のＯＦＤＭシンボルを順番にグルーピングし、リファレンスＤＬ資源が含むＳ個のＯＦＤＭシンボルをＮ個のグループに区分する。Ｓ個のＯＦＤＭシンボルを時間順に１からインデクシングする場合、Ｎ個のグループは以下のように示される。第１グループは、｛１、２、…、Ｃ｝、第２グループは｛Ｃ＋１、Ｃ＋２、…、２＊Ｃ｝、Ｎ−１番目のグループは｛（Ｎ−２）＊Ｃ＋１、（Ｎ−２）＊Ｃ＋２、…、（Ｎ−１）＊Ｃ｝、Ｎ番目のグループは｛（Ｎ−１）＊Ｃ、（Ｎ−１）＊Ｃ＋１、…、Ｓ｝である。この際、Ｎ個のグループはＣ個より多い数のＯＦＤＭシンボルを含む。
【０２０２】
各グループが含むＯＦＤＭシンボルの数の差が１つを超えないように、Ｓ個のＯＦＤＭシンボルをＮ個のグループに区分する。Ｓ個のＯＦＤＭシンボルを時間順に１からインデクシングする場合、Ｎ個のグループは以下のように区分される。Ｎ個のグループのうち、最初のｍｏｄ（Ｓ、Ｎ）のグループはｃｅｉｌ（Ｓ／Ｎ）個のＯＦＤＭシンボルを含み、残りのＮ−ｍｏｄ（Ｓ、Ｎ）グループはｆｌｏｏｒ（Ｓ／Ｎ）個のＯＦＤＭシンボルを含む。この際、ｍｏｄ（Ｓ、Ｎ）はＳ−ｆｌｏｏｒ（Ｓ／Ｎ）＊Ｎで表される。
【０２０３】
Ｓ個のＯＦＤＭシンボルが時間ドメインで不連続なＯＦＤＭシンボルを含めば、Ｓ個のＯＦＤＭシンボルは次の実施例によってＮ個のグループに区分される。Ｓ個のＯＦＤＭシンボルは、時間ドメインで連続するＯＦＤＭシンボルを含むＭ個のグループに区分される。各グループが含むＯＦＤＭシンボルの数をＳ１、Ｓ２、…、ＳＭと称する。Ｍ個のグループを更に複数のサブグループに区分する。Ｍ個のグループそれぞれが含む複数のサブグループの個数は、をＮ１、Ｎ２、…、ＮＭで表される。この際、Ｎ１＋Ｎ２＋…＋ＮＭ≦Ｎを満足する。
【０２０４】
ｉ番目のグループは、以下の実施例によってＮｉ個のサブグループに区分される。ｉ番目のグループが含むＯＦＤＭシンボルは、Ｃｉ＝ｆｌｏｏｒ（Ｓｉ／Ｎｉ）個のＯＦＤＭシンボルを含むＮｉ個のサブグループに区分される。Ｓｉ個のＯＦＤＭシンボルを時間順に１からインデクシングする場合、Ｎｉ個のサブグループは以下のように示される。第１グループは、｛１、２、…、Ｃｉ｝、第２グループは｛Ｃｉ＋１、Ｃｉ＋２、…、２＊Ｃｉ｝、Ｎｉ−１番目のグループは｛（Ｎ−２）＊Ｃｉ＋１、（Ｎｉ−２）＊Ｃｉ＋２、…、（Ｎｉ−１）＊Ｃｉ｝、Ｎｉ番目のグループは｛（Ｎｉ−１）＊Ｃｉ、（Ｎｉ−１）＊Ｃｉ＋１、…、Ｓ｝である。この際、Ｎｉ個のグループはＣｉ個より多い数のＯＦＤＭシンボルを含む。
【０２０５】
この際、ｉ番目のグループのＮｉ個のサブグループが含むＯＦＤＭシンボルの数は、以下の実施例のように決定される。詳しくは、ｉ番目のグループが含む複数のサブグループそれぞれが含むＯＦＤＭシンボルの個数の差は最大一つである。Ｓｉ個のＯＦＤＭシンボルを時間順に１からインデクシングする場合、Ｎｉ個のサブグループは以下のように区分される。Ｎｉ個のサブグループのうち最初のｍｏｄ（Ｓｉ、Ｎｉ）個のグループは、ｃｅｉｌ（Ｓｉ／Ｎｉ）個のＯＦＤＭシンボルを含み、残りのＮｉ−ｍｏｄ（Ｓｉ、Ｎｉ）個のグループは、ｆｌｏｏｒ（Ｓｉ／Ｎｉ）個のＯＦＤＭシンボルを含む。
【０２０６】
リファレンスＤＬ資源に当たるＯＦＤＭシンボルが２つ以上のスロットに含まれれば、次の実施例によってリファレンスＤＬ資源に当たるＯＦＤＭシンボルがＮ個のグループに分類される。まず、Ｓ個のＯＦＤＭシンボルを各スロット別に連続するＯＦＤＭシンボルを含むＭ個のグループに分類する。各グループが含むＯＦＤＭシンボルの数をＳ１、Ｓ２、…、ＳＭと称する。Ｍ個のグループを更に複数のサブグループに区分する。Ｍ個のグループそれぞれが含む複数のサブグループの個数は、をＮ１、Ｎ２、…、ＮＭで表される。この際、Ｎ１＋Ｎ２＋…＋ＮＭ≦Ｎを満足する。
【０２０７】
ｉ番目のグループは、以下の実施例によってＮｉ個のサブグループに区分される。ｉ番目のグループが含むＯＦＤＭシンボルは、Ｃｉ＝ｆｌｏｏｒ（Ｓｉ／Ｎｉ）個のＯＦＤＭシンボルを含むＮｉ個のサブグループに区分される。Ｓｉ個のＯＦＤＭシンボルを時間順に１からインデクシングする場合、Ｎｉ個のサブグループは以下のように示される。第１グループは、｛１、２、…、Ｃｉ｝、第２グループは｛Ｃｉ＋１、Ｃｉ＋２、…、２＊Ｃｉ｝、Ｎｉ−１番目のグループは｛（Ｎ−２）＊Ｃｉ＋１、（Ｎｉ−２）＊Ｃｉ＋２、…、（Ｎｉ−１）＊Ｃｉ｝、Ｎｉ番目のグループは｛（Ｎｉ−１）＊Ｃｉ、（Ｎｉ−１）＊Ｃｉ＋１、…、Ｓ｝である。この際、Ｎｉ個のグループはＣｉ個より多い数のＯＦＤＭシンボルを含む。
【０２０８】
この際、ｉ番目のグループのＮｉ個のサブグループが含むＯＦＤＭシンボルの数は、以下の実施例のように決定される。詳しくは、ｉ番目のグループが含む複数のサブグループそれぞれが含むＯＦＤＭシンボルの個数の差は最大一つである。Ｓｉ個のＯＦＤＭシンボルを時間順に１からインデクシングする場合、Ｎｉ個のサブグループは以下のように区分される。Ｎｉ個のサブグループのうち最初のｍｏｄ（Ｓｉ、Ｎｉ）個のグループは、ｃｅｉｌ（Ｓｉ／Ｎｉ）個のＯＦＤＭシンボルを含み、残りのＮｉ−ｍｏｄ（Ｓｉ、Ｎｉ）個のグループは、ｆｌｏｏｒ（Ｓｉ／Ｎｉ）個のＯＦＤＭシンボルを含む。
【０２０９】
プリエンプション指示子のモニタリング周期が１つのスロット以上であって、リファレンスＤＬ資源に当たるＯＦＤＭシンボルが時間ドメインで不連続なＯＦＤＭシンボルを含めば、次の実施例によってリファレンスＤＬ資源に当たるＯＦＤＭシンボルがＮ個のグループに分類される。まず、Ｓ個のＯＦＤＭシンボルを各スロット別に連続するＯＦＤＭシンボルを含むＭ個のグループに分類する。各グループが含むＯＦＤＭシンボルの数をＳ１、Ｓ２、…、ＳＭと称する。Ｍ個のグループを更に複数のサブグループに区分する。Ｍ個のグループそれぞれが含む複数のサブグループの個数は、をＮ１、Ｎ２、…、ＮＭで表される。この際、Ｎ１＋Ｎ２＋…＋ＮＭ≦Ｎを満足する。
【０２１０】
ｉ番目のグループは、以下の実施例によってＮｉ個のサブグループに区分される。ｉ番目のグループが含むＯＦＤＭシンボルは、Ｃｉ＝ｆｌｏｏｒ（Ｓｉ／Ｎｉ）個のＯＦＤＭシンボルを含むＮｉ個のサブグループに区分される。Ｓｉ個のＯＦＤＭシンボルを時間順に１からインデクシングする場合、Ｎｉ個のサブグループは以下のように示される。第１グループは、｛１、２、…、Ｃｉ｝、第２グループは｛Ｃｉ＋１、Ｃｉ＋２、…,…、２＊Ｃｉ｝、Ｎｉ−１番目のグループは｛（Ｎ−２）＊Ｃｉ＋１、（Ｎｉ−２）＊Ｃｉ＋２、…、（Ｎｉ−１）＊Ｃｉ｝、Ｎｉ番目のグループは｛（Ｎｉ−１）＊Ｃｉ、（Ｎｉ−１）＊Ｃｉ＋１、…、Ｓ｝である。この際、Ｎｉ個のグループはＣｉ個より多い数のＯＦＤＭシンボルを含む。
【０２１１】
この際、ｉ番目のグループのＮｉ個のサブグループが含むＯＦＤＭシンボルの数は、以下の実施例のように決定される。詳しくは、ｉ番目のグループが含む複数のサブグループそれぞれが含むＯＦＤＭシンボルの個数の差は最大一つである。Ｓｉ個のＯＦＤＭシンボルを時間順に１からインデクシングする場合、Ｎｉ個のサブグループは以下のように区分される。Ｎｉ個のサブグループのうち最初のｍｏｄ（Ｓｉ、Ｎｉ）個のグループは、ｃｅｉｌ（Ｓｉ／Ｎｉ）個のＯＦＤＭシンボルを含み、残りのＮｉ−ｍｏｄ（Ｓｉ、Ｎｉ）個のグループは、ｆｌｏｏｒ（Ｓｉ／Ｎｉ）個のＯＦＤＭシンボルを含む。
【０２１２】
Ｍ個のグループそれぞれが含むサブグループの個数は、Ｍ個のグループそれぞれが含むＯＦＤＭシンボルの数に基づいて決定される。詳しくは、Ｍ個のグループそれぞれが含むサブグループの個数は、Ｍ個のグループそれぞれが含むＯＦＤＭシンボルの数に比例して決定される。詳しくは、Ｍ個のグループそれぞれが含むサブグループの個数Ｎ１、Ｎ２、…、ＮＭは次に数式によって決定される。
Ｎ１＝ｒｏｕｎｄ（Ｎ−Ｍ）＊Ｓ１／Ｓ）＋１、
Ｎ２＝ｒｏｕｎｄ（Ｎ−Ｍ）＊Ｓ２／Ｓ）＋１、…、
ＮＭ−１＝ｒｏｕｎｄ（Ｎ−Ｍ）＊ＳＭ−１／Ｓ）＋１、
ＮＭ＝Ｎ−（Ｎ１＋Ｎ２＋…＋ＮＭ−１）
前記数式において、丸め演算ｒｏｕｎｄ（ｘ）は下降演算を示すｆｌｏｏｒ（ｘ＋０．５）または上昇演算を示すｃｅｉｌ（ｘ−０．５）に代替されてもよい。
他の具体的な実施例において、Ｍ個のグループそれぞれが含むサブグループの個数Ｎ１、Ｎ２、…、ＮＭは次に数式によって決定される。
Ｎ１＝ｒｏｕｎｄ（Ｎ＊Ｓ１／Ｓ）、
Ｎ２＝ｒｏｕｎｄ（Ｎ＊Ｓ２／Ｓ）、…、
ＮＭ−１＝ｒｏｕｎｄ（Ｎ＊ＳＭ−１／Ｓ）、
ＮＭ＝Ｎ−（Ｎ１＋Ｎ２＋…＋ＮＭ−１）
前記数式において、丸め演算ｒｏｕｎｄ（ｘ）は下降演算を示すｆｌｏｏｒ（ｘ＋０．５）または上昇演算を示すｃｅｉｌ（ｘ−０．５）に代替されてもよい。
【０２１３】
前記数式を介して説明した２つの実施例において、グループの順番はＯＦＤＭシンボルの時間ドメインにおける順番によって決定される。よって、第１グループは最も先に位置し、連続するＳ１個のＯＦＤＭシンボルを含む。Ｍ番目のグループは最も後に位置し、連続するＳＭ個のＯＦＤＭシンボルを含む。
【０２１４】
具体的な実施例において、前記数式を介して説明した２つの実施例において、グループの順番はＯＦＤＭシンボルの時間ドメインにおいて昇順で決定される。よって、第１グループは最も少ない数の連続するＯＦＤＭシンボルを含む。Ｍ番目のグループは最も多い数の連続するＯＦＤＭシンボルを含む。具体的な実施例によると、前記数式を介して説明した２つの実施例において、グループの順番はＯＦＤＭシンボルの時間ドメインにおいて降順で決定される。よって、第１グループは最も多い数の連続するＯＦＤＭシンボルを含む。Ｍ番目のグループは最も少ない数の連続するＯＦＤＭシンボルを含む。連続するシンボルの数が同じであれば、時間ドメインで先に位置するＯＦＤＭシンボルを先のグループが含む。
【０２１５】
他の具体的な実施例において、Ｍ個のグループそれぞれが含むサブグループが含むＯＦＤＭシンボルの数の個数がＣより小さい数に制限されれば、Ｍ個のグループそれぞれが含むサブグループ個数Ｎ１、Ｎ２、…、ＮＭは次の数式によって決定される。
Ｎ１＝ｃｅｉｌ（Ｓ１／Ｃ）、
Ｎ２＝ｃｅｉｌ（Ｓ２／Ｃ）、…、
ＮＭ＝ｃｅｉｌ（ＳＭ／Ｃ）
この際、Ｃは
【０２１６】
【数３】
2020523921.tif 000008
【０２１７】
を満足する整数のうち最も小さい数である。前記数式において、ｃｅｉｌ（ｘ）は上昇演算を示す。
【０２１８】
他の具体的な実施例において、Ｍ個のグループそれぞれが含むサブグループが含むＯＦＤＭシンボルの数の個数がＣより小さい数に制限されれば、Ｍ個のグループそれぞれが含むサブグループ個数Ｎ１、Ｎ２、…、ＮＭは次の数式によって決定される。
Ｎ１＝ｃｅｉｌ（Ｓ１／Ｃ）+ａ１、
Ｎ２＝ｃｅｉｌ（Ｓ２／Ｃ）+ａ２、…, 
ＮＭ＝ｃｅｉｌ（ＳＭ／Ｃ）+ａＭ、
この際、Ｃは
【０２１９】
【数４】
2020523921.tif 000009
【０２２０】
を満足する整数のうち最も小さい数である。前記数式において、ｃｅｉｌ（ｘ）は上昇演算を示す。また、前記数式において、ａｉの値は次の数式によって決定される。
【０２２１】
【数５】
2020523921.tif 000010
【０２２２】
Ｍ個のグループのインデクシングは、次の数式を満足するように設定される。
Ｓ１≧Ｓ２≧…≧ＳＭ
【０２２３】
この際、グループが含むＯＦＤＭシンボルの数が同じであれば、時間ドメインにおいて先に位置するＯＦＤＭシンボルを含むグループに低いインデックスが割り当てられる。Ｍ個のグループそれぞれが含むサブグループが含むＯＦＤＭシンボルの数の個数をＣより小さい数に制限し、ＯＦＤＭシンボルより多く含むグループのサブグループが含むＯＦＤＭシンボルの数をより低くする。
他の具体的な実施例において、Ｍ個のグループのインデクシングは、次の数式を満足するように設定される。
Ｓ１／ｃｅｉｌ（Ｓ１／Ｃ）≧Ｓ２／ｃｅｉｌ（Ｓ２／Ｃ）≧…≧ＳＭ＝ｃｅｉｌ（ＳＭ／Ｃ）
この際、グループが含むＯＦＤＭシンボルの数が同じであれば、時間ドメインにおいて先に位置するＯＦＤＭシンボルを含むグループに低いインデックスが割り当てられる。Ｍ個のグループそれぞれが含むサブグループが含むＯＦＤＭシンボルの数の個数をＣより小さい数に制限し、ＯＦＤＭシンボルより多く含むグループのサブグループが含むＯＦＤＭシンボルの数をより低くする。
【０２２４】
他の具体的な実施例において、Ｍ個のグループのインデクシングは、次の数式を満足するように設定される。
ｃｅｉｌ（Ｓ１／Ｃ）≦ｃｅｉｌ（Ｓ２／Ｃ）≦…≦ｃｅｉｌ（ＳＭ／Ｃ）
この際、グループが含むＯＦＤＭシンボルの数が同じであれば、時間ドメインにおいて先に位置するＯＦＤＭシンボルを含むグループに低いインデックスが割り当てられる。Ｍ個のグループそれぞれが含むサブグループが含むＯＦＤＭシンボルの数の個数をＣより小さい数に制限し、ＯＦＤＭシンボルより多く含むグループのサブグループが含むＯＦＤＭシンボルの数をより低くする。
【０２２５】
他の具体的な実施例において、Ｍ個のグループのインデクシングは、次の数式を満足するように設定される。
ｃｅｉｌ（Ｓ１／Ｃ）≧ｃｅｉｌ（Ｓ２／Ｃ）≧…≧ｃｅｉｌ（ＳＭ／Ｃ）
この際、グループが含むＯＦＤＭシンボルの数が同じであれば、時間ドメインにおいて先に位置するＯＦＤＭシンボルを含むグループに低いインデックスが割り当てられる。Ｍ個のグループそれぞれが含むサブグループが含むＯＦＤＭシンボルの数の個数をＣより小さい数に制限し、ＯＦＤＭシンボルより多く含むグループのサブグループが含むＯＦＤＭシンボルの数をより低くする。
前記数式において、丸め演算ｒｏｕｎｄ（ｘ）は下降演算を示すｆｌｏｏｒ（ｘ＋０．５）または上昇演算を示すｃｅｉｌ（ｘ−０．５）に代替されてもよい。
【０２２６】
上述したように、プリエンプション指示子が指示するリファレンスＤＬ資源は、ＢＷＰの全てのＰＲＢを含む。プリエンプション指示子は、リファレンスＤＬ資源を１４個のパートに区分し、１４ビットを有するビットマップを使用して１４個のパートでプリエンプションが起こったのかを指示する。上述したように、リファレンスＤＬ資源は時間領域で１４個のパートに区分される。また、リファレンスＤＬ資源は、時間領域７つのパート、周波数領域で２つのパートに区分される。また、端末がプリエンプション指示子をモニタリングする周期は、１つのスロット、２つのスロット、及び４つのスロットのうちいずれか一つである。
【０２２７】
端末が複数のコンポネントキャリア（ｃｅｌｌ）を併合する（ａｇｇｒｅｇａｔｅ）ＣＡ（Ｃａｒｒｉｅｒ  Ａｇｇｒｅｇａｔｉｏｎ）を行うように構成されれば、端末は一つのキャリアから他のキャリアのプリエンプション情報を指示するプリエンプション指示子をモニタリングする。この際、プリエンプション指示子をクロス−キャリアＤＬプリエンプション指示子と称する。図３０に基づいて、プリエンプション指示子の伝送周期について詳しく説明する。
【０２２８】
図３０は、本発明の実施例による端末がＣＡを構成されれば、端末がいずれか一つのキャリアで他のキャリアで起こっているプリエンプションに関する情報を指示するプリエンプション指示子をモニタリングすることを示す図である。
【０２２９】
図３０（ａ）及び図３０（ｂ）の実施例は、端末がサブキャリアの間隔（ｓｕｂｃａｒｒｉｅｒ  ｓｐａｃｉｎｇ）が６０ＫＨｚのセルでプリエンプション指示子をモニタリングするように設定され、プリエンプション指示子がサブキャリア間隔が１５ＫＨｚのセルで起こンるプリエンプションに関する情報を指示するように設定される場合に関する。サブキャリア間隔が６０ＫＨｚのセルにおいて、プリエンプション指示子をモニタリングするためのＣＯＲＥＳＥＴのＯＦＤＭシンボル位置と、サブキャリア間隔が１５ＫＨｚのセルのＯＦＤＭシンボルの位置との間の関係によって、リファレンスＤＬ資源に当たるＯＦＤＭシンボルは３つまたは４つのＯＦＤＭシンボルである。詳しくは、サブキャリア間隔が６０ＫＨｚのセルでプリエンプション指示子をモニタリングするためのＣＯＲＥＳＥＴのシンボル位置が、サブキャリア間隔が１５ＫＨｚのセルの最初のＯＦＤＭシンボルまたは２番目のＯＦＤＭシンボル位置から始まれば、リファレンスＤＬ資源に当たるＯＦＤＭシンボルは４つのＯＦＤＭシンボルである。また、サブキャリア間隔が６０ＫＨｚのセルでプリエンプション指示子をモニタリングするためのＣＯＲＥＳＥＴのシンボル位置が、サブキャリア間隔が１５ＫＨｚのセルの３番目のＯＦＤＭシンボルまたは４番目のＯＦＤＭシンボル位置から始まれば、リファレンスＤＬ資源に当たるＯＦＤＭシンボルは３つのＯＦＤＭシンボルである。このように、サブキャリア間隔が６０ＫＨｚのセルにおいて、プリエンプション指示子をモニタリングするためのＣＯＲＥＳＥＴのＯＦＤＭシンボル位置と、サブキャリア間隔が１５ＫＨｚのセルのＯＦＤＭシンボルの位置との間の関係によって、リファレンスＤＬ資源に当たるＯＦＤＭシンボルの個数が異なり得る。また、プリエンプション指示子のモニタリング周期の間のＯＦＤＭシンボルの個数は、Ｎ＿ｓｙｍｂ＊Ｔ＿ＩＮＴ＊２(μ−μ＿ＩＮＴ)で表される。この際、Ｎ＿ｓｙｍｂはスロットが含むＯＦＤＭシンボルの数である。正規（ｎｏｒｍａｌ）ＣＰ（ｃｙｃｌｉｃ  ｐｒｅｆｉｘ）が使用されれば、Ｎ＿ｓｙｍｂは１４である。拡張（ｅｘｔｅｎｄｅｄ）ＣＰが使用されれば、Ｎ＿ｓｙｍｂは１２である。また、Ｔ＿ＩＮＴはプリエンプション指示子のモニタリング周期である。また、Ｔ＿ＩＮＴは１、２、及び４のうち一つである。μ＿ＩＮＴは、ＤＬプリエンプション指示子が伝送されるキャリアのサブキャリア間隔が１５＊２μ＿ＩＮＴＫＨｚになることを満足する値である。μは、プリエンプション指示子がプリエンプションに関する情報を指示するキャリアのサブキャリア間隔が１５＊２μＫＨｚになることを満足する値である。
【０２３０】
基地局は、整数個のスロット周期でプリエンプション指示子をシグナリングする。端末は、整数個のスロット周期でプリエンプション指示子をモニタリングする。基地局は、Ｔ＿ＩＮＴ＊２(μ−μ＿ＩＮＴ)が自然数になるＴ＿ＩＮＴの値、及びμ＿ＩＮＴの値を設定し、該当値を端末にシグナリングする。端末は、Ｔ＿ＩＮＴ＊２(μ−μ＿ＩＮＴ)が自然数になるＴ＿ＩＮＴの値、μの値、及びμ＿ＩＮＴの値を期待する。端末は、Ｔ＿ＩＮＴ＊２(μ−μ＿ＩＮＴ)が小数になるＴ＿ＩＮＴの値、μの値、及びμ＿ＩＮＴの値を期待しない。具体的な実施例において、Ｔ＿ＩＮＴ＊２(μ−μ＿ＩＮＴ)の値が小数であれば、端末はＴ＿ＩＮＴの値を無視する。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は基地局からの該当設定をエラーケース（ｅｒｒｏｒ  ｃａｓｅ）と判断する。この際、端末はいかなる動作も行わなくてもよい。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は基地局からプリエンプション指示子を受信するためのモニタリングを行わなくてもよい。詳しくは、端末は（Ｔ＿ＩＮＴ、μ、μ＿ＩＮＴ）＝（１、０、１）、（Ｔ＿ＩＮＴ、μ、μ＿ＩＮＴ）＝（１、０、２）、または（Ｔ＿ＩＮＴ、μ、μ＿ＩＮＴ）＝（２、０、２）であることを期待しない。基地局は、Ｔ＿ＩＮＴ＊２(μ−μ＿ＩＮＴ)が自然数になるようにＴ＿ＩＮＴの値、μの値、及びμ＿ＩＮＴの値を設定する。
【０２３１】
また端末は、Ｎ＿ｓｙｍｂ＊Ｔ＿ＩＮＴ＊２(μ−μ＿ＩＮＴ)が自然数になるＴ＿ＩＮＴの値、μの値、及びμ＿ＩＮＴの値を期待する。端末は、Ｎ＿ｓｙｍｂ＊Ｔ＿ＩＮＴ＊２(μ−μ＿ＩＮＴ)が小数になるＴ＿ＩＮＴの値、μの値、及びμ＿ＩＮＴの値を期待しない。具体的な実施例によって、Ｎ＿ｓｙｍｂ＊Ｔ＿ＩＮＴ＊２Ｔ＿ＩＮＴ＊２(μ−μ＿ＩＮＴ)の値が小数であれば、端末はＴ＿ＩＮＴの値を無視する。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は該当設定をエラーケースと判断する。この際、端末はいかなる動作も行わなくてもよい。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は基地局からプリエンプション指示子を受信するためのモニタリングを行わなくてもよい。例えば、Ｎ＿ｓｙｍｂ＝１４であれば、端末は（Ｔ＿ＩＮＴ、μ、μ＿ＩＮＴ）＝（２、０、２）は期待しない。基地局は、Ｎ＿ｓｙｍｂ＊Ｔ＿ＩＮＴ＊２(μ−μ＿ＩＮＴ)が自然数になるようにＴ＿ＩＮＴの値、μの値、及びμ＿ＩＮＴの値を設定する。
【０２３２】
また、端末はμの値がμ＿ＩＮＴより大きいか同じであるか期待する。詳しくは、プリエンプション指示子は、常にプリエンプション指示子によってプリエンプションに関する情報が指示されるキャリアよりサブキャリア間隔が小さいキャリアから伝送される。例えば、サブキャリア間隔を有するキャリアにおいて、１５ｋＨｚのサブキャリア間隔を有するキャリア、３０ｋＨｚのサブキャリア間隔を有するキャリア、６０ｋＨｚのサブキャリア間隔を有するキャリアのプリエンプションに関する情報を指示するプリエンプション指示子が伝送されてもよい。３０ｋＨｚのサブキャリア間隔を有するキャリアから、３０ｋＨｚのサブキャリア間隔を有するキャリア、６０ｋＨｚのサブキャリア間隔を有するキャリアのプリエンプションに関する情報を指示するプリエンプション指示子が伝送される。６０ｋＨｚのサブキャリア間隔を有するキャリアからは、６０ｋＨｚのサブキャリア間隔を有するキャリアのプリエンプションに関する情報を指示するプリエンプション指示子が伝送される。３０ｋＨｚのサブキャリア間隔を有するキャリアからは、１５ｋＨｚのサブキャリア間隔を有するキャリアのプリエンプションに関する情報を指示するプリエンプション指示子が伝送されない。６０ｋＨｚのサブキャリア間隔を有するキャリアからは、１５ｋＨｚのサブキャリア間隔を有するキャリア、３０ｋＨｚのサブキャリア間隔を有するキャリアのプリエンプションに関する情報を指示するプリエンプション指示子が伝送されない。
【０２３３】
図３０において、端末がＣＡを行うように構成された例を説明したが、図３０を介して説明した実施例は、端末が一つのセル（またはキャリア）で動作する場合にも適用される。詳しくは、端末に異なるサブキャリアの設定で構成された複数のＢＷＰが使用されて、一つのＢＷＰから他のＢＷＰにおけるプリエンプション指示子を端末がモニタリングするように構成されれば、上述した実施例が適用される。
図３１乃至図３２は、本発明の実施例による基地局と端末の動作方法を示す図である。
【０２３４】
基地局は、プリエンプションされた（またはパンクチュアリングされた）資源を指示するプリエンプション指示子を生成する（Ｓ３１０１）。基地局は、予め指定された周期に基づいて端末にプリエンプション指示子を伝送する（Ｓ３１０３）。詳しくは、基地局は予め指定された周期に当たる時点でプリエンプション指示子を伝送する。この際、基地局は端末に予め指定された周期をシグナリングする。
【０２３５】
プリエンプション指示子は、プリエンプション指示子が指示するスロットが含むＯＦＤＭシンボルのうち一部のシンボルを除く残りのＯＦＤＭシンボルに関する情報を指示する。詳しくは、プリエンプション指示子が指示するリファレンス資源は、ＵＬシンボルと設定されたＯＦＤＭシンボルを含まない。この際、ＵＬシンボルはＲＲＣ信号に設定されている。詳しくは、ＲＲＣ信号はセル特定ＲＲＣ信号である。また、プリエンプション指示子は、ＤＬシンボルまたはＤＬシンボルになり得るフレキシブルシンボルに当たる資源に関する情報のみを指示する。プリエンプション指示子が指示するリファレンス資源は、図２１乃至図２６を介して説明した実施例によって決定される。
【０２３６】
また、プリエンプション指示子は、プリエンプション指示子が指示する複数のＯＦＤＭシンボルを複数のグループに区分し、複数のグループ別に前記複数のグループそれぞれが含む一つ以上のＯＦＤＭシンボルのうち少なくともいずれか一つのＯＦＤＭシンボルでパンクチュアリングされるのかを指示する。この際、複数のグループの個数は予め指定されている。詳しくは、複数のグループの個数は、プリエンプション指示子が含むビットマップのビット数である。他の具体的な実施例において、複数のグループの個数は基地局が設定したＯＦＤＭシンボルの粒度によって決定される。
【０２３７】
複数のグループの個数はＮ個であり、プリエンプション指示子が指示する複数のＯＦＤＭシンボルの個数がＳ個であれば、基地局はＮ個のグループのうち最初のｍｏｄ（Ｓ、Ｎ）個のグループはｃｅｉｌ（Ｓ／Ｎ）個のＯＦＤＭシンボルを含むようにグルーピングし、残りのＮ−ｍｏｄ（Ｓ、Ｎ）グループは、ｆｌｏｏｒ（Ｓ／Ｎ）個のＯＦＤＭシンボルを含むようにグルーピングする。この際、ｍｏｄ（ａ、ｂ）はａ−ｆｌｏｏｒ（ａ／ｂ）＊ｂであり、ｆｌｏｏｒ（ｘ）はｘと同じであるか小さい整数のうち最も大きい数であり、ｃｅｉｌ（ｘ）はｘと同じであるか大きい整数のうち最も小さい数である。具体的な実施例において、基地局は、プリエンプション指示子が指示する複数のグループを図２７乃至図２９を介して説明した実施例によってグルーピングする。
【０２３８】
端末は、整数個のスロット単位でプリエンプション指示子をモニタリングする。よって、基地局は、端末が整数個のスロット単位でプリエンプション指示子をモニタリングするようにプリエンプション指示子を伝送する。詳しくは、予め指定された周期の間のＯＦＤＭシンボルの個数をＮ＿ｓｙｍｂ＊Ｔ＿ＩＮＴ＊２(μ−μ＿ＩＮＴ)で表す。この際、Ｎ＿ｓｙｍｂはスロットが含むＯＦＤＭシンボルの数である。また、Ｔ＿ＩＮＴは前記端末が前記プリエンプション指示子をモニタリングする周期である。また、μ＿ＩＮＴは、プリエンプション指示子が伝送されるキャリアのサブキャリア間隔が１５＊２μ＿ＩＮＴＫＨｚになることを満足する値である。また、μは、プリエンプション指示子がプリエンプションに関する情報を指示するキャリアのサブキャリア間隔が１５＊２μＫＨｚになることを満足する値である。よって、基地局は、Ｎ＿ｓｙｍｂ＊Ｔ＿ＩＮＴ＊２(μ−μ＿ＩＮＴ)が自然数になるようにＴ＿ＩＮＴの値、μの値、及びμ＿ＩＮＴの値を設定する。具体的な実施例において、基地局は図３０を介して説明した実施例によって、Ｔ＿ＩＮＴの値、μの値、及びμ＿ＩＮＴの値を設定する。
【０２３９】
また、プリエンプション指示子は端末が使用するＢＷＰの全体の帯域を指示する。具体的な実施例において、基地局は図１２乃至図２０を介して説明した実施例によってプリエンプション指示子を伝送する。
【０２４０】
端末は、プリエンプション（またはパンクチュアリングされた）資源を指示するプリエンプション指示子を周期的にモニタリングする（Ｓ３２０１）。プリエンプション指示子を受信すれば、端末はプリエンプション指示子に基づいて端末にスケジューリングされた資源のうちプリエンプションされた資源を決定する（Ｓ３２０３）。詳しくは、端末はプリエンプション指示子が端末にスケジューリングされた資源のうち、プリエンプションされた資源から指示された資源から伝送が行われていないと仮定する。また、端末はプリエンプション指示子を受信することで、プリエンプション指示子の値に応じて基地局から端末に対するプリエンプションが発生した資源を判断する。よって、端末はスケジューリングされた資源のうちプリエンプションで指示された資源に基地局からの伝送が起こったのか否かを判断する。詳しくは、端末は、プリエンプション指示子が含むビットの値を介して、各ビットに当たる一つ以上のＯＦＤＭシンボルに基地局から端末に対する伝送が起こったと判断する。例えば、プリエンプション指示子が含むいずれか一つのビットの値第１値であれば、端末は該当ビットに当たる一つ以上のＯＦＤＭシンボルに基地局から端末に対する伝送が発生したと判断する。また、プリエンプション指示子が含むいずれか一つのビットの値第２値であれば、端末は該当ビットに当たる一つ以上のＯＦＤＭシンボルから基地局に端末に対する伝送が発生したと判断する。端末は、基地局から端末に対する伝送が発生した資源に基づいて、基地局樹脂下データをデコーディングする。この際、データはデータチャネル、制御チャネルのうち少なくともいずれか一つを含む。プリエンプション指示子は、プリエンプション指示子が指示するスロットが含むＯＦＤＭシンボルのうち一部のシンボルを除く残りのＯＦＤＭシンボルに関する情報を指示する。よって、端末は、プリエンプション指示子を介して指示されるスロットが含むＯＦＤＭシンボルのうち一部のシンボルを除く残りのＯＦＤＭシンボルに関する情報を指示すると判断する。詳しくは、端末は、プリエンプション指示子を介して指示されるスロットが含むＯＦＤＭシンボルの設定に基づいて、プリエンプション指示子が指示する資源を判断する。詳しくは、端末は、プリエンプション指示子が指示する資源がＵＬシンボルと設定されたＯＦＤＭシンボルを含まないと判断する。この際、ＵＬシンボルはＲＲＣ信号によって設定される。詳しくは、ＲＲＣ信号はセル特定ＲＲＣ信号である。また、端末は、プリエンプション指示子がＤＬシンボルまたはＤＬシンボルになり得るフレキシブルシンボルに当たる資源に関する情報のみを指示すると判断する。他の具体的な実施例において、端末はプリエンプション指示子を介して指示されるＯＦＤＭシンボルに関する情報に基づいて、プリエンプション指示子が指示する資源を判断する。この際、端末は、プリエンプション指示子が指示するＯＦＤＭシンボルに関する情報をＲＲＣ信号から獲得する。具体的な実施例において、端末は、プリエンプション指示子が指示する資源を図２１乃至図２６を介して説明した実施例によって判断する。
【０２４１】
また、プリエンプション指示子は、プリエンプション指示子が指示する複数のＯＦＤＭシンボルを複数のグループに区分し、複数のグループ別に前記複数のグループそれぞれが含む一つ以上のＯＦＤＭシンボルのうち少なくともいずれか一つのＯＦＤＭシンボルでパンクチュアリング或いはプリエンプションされるのかを指示する。この際、端末は、いずれか一つのビットに当たるグループが含む一つ以上のＯＦＤＭシンボル全部から、基地局から端末に対する伝送が発生するか発生していないと判断する。詳しくは、端末は、いずれか一つのビットの値第１値であれば、該当ビットに当たるグループが含む一つ以上のＯＦＤＭシンボル全てから基地局に端末に対する伝送が発生したと判断する。また、端末は、いずれか一つのビットの値第２値であれば、該当ビットに当たるグループが含む一つ以上のＯＦＤＭシンボル全てから伝送が発生していないと判断する。また、複数のグループの個数は予め指定されている。詳しくは、複数のグループの個数は、プリエンプション指示子が含むビットマップのビット数である。他の具体的な実施例において、複数のグループの個数は基地局が設定したＯＦＤＭシンボルの粒度によって決定される。
【０２４２】
複数のグループの個数はＮ個であり、プリエンプション指示子が指示する複数のＯＦＤＭシンボルの個数がＳ個であれば、端末はＮ個のグループのうち最初のｍｏｄ（Ｓ、Ｎ）個のグループはｃｅｉｌ（Ｓ／Ｎ）個のＯＦＤＭシンボルを含むようにグルーピングされ、残りのＮ−ｍｏｄ（Ｓ、Ｎ）グループは、ｆｌｏｏｒ（Ｓ／Ｎ）個のＯＦＤＭシンボルを含むようにグルーピングされると判断する。この際、ｍｏｄ（ａ、ｂ）はａ−ｆｌｏｏｒ（ａ／ｂ）＊ｂであり、ｆｌｏｏｒ（ｘ）はｘと同じであるか小さい整数のうち最も大きい数であり、ｃｅｉｌ（ｘ）はｘと同じであるか大きい整数のうち最も小さい数である。具体的な実施例において、端末局は、プリエンプション指示子が指示する複数のグループが図２７乃至図２９を介して説明した実施例によってグルーピングされると判断する。
【０２４３】
端末は、整数個のスロット単位でプリエンプション指示子をモニタリングする。詳しくは、予め指定された周期の間のＯＦＤＭシンボルの個数をＮ＿ｓｙｍｂ＊Ｔ＿ＩＮＴ＊２(μ−μ＿ＩＮＴ)で表す。この際、Ｎ＿ｓｙｍｂはスロットが含むＯＦＤＭシンボルの数である。また、Ｔ＿ＩＮＴは前記端末が前記プリエンプション指示子をモニタリングする周期である。また、μ＿ＩＮＴは、プリエンプション指示子が伝送されるキャリアのサブキャリア間隔が１５＊２μ＿ＩＮＴＫＨｚになることを満足する値である。また、μは、プリエンプション指示子がプリエンプションに関する情報を指示するキャリアのサブキャリア間隔が１５＊２μＫＨｚになることを満足する値である。よって、端末は、Ｎ＿ｓｙｍｂ＊Ｔ＿ＩＮＴ＊２(μ−μ＿ＩＮＴ)が自然数になるようにするＴ＿ＩＮＴの値、μの値、及びμ＿ＩＮＴの値を期待する。端末は、Ｎ＿ｓｙｍｂ＊Ｔ＿ＩＮＴ＊２(μ−μ＿ＩＮＴ)が自然数ではない値を有するようにするＴ＿ＩＮＴの値、μの値、及びμ＿ＩＮＴの値を無視する。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は該当設定をエラーケースと判断する。この際、端末はいかなる動作も行わなくてもよい。或いは、端末がＴ＿ＩＮＴ＊２(μ−μ＿ＩＮＴ)の値が小数になるＴ＿ＩＮＴの値、μの値、及びμ＿ＩＮＴの値を受信すれば、端末は基地局からプリエンプション指示子を受信するためのモニタリングを行わなくてもよい。具体的な実施例において、端末は図３０を介して説明した実施例によって、Ｔ＿ＩＮＴの値、μの値、及びμ＿ＩＮＴの値を期待する。
【０２４４】
上述した本発明の説明は例示のためのものであって、本発明が属する技術分野における通常の知識を有する者は、本発明の技術的思想や必須的特徴を変更せずも他の具体的な形態に容易に変更可能であることを理解できるはずである。よって、上述した実施例は全ての面で例示的なものであり、限定的なものではないと理解すべきである。例えば、単一形として説明されている各構成要素は分散されて実施されてもよく、同じく分散されていると説明されている構成要素も結合された形態で実施されてもよい。
【０２４５】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【符号の説明】
【０２４６】
１００  端末
１１０  プロセッサ
１２０  通信部
１２１  セルラー通信インターフェースカード
１２２  セルラー通信インターフェースカード
１２３  無線ＬＡＮインタフェースカード
１３０  メモリ
１４０  ユーザインタフェース部
１５０  ディスプレーユニット
２００  基地局
２１０  プロセッサ
２２０  通信モジュール
２２１  セルラー通信インターフェースカード
２２２  セルラー通信インターフェースカード
２２３  無線ＬＡＮインタフェースカード
２３０  メモリ
【図１】
2020523921.tif 000011
【図２】
2020523921.tif 000012
【図３】
2020523921.tif 000013
【図４（ａ）】
2020523921.tif 000014
【図４（ｂ）】
2020523921.tif 000015
【図５】
2020523921.tif 000016
【図６】
2020523921.tif 000017
【図７】
2020523921.tif 000018
【図８】
2020523921.tif 000019
【図９】
2020523921.tif 000020
【図１０】
2020523921.tif 000021
【図１１】
2020523921.tif 000022
【図１２】
2020523921.tif 000023
【図１３（ａ）】
2020523921.tif 000024
【図１３（ｂ）】
2020523921.tif 000025
【図１４（ａ）】
2020523921.tif 000026
【図１４（ｂ）】
2020523921.tif 000027
【図１５】
2020523921.tif 000028
【図１６】
2020523921.tif 000029
【図１７】
2020523921.tif 000030
【図１８】
2020523921.tif 000031
【図１９】
2020523921.tif 000032
【図２０】
2020523921.tif 000033
【図２１】
2020523921.tif 000034
【図２２】
2020523921.tif 000035
【図２３】
2020523921.tif 000036
【図２４】
2020523921.tif 000037
【図２５】
2020523921.tif 000038
【図２６】
2020523921.tif 000039
【図２７】
2020523921.tif 000040
【図２８】
2020523921.tif 000041
【図２９】
2020523921.tif 000042
【図３０（ａ）】
2020523921.tif 000043
【図３０（ｂ）】
2020523921.tif 000044
【図３１】
2020523921.tif 000045
【図３２】
2020523921.tif 000046
【国際調査報告】
2020523921.tif 000047
2020523921.tif 000048
2020523921.tif 000049
2020523921.tif 000050